【事件の表示】
　上記当事者間の特許第３７９３２１６号「液体インク収納容器、液体インク供給システムおよび液体インク収納カートリッジ」の特許無効審判事件についてされた平成２２年　１月２６日付け審決に対し、知的財産高等裁判所において審決取消の判決（平成２２年（行ケ）第１００５６号平成２３年２月８日判決言渡）があったので、さらに審理のうえ、次のとおり審決する。
【結　論】
　訂正を認める。
　本件審判の請求は、成り立たない。
　審判費用は、請求人の負担とする。
【理　由】
第１　手続きの経緯の概要
　本件特許第３７９３２１６号に係る手続の経緯は以下のとおりである。
平成１６年１１月１５日　特願２００４−３３０９５２号出願
　　　　　　　　　　　　（優先権主張日　平成１５年１２月２６日、平成
　　　　　　　　　　　　１６年１０月２２日）
平成１８年　４月１４日　本件特許第３７９３２１６号の設定登録（請求項
　　　　　　　　　　　　１〜１６）
平成２１年　１月　９日　株式会社オーム電機による特許第３７９３２１６
　　　　　　　　　　　　号の請求項１に係る発明についての特許無効審判
　　　　　　　　　　　　請求（無効２００９−８００００６号）
平成２１年　１月　９日　フューチャーウェルホールディングリミテッドに
　　　　　　　　　　　　よる特許第３７９３２１６号の請求項１に係る発
　　　　　　　　　　　　明についての特許無効審判請求（無効２００９−
　　　　　　　　　　　　８００００７号）
平成２１年　１月２８日　無効２００９−８００００６号及び無効２００９　　　　　　（起案日）　−８００００７号の併合
平成２１年　４月　６日　訂正請求（無効２００９−８００００６号及び無
　　　　　　　　　　　　効２００９−８００００７号に対して）
平成２１年　５月　８日　田口哲也他２名による特許第３７９３２１６号発
　　　　　　　　　　　　明の特許請求の範囲の請求項１及び請求項５に記
　　　　　　　　　　　　載された発明についての特許無効審判請求（無効
　　　　　　　　　　　　２００９−８０００９１号）
平成２１年　５月１９日　株式会社プレジール他４名による特許第３７９３
　　　　　　　　　　　　２１６号の請求項１〜１６に係る発明についての
　　　　　　　　　　　　特許無効審判請求（本件無効２００９−８００１
　　　　　　　　　　　　０１号）
平成２１年　５月２９日　株式会社オーム電機による特許第３７９３２１６
　　　　　　　　　　　　号の請求項５に係る発明についての特許無効審判
　　　　　　　　　　　　請求（無効２００９−８００１１３号）
平成２１年　５月２９日　フューチャーウェルホールディングリミテッドに
　　　　　　　　　　　　よる特許第３７９３２１６号の請求項５に係る発
　　　　　　　　　　　　明についての特許無効審判請求（無効２００９−
　　　　　　　　　　　　８００１１４号）
平成２１年　６月１６日　無効２００９−８００１１３号及び無効２００９　　　　　　（起案日）　−８００１１４号の併合
平成２１年　６月３０日　エステー産業株式会社による特許第３７９３２１
　　　　　　　　　　　　６号の請求項１及び５に係る発明についての特許
　　　　　　　　　　　　無効審判請求（無効２００９−８００１４１号）
平成２１年　７月２７日　訂正請求（無効２００９−８０００９１号に対し
　　　　　　　　　　　　て）
平成２１年　８月　３日　訂正請求（本件無効審判に対して、以下「本件訂
　　　　　　　　　　　　正」という、訂正後の請求項の数７）
平成２１年　８月　３日　本件無効審判に対して答弁書の提出（被請求人）
平成２１年　８月１８日　訂正請求（無効２００９−８００１１３号及び無
　　　　　　　　　　　　効２００９−８００１１４号に対して）
平成２１年　８月２４日　無効２００９−８００００６号及び無効２００９
　　　　　　（起案日）　−８００００７号につき「特許第３７９３２１６
　　　　　　　　　　　　号の請求項１に係る発明についての特許を無効と
　　　　　　　　　　　　する。」との審決（以下「第１審決」という。平
　　　　　　　　　　　　成２１年４月６日付けの訂正は認めていない。）
平成２１年　９月１４日　無効２００９−８００００６号についての審決取
　　　　　　　　　　　　消訴訟（平成２１年（行ケ）第１０２７５号）
平成２１年　９月１４日　無効２００９−８００００７号についての審決取
　　　　　　　　　　　　消訴訟（平成２１年（行ケ）第１０２７６号）
平成２１年　９月１５日　特許第３７９３２１６号についての訂正審判請求
　　　　　　　　　　　　（訂正２００９−３９０１１０号）
平成２１年　９月２４日　訂正請求（無効２００９−８００１４１号に対し
　　　　　　　　　　　　て）
平成２１年１０月　９日　本件無効審判に対して弁駁書の提出（請求人）
平成２１年１１月　５日　無効２００９−８００００７号の第１審決につい
　　　　　　　　　　　　ての差戻し決定（平成２１年（行ケ）第１０２７
　　　　　　　　　　　　６号）
平成２１年１１月　６日　無効２００９−８００００６号の第１審決につい
　　　　　　　　　　　　ての差戻し決定（平成２１年（行ケ）第１０２７
　　　　　　　　　　　　５号）
平成２１年１２月１７日　無効２００９−８０００９１号及び無効２００９
　　　　　　（起案日）　−８００１４１号事件の手続中止
平成２１年１２月２１日　訂正審判請求の取下げ（訂正２００９−３９０１
　　　　　　　　　　　　１０号）
平成２１年１２月２５日　無効２００９−８００００６号、無効２００９−
　　　　　　　　　　　　８００００７号、無効２００９−８００１１３号
　　　　　　　　　　　　及び無効２００９−８００１１４号の無効審判
　　　　　　　　　　　　請求の取下げ
平成２２年　１月２６日　本件につき「訂正を認める。特許３７９３２１６
　　　　　　（起案日）　号の請求項１ないし７に係る特許を無効とする。
　　　　　　　　　　　　」との審決（以下「本件１次審決」という。）
平成２２年　２月　５日　本件１次審決の謄本の送達（請求人）
　　　　　　　　　　　　本件１次審決の謄本の送達（被請求人）
平成２２年　２月１７日　本件１次審決に対する審決取消訴訟（平成２２年
　　　　　　　　　　　　（行ケ）第１００５６号）
平成２３年　２月　８日　本件１次審決を取り消すとの判決（平成２２年（
　　　　　　　　　　　　行ケ）第１００５６号）
平成２３年　２月　８日　特許第３７９３２１６号の請求項１（本件訂正後
　　　　　　　　　　　　の請求項１）及び請求項５（本件訂正後の請求項
　　　　　　　　　　　　３）についての特許権侵害差止請求控訴事件（平
　　　　　　　　　　　　成２２年（ネ）第１００６３号及び平成２２年（
　　　　　　　　　　　　ネ）第１００６４号）判決
平成２３年　９月２９日　本件１次審決を取り消すとの判決（平成２２年（
　　　　　　　　　　　　行ケ）第１００５６号）確定
　なお、本件１次審決で認めた本件訂正のうち、特許請求の範囲について、請求項３、請求項４、請求項６ないし１０、請求項１４、請求項１５を削除する訂正、及び、明細書について、段落００１４ないし段落００１６の記載を削除する訂正は、本件１次審決の謄本が当事者へ送達されたことにより平成２２年２月５日に確定した（当該訂正に対する本件１次審決は、後述の（参考）を参照のこと。）。
　
第２　訂正の適否
１　訂正の内容
　被請求人が平成２１年８月３日付け訂正請求書と、これに添付した訂正明細書（以下「本件訂正明細書」という。）及び訂正特許請求の範囲（以下「本件訂正特許請求の範囲」という。）とによって求めた訂正（本件訂正）の内容は、次のとおりのものである。（下線は本件訂正明細書及び本件訂正特許請求の範囲のとおりである。）
（１）特許請求の範囲について
　ア　訂正事項Ａ−１
　請求項１を以下のとおり訂正する。
「【請求項１】
　複数の液体
インク
を
して移動するキャリッジと
　該液体
インク
接続
　
前記キャリッジの移動により対向する前記液体インク収納容器が入れ替わるように配置され前記
インク
の発光部
位置検出用の
を一つ備え、該受光手段で該光を受光することによって前記液体インク収納容器の搭載位置を検出する液体インク収納容器位置検出手段
　搭載される液体
インク
接続
し色情報に係る信号を発生するための
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
　前記装置側接点と電気的に接続可能な前記接点と、
　少なくとも液体
インク
インク色を示す色情報
　
前記受光手段に投光するための光を発光する前記
　前記接点から入力される
前記色情報
前記色情報
を有することを特徴とする液体
インク
　
　イ　訂正事項Ａ−２
　請求項２を以下のとおり訂正する。
「【請求項２】
　複数の液体
インク
して移動するキャリッジと
　該液体
インク
接続
　
前記キャリッジの移動により対向する前記液体インク収納容器が入れ替わるように配置され前記
インク
の発光部
位置検出用の受光部を一つ備え、該受光部で該光を受光する
インク
インク
　搭載される液体
インク
接続
色情報
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
　前記装置側接点と電気的に接続可能な前記接点と、
　少なくとも液体
インク
インク色を示す色情報
　前記
液体インク収納容器
の前記受光部
光を発光する前記
　前記接点から入力される前記
色情報
前記色情報
を有することを特徴とする液体
インク
　
　ウ　訂正事項Ａ−３
　請求項３、請求項４、請求項６乃至１０、請求項１４及び請求項１５を削除する。
　
　エ　訂正事項Ａ−４
　請求項５を、請求項３とすると共に以下のとおり訂正する。
「【請求項３】　
　複数の液体
インク
を
して移動するキャリッジと
　該液体
インク
接続
　該液体
イン
位置検出用の受光部を一つ備え、該受光部で該光を受光する
インク
インク
　搭載される液体
インク
接続
色情報
　前記記録装置の
前記
インク
インク
　前記液体
インク
　前記装置側接点と電気的に接続可能な前記接点と、
　少なくとも液体
インク
インク色を示す色情報
　前記
液体インク収納容器
の前記受光部
光を発光する
　前記接点から入力される
前記色情報
前記色情報
し、
　
前記受光部は、前記キャリッジの移動により対向する前記液体インク収納容器が入れ替わるように配置され、
　
前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
インク
　
　オ　訂正事項Ａ−５
　請求項１１を、請求項４とすると共に以下のとおり訂正する。
「【請求項４】
　複数の液体
インク
カートリッジを
して移動するキャリッジと
　該液体
インク
カートリッジ
接続
　
前記キャリッジの移動により対向する前記液体インク収納カートリッジが入れ替わるように配置され前記
インク
カートリッジの発光部
位置検出用の受光部を一つ備え、該受光部で該光を受光する
インク
カートリッジ
搭載位置
インク
カートリッジ
　搭載される液体
インク
カートリッジ
接続
色情報
し、前記キャリッジの位置に応じて特定されたインク色の前記液体インク収納カートリッジの前記発光部を光らせ、その光の受光結果に基づき前記液体インク収納カートリッジ位置検出手段は前記液体インク収納カートリッジの搭載位置を検出
の前記キャリッジ
インク
カートリッジ
　液体
インク
　前記装置側接点と電気的に接続可能な前記接点と、
　少なくとも液体
インク
カートリッジ
インク色を示す色情報
　前記
液体インク収納カートリッジ
の前記受光部
光を発光する前記
　前記接点から入力される前記
色情報
前記色情報
を有することを特徴とする液体
インク
　
　カ　訂正事項Ａ−６
　請求項１２を、請求項５とすると共に以下のとおり訂正する。
「【請求項５】
　複数の液体
インク
を
して移動するキャリッジと
　該液体
インク
接続
　
前記キャリッジの移動により対向する前記液体インク収納容器が入れ替わるように配置され前記
インク
の発光部
位置検出用の受光部を一つ備え、該受光部で該光を受光する
インク
インク
　搭載される液体
インク
接続
色情報
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
　
前記液体インク
液体
　前記装置側接点と電気的に接続可能な前記接点と、
　収納される
液体
のインク色を示す色情報
　前記
液体インク収納容器
の前記受光部
光を発光する前記
　前記接点から入力される前記
色情報
前記色情報
を有することを特徴とする液体
インク
　
　キ　訂正事項Ａ−７
　請求項１３を、請求項６とすると共に以下のとおり訂正する。
「【請求項６】
　複数の液体
インク
を備えて移動するキャリッジ
　共通の信号線に接続される複数の装置側接点と、
　
前記キャリッジの移動により対向する前記液体インク収納容器が入れ替わるように配置され前記液体インク収納容器の発光部からの光を受光する位置検出用の
を一つ備え、該受光手段で該光を受光することによって前記液体インク収納容器の搭載位置を検出する液体インク収納容器位置検出手段
　前記共通の信号線に接続され
色情報に係る信号を発生するための
を備え
、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する
の前記キャリッジ
インク
　前記装着部に装着されることにより、前記複数の装置側接点に
接続
　少なくとも液体
インク
インク色を示す色情報
　液体の収納空間を介さずに前記受光手段に対し投光可能位置に固定して配置された
前記
　前記電気回路から前記共通
の
前記色情報
前記色情報
を具えたことを特徴とする液体
インク
　
　ク　訂正事項Ａ−８
　請求項１６を、請求項７とすると共に以下のとおり訂正する。
「【請求項７】
　複数の液体
インク
を
して移動するキャリッジと
　該液体
インク
接続
　
前記キャリッジの移動により対向する前記液体インク収納容器が入れ替わるように配置され前記
インク
の発光部
位置検出用の
を一つ備え、該受光手段で該光を受光することによって前記液体インク収納容器の搭載位置を検出する液体インク収納容器位置検出手段
　搭載される液体
インク
接続
し色情報に係る信号を発生するための
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
　前記装置側接点と電気的に接続可能な前記接点と、
　少なくとも液体
インク
インク色を示す色情報
　
前記受光手段に投光するための光を発光する前記
　前記接点から入力される
前記色情報
前記色情報
色情報
を有することを特徴とする液体
インク
　
（２）明細書について
　ア　訂正事項Ｂ−１
　発明の名称を以下のとおり訂正する。
「【発明の名称】液体
インク
液
インク
ムお
インク
　
　イ　訂正事項Ｂ−２
　段落０００１の記載を以下のとおり訂正する。
「　【０００１】
　本発明は、液体
インク
液
インク
ムお
インク
インク
インク
液
インク
ムお
インク
　
　ウ　訂正事項Ｂ−３
　段落００１０の記載を以下のとおり訂正する。
「　【００１０】
　本発明はこのような問題を解消するためになされたものであり、その目的とするところは、複数のインクタンクの搭載位置に対して共通の信号線を用いてＬＥＤなどの表示器の発光制御を行い、この場合でもインクタンクなど液体
インク
　
　エ　訂正事項Ｂ−４
　段落００１１の記載を以下のとおり訂正する。
「　　【００１１】
　そのために本発明では、複数の液体
インク
を
して移動するキャリッジと
インク
接続
前記キャリッジの移動により対向する前記液体インク収納容器が入れ替わるように配置され前記
インク
の発光部
位置検出用の
を一つ備え、該受光手段で該光を受光することによって前記液体インク収納容器の搭載位置を検出する液体インク収納容器位置検出手段
インク
接続
し色情報に係る信号を発生するための
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
インク
インク色を示す色情報
前記受光手段に投光するための光を発先する前記
前記色情報
前記色情報
　
　オ　訂正事項Ｂ−５
　段落００１２の記載を以下のとおり訂正する。
「　　【００１２】
　また、本発明は、複数の液体
インク
を
して移動するキャリッジと
インク
接続
前記キャリッジの移動により対向する前記液体インク収納容器が入れ替わるように配置され前記
インク
の発光部
位置検出用の受光部を一つ備え、該受光部で該光を受光する
インク
インク
インク
接続
色情報
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
インク
インク色を示す色情報
液体インク収納容器
の前記受光部
光を発光する前記
色情報
前記色情報
　
　カ　訂正事項Ｂ−６
　段落００１３の記載を以下のとおり訂正する。
「　　【００１３】
　さらに、本発明は、複数の液体
インク
を
して移動するキャリッジと
インク
接続
インク
位置検出用の受光部を一つ備え、該受光部で該光を受光する
インク
インク
インク
接続
色情報
前記
インク
インク
インク
インク
インク色を示す色情報
液体インク収納容器
の前記受光部
光を発光する
色情報
前記色情報
し、前記受光部は、前記キャリッジの移動により対向する前記液体インク収納容器が入れ替わるように配置され、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
　
　キ　訂正事項Ｂ−７
　段落００１４ないし段落００１６の記載を削除する。
　
　ク　訂正事項Ｂ−８
　段落００１７の記載を以下のとおり訂正する。
「　　【００１７】
　さらに加えて、本発明は、複数の液体
インク
カートリッジを
して移動するキャリッジと
インク
カートリッジ
接続
前記キャリッジの移動により対向する前記液体インク収納カートリッジが入れ替わるように配置され前記
インク
カートリッジの発光部
位置検出用の受光部を一つ備え、該受光部で該光を受光する
インク
カートリッジ
搭載位置
インク
カートリッジ
インク
カートリッジ
接続
色情報
し、前記キャリッジの位置に応じて特定されたインク色の前記液体インク収納カートリッジの前記発光部を光らせ、その光の受光結果に基づき前記液体インク収納カートリッジ位置検出手段は前記液体インク収納カートリッジの搭載位置を検出
の前記キャリッジ
インク
カートリッジ
インク
インク
カートリッジ
インク色を示す色情報
液体インク収納カートリッジ
の前記受光部
光を発光する前記
色情報
前記色情報
　
　ケ　訂正事項Ｂ−９
　段落００１８の記載を以下のとおり訂正する。
「　　【００１８】
　また、本発明は、複数の液体
インク
を
して移動するキャリッジと
インク
接続
前記キャリッジの移動により対向する前記液体インク収納容器が入れ替わるように配置され前記
インク
の発光部
位置検出用の受光部を一つ備え、該受光部で該光を受光する
インク
インク
インク
接続
色情報
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
前記液体インク
液体
液体
のインク色を示す色情報
液体インク収納容器
の前記受光部
光を発光する前記
色情報
前記色情報
　また、本発明は、複数の液体
インク
を備えて移動するキャリッジ
前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段
色情報に係る信号を発生するための
、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する
の前記キャリッジ
インク
接続
インク
インク色を示す色情報
前記
の
前記色情報
前記色情報
　
さ
インク
を
して移動するキャリッジと
インク
接続
前記キャリッジの移動により対向する前記液体インク収納容器が入れ替わるように配置され前記
インク
の発光部
位置検出用の
を一つ備え、該受光手段で該光を受光することによって前記液体インク収納容器の搭載位置を検出する液体インク収納容器位置検出手段
インク
接続
し色情報に係る信号を発生するための
し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
の前記キャリッジ
インク
インク
インク色を示す色情報
前記受光手段に投光するための光を発光する前記
前記色情報
前記色情報
色情報
　
　コ　訂正事項Ｂ−１０
　段落００１９の記載を以下のとおり訂正する。
「　　【００１９】
　以上の構成によれば、記録装置の本体側の接点（コネクタ）と接続する液体
インク
色情報
色情報
所定
　
　サ　訂正事項Ｂ−１１
　段落００２０の記載を以下のとおり訂正する。
「　　【００２０】
　この結果、複数のインクタンクの搭載位置に対して共通の信号線を用いてＬＥＤなどの表示器の発光制御を行い、この場合でもインクタンクなど液体
インク
　
　シ　訂正事項Ｂ−１２
　段落０１３５の記載を以下のとおり訂正する。
「　　【０１３５】
　また
、参考例として
ついて説明する
　
　ス　訂正事項Ｂ−１３
　図面の簡単な説明の図３８の記載を以下のとおり訂正する。
「　　【図３８】
参考例
　
２　本件訂正についての請求人の主張
　請求人は、平成２１年１０月９日付け弁駁書で、本件訂正は、次の（１）ないし（７）のとおりであるから、特許請求の範囲の減縮に該当せず、明りょうでない記載の釈明にも誤記の訂正にも該当せず、特許法第１３４条の２第１項ただし書き各号に規定する何れをも目的としない訂正を含むから、特許法第１３４条の２第５項で準用する同法第１２６条第３項に適合しておらず、さらに、実質上特許請求の範囲を拡張又は変更する訂正を含むから、特許法第１３４条の２第５項で準用する同法第１２６条第４項の規定に違反するものであるので、認められない旨主張する。
（１）「受光手段」や「受光部」は液体インク収納容器や液体インク収納カートリッジに係る発明の構成要件ではないから、「発光部」を「…受光手段に投光するための光を発光する前記発光部」とか「…受光部に投光するための光を発光する前記発光部」と訂正したところで、それによって液体インク収納容器又はカートリッジに設ける発光部を格別の構成を有するものに限定したことにならない。（弁駁書１１頁５行〜１２頁７行）
　
（２）「受光手段に投光するための光を発光する発光部」、「液体インク収納容器位置検出手段の受光手段に投光するための光を発光する発光部」、「液体インク収納カートリッジ位置検出手段の受光部に投光するための光を発光する発光部」、「液体インク収納容器位置検出手段」といった記載は設定登録時明細書（以下「本件訂正前明細書」という。）のどこにも存在しないから、本件訂正により新たに加えられた構成であり、本件訂正は実質上特許請求の範囲を拡張又は変更するものである。（弁駁書１２頁８〜２１行及び１６頁１４〜２４行）
　
（３）「受光手段」が「キャリッジの移動により対向する液体インク収納容器が入れ替わるように配置され」るかどうか、「受光部」が「キャリッジの移動により対向する液体インク収納容器や液体インク収納カートリッジが入れ替わるように配置され」るかどうかは、液体インク収納容器又はカートリッジを実際に記録装置に搭載したときに確認できることであるから、液体インク収納容器又はカートリッジに係る発明の構成を限縮するものではないので、本件訂正は液体インク収納容器又はカートリッジの構成を限縮するものではない。（弁駁書１２頁２２行〜１３頁２１行）
　
（４）「キャリッジの位置に応じて特定されたインク色の液体インク収納容器又はカートリッジの発光部を光らせ、その光の受光結果に基づき前記液体インク収納容器又はカートリッジ位置検出手段は前記液体インク収納容器の搭載位置を検出する」との構成が付加されているが、「前記キャリッジの位置に応じて特定された」という意味が不明確である上、本件訂正前明細書には、「液体インク収納容器又はカートリッジ位置検出手段」についての説明はなく、「キャリッジの位置に応じて特定されたインク色の液体インク収納容器又はカートリッジの発光部を光らせ、その光の受光結果に基づき前記液体インク収納容器又はカートリッジ位置検出手段は前記液体インク収納容器の搭載位置を検出する」ことを可能とするための具体的構成は本件訂正前明細書に開示されていないので、これがいかなる機構を指すのかが不明であることから、「液体インク収納容器又はカートリッジ位置検出手段」とは、本件訂正により新たに加えられた構成であって、本件訂正は実質上特許請求の範囲を拡張又は変更するものである。（弁駁書１３頁２２行〜１４頁１０行及び１６頁２５行〜１７頁１５行）
　
（５）記録装置が液体インク収納容器や液体インク収納カートリッジが正しい位置に搭載されているか否かを判断できるという効果は、複数の液体インク収納容器又はカートリッジの内、あるインク色の液体インク収納容器又はカートリッジが来るべきタイミングが記録装置側であらかじめ分かっており、そのタイミングで所定のインク色の液体インク収納容器又はカートリッジの発光部を光らせ、その光が受光されたか否かを判断する手段が記録装置側に備わっていて初めて得られるものであって、液体インク収納容器又は液体インク収納カートリッジ側の構成によって実現される効果ではないから、本件訂正は液体インク収納容器又はカートリッジの構成を限縮するものではない。（弁駁書１４頁１１〜２４行）
　
（６）記録装置側の接点と液体インク収納容器又は液体インク収納カートリッジの接点との間の接触の状態につき、本件訂正前に「接合」と「接続」の区別が存在していた。「結合」は「結び合うこと。結び合わせること。」を意味する語句であり、「接続」は「つなぐこと。つながること。」を意味する語句であって語句自体が意味するところに不明瞭なところはない。「接合」と「接続」に書き分けていたものを、確たる理由もなく「接続」に統一する本件訂正は、明りょうでない記載の釈明を目的とするものではなく、むしろ、特許請求の範囲を実質的に拡張又は変更するものである。（弁駁書１４頁２５行〜１５頁１７行及び１７頁１６行〜１８頁６行）
　
（７）「発光部」を「…受光部に投光するための光を発光する前記発光部」と訂正したところで、それによって、液体インク収納システム（審決注：「収納」は「供給」の誤記であると認定した。）の発光部を格別の構成を有するものに限定したことにならない。（弁駁書１５頁下から２行目〜１６頁１３行）
　
３　本件訂正の可否についての当審の判断
（１）本件訂正の可否についての判断対象について
　本件訂正の可否についての判断対象は、本件訂正の訂正内容のうち、本件１次審決の謄本が当事者へ送達されたことにより平成２２年２月５日に確定した「特許請求の範囲について、請求項３、請求項４、請求項６ないし１０、請求項１４、請求項１５を削除する訂正、及び、明細書について、段落００１４ないし段落００１６の記載を削除する訂正」（訂正事項Ａ−３及び訂正事項Ｂ−７）を除いた残余の訂正事項である。
　
（２）訂正事項Ａ−１について
　この訂正事項が特許法第１３４条の２の訂正要件を充たすか否かについて検討するに、次のアないしキのとおり、この訂正事項は、特許請求の範囲の減縮（特許法第１３４条の２第１項ただし書き第１号）ないし明りょうでない記載の釈明（同項ただし書き第３号）を目的とするものであり、かつ、同条第５項において準用される同法第１２６条第３項及び第４項の規定に適合するものであるから、適法な訂正であると認められる（なお、以下の説示中においては、本件訂正に係る訂正部分を下線で示すものとする。）。
　ア　「液体
インク
　本件訂正前の「液体収納容器」を液体インクを収納する容器であることに限定したものであるものであるから、特許請求の範囲の減縮を目的とするものであると認められる。また、上記訂正の内容は、例えば、本件訂正前明細書の段落【００２２】に「インクタンク」として記載されているから、同訂正は、明細書に記載した事項の範囲内において行われたもの（特許法第１３４条の２第５項、同法第１２６条第３項）であると認められる。
　
　イ　「複数の液体
インク
を
して移動するキャリッジ
の前記キャリッジ
インク
　請求項１に係る発明が、キャリッジを備えた記録装置の該キャリッジに搭載される容器であることを限定したものであるから、特許請求の範囲の減縮を目的とするものであると認められる。また、上記訂正の内容は、例えば、本件訂正前明細書の段落【００６８】ないし段落【００７０】に「…プリンタ２００は、…インクタンクを搭載したキャリッジが…移動をして記録を行う機構など…が…覆われているプリンタ本体と、…とを備えたものである。」、「インクタンク１Ｋ、１Ｙ、１Ｍ、１Ｃ（以下では、これらのインクタンクを同一の符号「１」で示す場合もある）を搭載したキャリッジ２０５が移動する…」、「キャリッジ２０５には、インクタンクホルダを一体に備えた記録ヘッドユニット１０５が着脱自在に装着され、この記録ヘッドユニット１０５に対してそれぞれのインクタンク１がカートリッジの形態にて着脱自在に装着される。すなわち、キャリッジ２０５に記録ヘッドユニット１０５を装着し、さらに記録ヘッドユニット１０５にインクタンク１を装着することが可能であり、本実施形態ではインクタンク１は記録ヘッドユニット１０５を介してキャリッジ２０５に着脱可能である。」と記載されているから、同訂正は、明細書に記載した事項の範囲内において行われたもの（特許法第１３４条の２第５項、同法第１２６条第３項）であると認められる。
　
　ウ　「該液体
インク
接続
インク
接続
　「液体収納容器に備えられる接点」と「記録装置が有する装置側接点」との関係については、本件訂正前特許請求の範囲に、「該液体収納容器に備えられる接点と電気的に結合可能な装置側接点」、「搭載される液体収納容器それぞれの前記接点と結合する前記装置側接点」及び「前記装置側接点と電気的に接続可能な前記接点」（【請求項１】、【請求項２】、【請求項５】、【請求項１２】、【請求項１６】参照。）と、接点間の状態について「結合」と「接続」とが混在していた。この訂正は、これを「接続」に統一して明確にしたものであるから、明りょうでない記載の釈明を目的とするものであると認められる。
　また、インクタンクに備えられる接点と装置側接点とが接触する関係を「接続」と表現することについては、本件訂正前明細書に、「ホルダ１５０に設けられた接点（以下コネクタと称す）１５２と、インクタンクに設けられた基板１００の外側に向かって位置する面に設けられた接点としての電極パッド１０２（図５（ｂ））とが接触し、電気的接続が可能になる。」（段落【００３３】）、「接点としてのパッド１０２およびコネクタ１５２は金属などの比較的剛性の高い導電部材であり、これらの間には良好な電気接続性が確保されるべきである。」（段落【００５７】）などと記載されているから、上記訂正は、明細書に記載した事項の範囲内において行われたもの（特許法第１３４条の２第５項、同法第１２６条第３項）であると認められる。
　
　エ　「
前記キャリッジの移動により対向する前記液体インク収納容器が入れ替わるように配置され前記
インク
の発光部
位置検出用の
を一つ備え、該受光手段で該光を受光することによって前記液体インク収納容器の搭載位置を検出する液体インク収納容器位置検出手段
前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出
　請求項１に係る発明が、上記の構成を有する記録装置に搭載される容器であることを限定するものであるから、特許請求の範囲の減縮を目的とするものであると認められる。
　先ず、「受光手段」に関しては、例えば、本件訂正前明細書の段落【００７３】、段落【０１１０】、段落【０１１１】及び図２９に「第１受光部２１０」として記載されている。特に、図２９からは、インクタンクの搭載位置の検出に使用する「第１受光部２１０」は一つであり、キャリッジ２０５に搭載された複数のインクタンクのうち、第１受光部２１０に対向するインクタンクが入れ替わるようにキャリッジ２０５を移動させていることが把握される。
　さらに、上記訂正に関して、本件訂正前明細書には、段落【００７９】に「第１受光部２１０は、インクタンク１のＬＥＤ１０１からの発光を受けて、それに応じた信号を制御回路３００へ出力する。制御回路３００は、後述のように、この信号に基づき、それぞれのインクタンク１のキャリッジ２０５における位置を判断することができる。また、…エンコーダスケール２０９が設けられ…エンコーダセンサ２１１が設けられ…このセンサの検出信号は…制御回路３００に入力し、これにより、キャリッジ２０５の移動位置を知ることができる。」と、段落【０１０１】ないし段落【０１０７】に「Ａ番目のインクタンクが装着されていると判断したときは、…該当する色情報のインクタンク１のＬＥＤ１０１を点灯する。…４つのインクタンク総てについて装着確認制御が終了し…総てのインクタンクについて、ＬＥＤ１０１の点灯がされたか否かを判断する。いずれかのインクタンクのＬＥＤ１０１が点灯していないと判断したときは、ステップＳ３０２以降の処理を繰り返す。…総てのインクタンクのＬＥＤが点灯したと判断したときは、…正常にインクタンクが装着されたか否かを判断する。装着が正常と判断したときは、…着脱処理が正常終了したか否かを判断する。…着脱処理が正常に終了したと判断したときは、…カバー２０１が閉じられたか否かを判断する。ここで、本体カバーが閉じられたと判断したときは、ステップＳ１０５の光照合処理に移行する。」と、段落【０１０８】に「光照合処理は、正常に装着されたインクタンクそれぞれが正しい位置に装着されているか否かを判断する処理である。本実施形態では、インクタンクの装着位置について、…誤って装着される可能性がある。このため、本光照合処理を行い、誤って装着される場合は、ユーザにその旨を知らせるものである。」と、段落【０１１０】ないし段落【０１１３】に「最初に、イエローインクのインクタンク１Ｙが装着されるべき位置のインクタンクが第１受光部２１０に対向する位置で、インクタンク１ＹのＬＥＤ１０１を発光させる（図２４にて説明したように、実際は点灯して所定時間後消灯すること、以下、本照合処理では同様）。インクタンクの本来の正しい位置に装着されているとき、第１受光部２１０はＬＥＤ１０１の発光を受光することができ、制御回路３００は、その装着位置にはインクタンク１Ｙが正しく装着していると判断する。…キャリッジ２０５を移動しつつ、同様にして、図２９（ｂ）に示すように、マゼンタインクのインクタンク１Ｍが装着されるべき位置のインクタンクが第１受光部２１０に対向する位置で、インクタンク１ＭのＬＥＤ１０１を発光させる。同図に示す例は、インクタンク１Ｍが正しい位置に装着されていて第１受光部２１０はその発光を受光することを示している。順次、図２９（ｂ）〜（ｄ）に示すように、判断する装着位置を変えながら発光を行って行く。これらの図は、正しい位置に装着されている例を示している。…これに対し、図３０（ｂ）に示すように、マゼンタインクのインクタンク１Ｍが装着されるべき位置にシアンインクのインクタンク１Ｃが誤って装着されているときは、第１受光部２１０に対向しているインクタンク１ＣのＬＥＤ１０１は発光せず、別の位置に搭載されているインクタンク１ＭのＬＥＤ１０１が発光する。この結果、このタイミングでは、第１の受光部２１０は受光できないことから、制御回路３００は、その装置位置にはインクタンク１Ｍ以外のインクタンクが装着されていると判断する。これに対応して、図３０（ｃ）に示すように、シアンインクのインクタンク１Ｃが装着されるべき位置にマゼンタインクのインクタンク１Ｍが誤って装着されており、第１受光部２１０に対向しているインクタンク１ＣのＬＥＤ１０１が発光する。…以上説明した光照合処理を行うことにより、制御回路３００は本来の位置に装着されていないインクタンクを特定することができる。また、装着されるべき位置に正しいインクタンクが装着されていなかった場合には、その装着位置において、他の３色のインクタンクを順に発光させる制御を行うことによって、その装着位置に誤って何色のインクタンクが装着されてしまったかを特定することもできる。」と、それぞれ記載されている。
　これらの記載からみて、本件訂正前明細書には、インクジェットプリンタ２００が、「第１受光部２１０」、「制御回路３００」と共に、「キャリッジ２０５の移動位置を知る」手段、「インクタンクが装着されていると判断したときは、該当する色情報のインクタンク１のＬＥＤ１０１を点灯」させる手段、「４つのインクタンク総てのインクタンクについて、ＬＥＤ１０１の点灯がされたか否かを判断する」手段、「正常に装着されたインクタンクそれぞれが正しい位置に装着されているか否かを判断する光照合処理」を行う手段、及び、「装着されるべき位置に誤って何色のインクタンクが装着されてしまったかを特定する」手段を備えていることが把握でき、これらの手段により「キャリッジの位置に応じて特定されたインク色の液体インク収納容器又はカートリッジの発光部を光らせ、その光の受光結果に基づき前記液体インク収納容器又はカートリッジ位置検出手段は前記液体インク収納容器の搭載位置を検出する」ことを可能とするインクジェットプリンタの構成を具体的に構築することは、本件訂正前明細書に記載された事項に基づいて当業者が十分に実施できることである。
　してみると、「第１受光部２１０、制御回路３００と共に、これらの手段を備えているインクジェットプリンタ２００」が「前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段」及び「前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置」の根拠となり得るから、この訂正内容は、本件訂正前明細書に記載された事項の範囲内において行われたもの（特許法第１３４条の２第５項、同法第１２６条第３項）であると認められる。
　
　オ　「前記装置側接点に対して共通に電気的接続
し色情報に係る信号を発生するための
　請求項１に係る発明が、色情報に係る信号を発生する電気回路を備えた記録装置に搭載される容器であることを限定したものであるから、特許請求の範囲の減縮を目的とするものであると認められる。
　図２０の記載から「インクタンク１Ｋ、１Ｃ、１Ｍ、１Ｙのそれぞれの端子１０２とバス接続するように、制御回路３００からフレキシブルケーブル２０６を介して延長されている信号線ＤＡＴＡの終端が端子１５２である」ことが見て取れるとともに、本件訂正前明細書に「ホルダ１５０に設けられた接点（以下コネクタと称す。）１５２と、インクタンクに設けられた基板１００の外側に向かって位置する面に設けられた接点としての電極パッド１０２（図５（ｂ））とが接触し、電気的接続が可能になる。」（段落【００３３】）、「本体側の制御回路３００からインクタンク１の制御部１０３における入出力制御回路１０３Ａに対し、信号線ＤＡＴＡ（図２０）を介して『開始コード＋色情報』…の各データ信号が…送られてくる。」（段落【００８７】）、「『色情報』は、…インクの色『Ｋ』、『Ｃ』、『Ｍ』、『Ｙ』に対応したコードを有しており、入出力制御回路１０３Ａは、このコードが示す色情報とメモリーアレイ１０３Ｂに格納されている自身の色情報とを比較し一致しているときにのみ、それ以降のデータ信号を取り込む処理を行い、一致しないときは、それ以降のデータ信号の取り込みを無視する処理を行う。」（段落【００８８】）などと、「インクタンクに設けられた接点としての電極パッド１０２と接触して電気的接続する端子１５２、すなわちインクタンク１Ｋ、１Ｃ、１Ｍ、１Ｙのそれぞれの端子１０２とバス接続する端子１５２まで、フレキシブルケーブル２０６を介して延長されている信号線ＤＡＴＡを介して色情報を含む各データ信号を送る本体側の制御回路３００」が記載されているから、同訂正は、本件訂正前明細書に記載した事項の範囲内において行われたもの（特許法第１３４条の２第５項、同法第１２６条第３項）であると認められる。
　
　カ　「少なくとも液体
インク
インク色を示す色情報
前記色情報
前記色情報
　本件訂正前明細書には、「図２１はこれら制御部などが設けられた基板の詳細を示す回路図である。同図に示すように、制御部１０３は、…メモリーアレイ１０３Ｂ…を有して構成される。…メモリーアレイ１０３Ｂは、…収納するインクの色情報の他、そのインクタンクの固有番号や製造ロット番号などの製造情報等のインクタンク個体情報を記憶することができる。なお、色情報は…その収納しているインクの色に対応して、メモリーアレイ１０３Ｂの所定のアドレスに書き込まれる。例えばこの色情報は、図２３、図２４にて後述されるように、インクタンクの識別情報（個体情報）として用いられ、これにより、インクタンクを特定してメモリーアレイ１０３Ｂに対応するデータの書き込みやメモリーアレイ１０３Ｂからデータの読み出しを行い、また、そのインクタンクのＬＥＤ１０１の点灯、消灯を制御することが可能となる。」（段落【００８３】）と記載されており、この「メモリーアレイ１０３Ｂ」及び「インクタンクの識別情報（個体情報）として用いられ、その収納しているインクの色に対応する色情報」が、それぞれ「情報保持部」及び「少なくとも液体インク収納容器のインク色を示す色情報」の実施例であることが明らかであり、上記オで述べた段落【００８８】に記載の「インクの色『Ｋ』、『Ｃ』、『Ｍ』、『Ｙ』に対応したコードを有している『色情報』」及び「入出力制御回路１０３Ａは、このコードが示す色情報とメモリーアレイ１０３Ｂに格納されている自身の色情報とを比較し一致しているときにのみ、それ以降のデータ信号を取り込む処理を行い、一致しないときは、それ以降のデータ信号の取り込みを無視する処理を行う。」が、それぞれ、「前記接点から入力される前記色情報に係る信号」及び「前記接点から入力される前記色情報に係る信号と、前記情報保持部の保持する前記色情報とに応じて前記発光部の発光を制御する制御部」の実施例であるといえるから、同訂正は、本件訂正前明細書に記載した事項の範囲内において行われたもの（特許法第１３４条の２第５項、同法第１２６条第３項）であると認められる。
　そして、本件訂正前特許請求の範囲に記載されている「液体収納容器の個体情報」は、上記のとおり「インクタンクの識別情報（個体情報）として用いられ、その収納しているインクの色に対応する色情報」の他、「そのインクタンクの固有番号や製造ロット番号などの製造情報等のインクタンク個体情報」も含む概念の情報であるところ、これらの個体情報のうちから、「インクタンクの識別情報（個体情報）として用いられ、その収納しているインクの色に対応する色情報」が相当する「液体インク収納容器のインク色を示す色情報」に限定する訂正内容は、特許請求の範囲の減縮を目的とするものであると認められる。
　
　キ　「
前記受光手段に投光するための光を発光する前記
　この訂正内容は、例えば、図３（ａ）の「第１発光部（ＬＥＤ）１０１からの光の光軸（矢印）が第１受光部２１０に向かっている」記載及び本件訂正前明細書の「図３（ａ）に示すように、…キャリッジの走査範囲の端部にあって、図の右上方向に投光される光を受容する位置に受光部を配置し、その部位にキャリッジが位置したときに第１発光部１０１の発光を制御することで、記録装置側は受光部の受光内容からインクタンク１に係る所定の情報を認識することが可能となる。」（段落【００３６】）の記載、あるいは、段落【００３８】ないし段落【００４７】、段落【００７３】、段落【００７９】、段落【０１１０】及び段落【０１１１】、並びに、図面の図４（ａ）、図８、図９、図１１、図１２（ａ）、図１８及び図２９の記載からみて、同訂正は、本件訂正前明細書に記載した事項の範囲内において行われたもの（特許法第１３４条の２第５項、同法第１２６条第３項）であると認められる。
　本件訂正前特許請求の範囲の記載では、「受光部」が液体収納容器からの光を受光することは特定されてはいたが、液体収納容器からの光が発光部からの光であるとは特定されておらず、発光部の配置や発光部からの光に指向性がある場合の光軸方向などは、受光部の配置や向きとの関係で何ら特定されていなかった。本件訂正により、その液体収納容器からの光が発光部からの光であることが限定されるとともに、この補正内容により「発光部」が受光手段に投光するための光を発光するものであことが特定されるのであるから、発光部の配置や発光部からの光に指向性がある場合の光軸方向などは、液体インク収納容器がそのキャリッジに対して装着された記録装置が一つ備える受光部の配置や向きとの関係で限定されたものになる。
　したがって、この訂正内容は、発光部を限定するものであるから、特許請求の範囲の減縮を目的とするものであると認められる。
　
（３）訂正事項Ａ−２について
　上記（２）と同様の理由で、訂正事項Ａ−２は、特許請求の範囲の減縮（特許法第１３４条の２第１項ただし書き第１号）ないし明りょうでない記載の釈明（同項ただし書き第３号）を目的とするものであり、かつ、同条第５項において準用される同法第１２６条第３項及び第４項の規定に適合するものであるから、適法な訂正であると認められる。
　
（４）訂正事項Ａ−４について
　上記（２）と同様の理由で、訂正事項Ａ−４は、特許請求の範囲の減縮（特許法第１３４条の２第１項ただし書き第１号）ないし明りょうでない記載の釈明（同項ただし書き第３号）を目的とするものであり、かつ、同条第５項において準用される同法第１２６条第３項及び第４項の規定に適合するものであるから、適法な訂正であると認められる。
　
（５）訂正事項Ａ−５について
　「容器」を「
カートリッジ
インク
　
（６）訂正事項Ａ−６について
　上記（２）と同様の理由で、訂正事項Ａ−６は、特許請求の範囲の減縮（特許法第１３４条の２第１項ただし書き第１号）ないし明りょうでない記載の釈明（同項ただし書き第３号）を目的とするものであり、かつ、同条第５項において準用される同法第１２６条第３項及び第４項の規定に適合するものであるから、適法な訂正であると認められる。
　
（７）訂正事項Ａ−７について
　「前記共通信号線」を「前記共通
の
前記
　
（８）訂正事項Ａ−８について
　上記（２）と同様の理由で、訂正事項Ａ−８は、特許請求の範囲の減縮（特許法第１３４条の２第１項ただし書き第１号）ないし明りょうでない記載の釈明（同項ただし書き第３号）を目的とするものであり、かつ、同条第５項において準用される同法第１２６条第３項及び第４項の規定に適合するものであるから、適法な訂正であると認められる。
　
（９）訂正事項Ｂ−１ないしＢ−６、Ｂ−８、Ｂ−９、Ｂ−１１について
　訂正事項Ｂ−１ないしＢ−６、Ｂ−８、Ｂ−９、Ｂ−１１は、特許請求の範囲の訂正に伴って、特許請求の範囲の記載と明細書の記載とに齟齬が生じないように訂正したものである。
　したがって、訂正事項Ｂ−１ないしＢ−６、Ｂ−８、Ｂ−９、Ｂ−１１は、明りょうでない記載の釈明（特許法第１３４条の２第１項ただし書第３号）を目的とするものであり、かつ、同条第５項において準用される同法第１２６条第３項及び第４項の規定に適合するものであるから、適法な訂正であると認められる。
　
（１０）訂正事項Ｂ−１０について
　訂正事項Ｂ−１０は、特許請求の範囲の訂正に伴って、特許請求の範囲の記載と明細書の記載とに齟齬が生じないように訂正したものである。
　また、本件訂正前の「上記処置の位置での発光を検出するようにすることにより」を、「上記
所定
　したがって、訂正事項Ｂ−１０は、誤記の訂正（特許法第１３４条の２第１項ただし書き第２号）及び明りょうでない記載の釈明（同項ただし書き第３号）を目的とするものであり、かつ、同条第５項において準用される同法第１２６条第３項及び第４項の規定に適合するものであるから、適法な訂正であると認められる。
　
（１１）訂正事項Ｂ−１２及びＢ−１３について
　訂正事項Ｂ−１２及びＢ−１３は、訂正後の各請求項に係る発明に含まれない例を参考例とし、該発明に含まれる実施形態と区別したものである。
　したがって、訂正事項Ｂ−１２及びＢ−１３は、明りょうでない記載の釈明（特許法第１３４条の２第１項ただし書第３号）を目的とするものであり、かつ、同条第５項において準用される同法第１２６条第３項及び第４項の規定に適合するものであるから、適法な訂正であると認められる。
　
（１２）請求人の主張について
　本件訂正についての請求人の主張について以下で検討する。
　ア　請求人は、「受光手段」や「受光部」は液体インク収納容器や液体インク収納カートリッジに係る発明の構成要件ではないと主張（上記２（１）参照。）するが、液体インク収納容器や液体インク収納カートリッジは、本件訂正明細書の記載からみて、記録装置のキャリッジに着脱自在に装着して使用するものであるから、液体インク収納容器や液体インク収納カートリッジをそのキャリッジに着脱自在に装着できる記録装置が備えている要素との関係で液体インク収納容器や液体インク収納カートリッジの構成を特定することは不可能ではない。
　本件訂正後の特許請求の範囲に記載されている液体インク収納容器や液体インク収納カートリッジは、液体インク収納容器や液体インク収納カートリッジをそのキャリッジに着脱自在に装着できる記録装置が備えている要素との関係でその構成を特定できているので、請求人のこの主張には理由がない。
　また、請求人は、「受光手段」が「キャリッジの移動により対向する液体インク収納容器が入れ替わるように配置され」るかどうか、「受光部」が「キャリッジの移動により対向する液体インク収納容器や液体インク収納カートリッジが入れ替わるように配置され」るかどうかは、液体インク収納容器又はカートリッジを実際に記録装置に搭載したときに確認できることであるから、液体インク収納容器又はカートリッジに係る発明の構成を限縮するものではないとも主張（上記２（３）参照。）するが、組み合わせる装置（本件では、インクタンクを装着するプリンタ本体。）の構成を構成要件とすることにより、組み合わされる装置（本件では、インクタンク。）の構成を特定するものであるということができるから、プリンタ側の構成に係る構成要件も、インクタンクの構成を特定するために必要なものであることが認められる。したがって、記録装置の構成に関するものである上記訂正も、発明の対象となる液体インク収納容器を、上記の構成を有する記録装置に着脱可能な容器に限定するものであるという意味で、特許請求の範囲の減縮を目的とするものであると認められ、請求人のこの主張には理由がない。
　
　イ　請求人は、「受光手段に投光するための光を発光する発光部」、「液体インク収納容器位置検出手段の受光手段に投光するための光を発光する発光部」、「液体インク収納カートリッジ位置検出手段の受光部に投光するための光を発光する発光部」、「液体インク収納容器位置検出手段」といった記載は本件訂正前明細書のどこにも存在しない旨主張（上記２（２）参照。）するが、本件訂正前明細書にそのとおりの記載が在るか否かということと、本件訂正前明細書にその技術事項が記載されているか否かということとは別の問題であるから、本件訂正前明細書にそのとおりの記載が存在しないことのみで、その技術事項が本件訂正により新たに加えられた構成であるとはいえないので、請求人のこの主張には理由がない。
　
　ウ　請求人は、「前記キャリッジの位置に応じて特定された」という意味が不明確である上、本件訂正前明細書には、「液体インク収納容器又はカートリッジ位置検出手段」についての説明はなく、「キャリッジの位置に応じて特定されたインク色の液体インク収納容器又はカートリッジの発光部を光らせ、その光の受光結果に基づき前記液体インク収納容器又はカートリッジ位置検出手段は前記液体インク収納容器の搭載位置を検出する」ことを可能とするための具体的構成は本件訂正前明細書に開示されていないので、これがいかなる機構を指すのかが不明であることから、「液体インク収納容器又はカートリッジ位置検出手段」とは、本件訂正により新たに加えられた構成であるなどと主張する（上記２（４）参照。）が、これを可能とするための具体的構成は上記（２）エで述べたとおり本件訂正前明細書に開示されており、「前記キャリッジの位置に応じて特定された」という意味が、移動するキャリッジの位置に応じてインク色が特定されることであることは明らかであるので、請求人のこの主張には理由がない。
　
　エ　請求人は、「記録装置が液体インク収納容器や液体インク収納カートリッジが正しい位置に搭載されているか否かを判断できるという効果」は、「液体インク収納容器又は液体インク収納カートリッジ側の構成によって実現される効果」ではない旨主張（上記２（５）参照。）するが、本件訂正が液体インク収納容器を限定するものであることは上記アで述べたとおりであるから、請求人のこの主張には理由がない。
　
　オ　請求人は、「接合」と「接続」に書き分けていたものを、確たる理由もなく「接続」に統一する本件訂正は、明りょうでない記載の釈明を目的とするものではなく、むしろ、特許請求の範囲を実質的に拡張又は変更するものであるなどと主張（上記２（６）参照。）するが、この訂正が明りょうでない記載の釈明を目的とするものであり、明細書に記載した事項の範囲内において行われたものであると認められることについては、前記（２）ウのとおりである。また、本件訂正前明細書における、インクタンクに設けられた接点と、プリンタのホルダに設けられた接点との関係について記載した部分（段落【００３３】、【００５７】〜【００６１】、【００７２】、【００８０】、図２０〜２４など）をみれば、本件訂正前特許請求の範囲における「液体収納容器に備えられる接点」と「装置側接点」との「電気的」な「結合」ないし「接続」とは、接点同士の接触により電気信号のやり取りが可能な状態となることを意味するものであることは、明らかである。したがって、請求人のこの主張には理由がない。
　
　カ　請求人は、「発光部」を「…受光部に投光するための光を発光する前記発光部」と訂正したところで、液体インク供給システムの発光部を格別の構成を有するものに限定したことにならない旨主張（上記２（７）参照。）するが、このような限定により、本件訂正発明３が後述する課題（「第７　１（２）」参照。）を解決するために役立っていることは、その実施形態（「第７　１（３）」参照。）からみて明らかであり、そもそも、特許請求の範囲を限縮する訂正は格別の構成を有するようにしなければならないといった制限はないので、請求人のこの主張には理由がない。
　
（１３）まとめ
　以上のとおりであるから、本件訂正のうち、本件１次審決の送達によりすでに確定した訂正事項Ａ−３及び訂正事項Ｂ−７を除いた残余の訂正は適法な訂正であるので、これらの訂正を認める。
　
第３　本件訂正発明
　上記のとおり、本件訂正のうち、訂正事項Ａ−３及び訂正事項Ｂ−７は、これを認めた本件１次審決の送達によりすでに確定しており、本件訂正のうち残余の訂正事項も訂正が認められるから、本件特許の請求項１ないし７に係る発明（以下「本件訂正発明１」ないし「本件訂正発明７」という。）は、本件訂正明細書、本件訂正特許請求の範囲及び本件図面の記載からみて、本件訂正特許請求の範囲の請求項１ないし７に記載された事項により特定されるとおりの次のものである。
　
「【請求項１】
　複数の液体インク収納容器を搭載して移動するキャリッジと、
　該液体インク収納容器に備えられる接点と電気的に接続可能な装置側接点と、
　前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段と、
　搭載される液体インク収納容器それぞれの前記接点と接続する前記装置側接点に対して共通に電気的接続し色情報に係る信号を発生するための配線を有した電気回路とを有し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置の前記キャリッジに対して着脱可能な液体インク収納容器において、
　前記装置側接点と電気的に接続可能な前記接点と、
　少なくとも液体インク収納容器のインク色を示す色情報を保持可能な情報保持部と、
　前記受光手段に投光するための光を発光する前記発光部と、
　前記接点から入力される前記色情報に係る信号と、前記情報保持部の保持する前記色情報とに応じて前記発光部の発光を制御する制御部と、
を有することを特徴とする液体インク収納容器。
【請求項２】
　複数の液体インク収納容器を互いに異なる位置に搭載して移動するキャリッジと、
　該液体インク収納容器に備えられる接点と電気的に接続可能な装置側接点と、
　前記キャリッジの移動により対向する前記液体インク収納容器が入れ替わるように配置され前記液体インク収納容器の発光部からの光を受光する位置検出用の受光部を一つ備え、該受光部で該光を受光することによって前記液体インク収納容器の搭載位置を検出する液体インク収納容器位置検出手段と、
　搭載される液体インク収納容器それぞれの前記接点と接続する前記装置側接点に対して共通に電気的接続し色情報に係る信号を発生するための配線を有した電気回路とを有し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置の前記キャリッジに対して着脱可能な液体インク収納容器において、
　前記装置側接点と電気的に接続可能な前記接点と、
　少なくとも液体インク収納容器のインク色を示す色情報を保持する情報保持部と、
　前記液体インク収納容器位置検出手段の前記受光部に投光するための光を発光する前記発光部と、
　前記接点から人力される前記色情報に係る信号と、前記情報保持部の保持する前記色情報とが一致した場合に前記発光部を発光させる制御部と、
を有することを特徴とする液体インク収納容器。
【請求項３】
　複数の液体インク収納容器を互いに異なる位置に搭載して移動するキャリッジと、
　該液体インク収納容器に備えられる接点と電気的に接続可能な装置側接点と、
　該液体インク収納容器からの光を受光する位置検出用の受光部を一つ備え、該受光部で該光を受光することによって前記液体インク収納容器の搭載位置を検出する液体インク収納容器位置検出手段と、
　搭載される液体インク収納容器それぞれの前記接点と接続する前記装置側接点に対して共通に電気的接続し色情報に係る信号を発生するための配線を有した電気回路とを有する記録装置と、
　前記記録装置の前記キャリッジに対して着脱可能な液体インク収納容器と、を備える液体インク供給システムにおいて、
　前記液体インク収納容器は、
　前記装置側接点と電気的に接続可能な前記接点と、
　少なくとも液体インク収納容器のインク色を示す色情報を保持する情報保持部と、
　前記液体インク収納容器位置検出手段の前記受光部に投光するための光を発光する発光部と、
　前記接点から入力される前記色情報に係る信号と、前記情報保持部の保持する前記色情報とが一致した場合に前記発光部を発光させる制御部と、を有し、
　前記受光部は、前記キャリッジの移動により対向する前記液体インク収納容器が入れ替わるように配置され、
　前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出することを特徴とする液体インク供給システム。
【請求項４】
　複数の液体インク収納カートリッジを互いに異なる位置に搭載して移動するキャリッジと、
　該液体インク収納カートリッジに備えられる接点と電気的に接続可能な装置側接点と、
　前記キャリッジの移動により対向する前記液体インク収納カートリッジが入れ替わるように配置され前記液体インク収納カートリッジの発光部からの光を受光する位置検出用の受光部を一つ備え、該受光部で該光を受光することによって前記液体インク収納カートリッジの搭載位置を検出する液体インク収納カートリッジ位置検出手段と、
　搭載される液体インク収納カートリッジそれぞれの前記接点と接続する前記装置側接点に対して共通に電気的接続し色情報に係る信号を発生するための配線を有した電気回路とを有し、前記キャリッジの位置に応じて特定されたインク色の前記液体インク収納カートリッジの前記発光部を光らせ、その光の受光結果に基づき前記液体インク収納カートリッジ位置検出手段は前記液体インク収納カートリッジの搭載位置を検出する記録装置の前記キャリッジに対して着脱可能な液体インク収納カートリッジにおいて、
　液体インクを吐出することで記録を行う記録ヘッドと、
　前記装置側接点と電気的に接続可能な前記接点と、
　少なくとも液体インク収納カートリッジのインク色を示す色情報を保持する情報保持部と、
　前記液体インク収納カートリッジ位置検出手段の前記受光部に投光するための光を発光する前記発光部と、
　前記接点から入力される前記色情報に係る信号と、前記情報保持部の保持する前記色情報とが一致した場合に前記発光部を発光させる制御部と、
を有することを特徴とする液体インク収納カートリッジ。
【請求項５】
　複数の液体インク収納容器を互いに異なる位置に搭載して移動するキャリッジと、
　該液体インク収納容器に備えられる接点と電気的に接続可能な装置側接点と、
　前記キャリッジの移動により対向する前記液体インク収納容器が入れ替わるように配置され前記液体インク収納容器の発光部からの光を受光する位置検出用の受光部を一つ備え、該受光部で該光を受光することによって前記液体インク収納容器の搭載位置を検出する液体インク収納容器位置検出手段と、
　搭載される液体インク収納容器それぞれの前記接点と接続する前記装置側接点に対して共通に電気的接続し色情報に係る信号を発生するための配線を有した電気回路とを有し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置の前記キャリッジに対して着脱可能な液体インク収納容器において、
　前記液体インク収納容器内に収納される液体インクと、
　前記装置側接点と電気的に接続可能な前記接点と、
　収納される液体インクのインク色を示す色情報を保持する情報保持部と、
　前記液体インク収納容器位置検出手段の前記受光部に投光するための光を発光する前記発光部と、
　前記接点から入力される前記色情報に係る信号と、前記情報保持部の保持する前記色情報とが対応した場合に前記発光部を発光させる制御部と、
を有することを特徴とする液体インク収納容器。
【請求項６】
　複数の液体インク収納容器が装着可能な装着部を備えて移動するキャリッジと、
　共通の信号線に接続される複数の装置側接点と、
　前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段と、
　前記共通の信号線に接続され色情報に係る信号を発生するための電気回路と、を備え、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置の前記キャリッジに対して着脱可能な液体インク収納容器において、
　前記装着部に装着されることにより、前記複数の装置側接点に接続可能な接点と、
　少なくとも液体インク収納容器のインク色を示す色情報を保持可能な情報保持部と、
　液体の収納空間を介さずに前記受光手段に対し投光可能位置に固定して配置された前記発光部と、
　前記電気回路から前記共通の信号線、前記装置側接点および前記接点を介して入力される前記色情報に係る信号と、前記情報保持部の保持する前記色情報と、に応じて前記発光部の発光を制御する制御部と、
を具えたことを特徴とする液体インク収納容器。
【請求項７】
　複数の液体インク収納容器を搭載して移動するキャリッジと、
　該液体インク収納容器に備えられる接点と電気的に接続可能な装置側接点と、
　前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段と、
　搭載される液体インク収納容器それぞれの前記接点と接続する前記装置側接点に対して共通に電気的接続し色情報に係る信号を発生するための配線を有した電気回路とを有し、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置の前記キャリッジに対して着脱可能な液体インク収納容器において、
　前記装置側接点と電気的に接続可能な前記接点と、
　少なくとも液体インク収納容器のインク色を示す色情報を保持可能な情報保持部と、
　前記受光手段に投光するための光を発光する前記発光部と、
　前記接点から人力される前記色情報に係る信号と前記情報保持部の保持する前記色情報とが一致した場合に、前記接点から前記色情報と共に入力される前記発光部の制御に係る信号に基づいて前記発光部の発光を制御する制御部と、
を有することを特徴とする液体インク収納容器。」
　
第４　請求人が主張する無効理由
１　無効理由１（特許法第１２３条第１項第４号）
（１）明確性要件違反
　ア（ア）本件訂正発明１、２、５ないし７は「液体インク収納容器」についての発明であり、本件訂正発明４は「液体インク収納カートリッジ」についての発明である。これらは、「液体インク収納容器」、「液体インク収納カートリッジ」の発明として、それ自体で技術的特徴を備え、特許請求の対象である物の発明として特定できるものでなければ、請求項の記載が明確とはいえない。
　ところが、本件訂正発明１、２、４ないし７の各請求項は、その液体インク収納容器又はカートリッジが装着されるであろう記録装置側の構造や、記録装置から送られてくる信号及びそれに基づく制御の形態について記載されている。
（イ）物の発明のクレームの記載において、その「特許請求されている物」自体の構造、動作を特定するのではなく、関連する「他の物」の構造や動作により「特許請求されている物」を特定する記載表現を用いることが直ちに請求項の記載を不明確なものとする訳ではないが、そのような記載表現が許容されるのは、「他の物」の構造等を記載することによって、「特許請求されている物」の発明が明確に特定できる場合に限ると解すべきである。「他の物」についての記載事項により「特許請求されている物」の発明特定事項が特定でき、かつ、それによって「特許請求されている物」の技術的特徴が把握される場合でなければ、上記のような記載表現は、明確性要件を欠くものといわざるを得ない。
（ウ）しかし、本件訂正発明１、２、４ないし７の場合は、「他の物」（記録装置）の構造等が記載されているが、それによって、「特許請求されている物」（液体インク収納容器、液体インク収納カートリッジ）の発明特定事項が明確に特定されることになっているとは、到底認めることができない。
　したがって、本件訂正発明１、２、４ないし７の各請求項の記載は、記録装置に関する記載によって、特許請求の範囲が不明確となっている。
（エ）サブコンビネーション発明とは、「特定構造のネジ山を有するボルト」と「該ボルトと嵌合する特定構造のネジ溝を有するナット」の例からも明らかなように、他方の物の構成に密接に関連する「特定のねじ構造」が明確に特定されているボルトとナットなどについてのものであり、このような密接に関連する構造が存在しない本件訂正発明１、２、４ないし７のケースとは明らかに異なるものである。
（オ）本件訂正発明１、２、４ないし７の「受光手段（又は受光部）に投光するための光を発光する発光部」及び「液体インク収納容器の発光部からの光を受光する位置検出用の受光手段（又は受光部）」における「投光するための光を発光する」と「液体インク収納容器の発光部からの光」との関係が不明確である。しかも、受光時における、発光部と受光手段（又は受光部）との位置関係が不明確である。「投光するための光を発光する」と光の目的を記載しても、例えば、発光部が発光する光をミラーで反射させた反射光を受光手段（又は受光部）に投光する実施形態までが含まれるように、発光部と受光手段（又は受光部）の位置関係は定まらない。
（カ）そもそも、「投光するための光を発光する」という記載は、目的を示したものに過ぎず、液体インク収納容器のどの位置に、どのような構成の「発光部」を設けるのかは何ら具体的に特定されていない。具体的な特定がなければ、「発光部」から発せられた光が「受光手段」（又は受光部）に投光されるか否かは、液体インク収納容器又はカートリッジ側では特定しようがなく、このようなクレームの記載は、液体インク収納容器又は液体インク収納カートリッジの発明特定事項としては不明確といわざるを得ない。
　
　イ　本件訂正発明６において、液体インク収納容器は「液体の収納空間を介さずに前記受光手段に対し投光可能位置に固定して配置された前記発光部」を有し、記録装置は「受光手段」を有するが、「液体の収納空間を介さずに」という記載は、具体的に何を意味するのか不明である。本件訂正明細書の段落【００２５】には、インクタンク１の内部がインクタンク収納室１１と負圧発生部材収納室１２に分割されていることの説明があるのみで、本件訂正発明６にいう「液体の収納空間」とは、これらインクタンク収納室１１と負圧発生部材収納室１２との両方を含む概念であるのか、何れか一方であるのか、本件訂正明細書には、その点についての説明が一切ない。本件訂正発明６にいう「液体の収納空間を介さず」がインク収納室１１と負圧発生部材収納室１２の双方によって実現されるとか、何れか一方によって実現されるとの記載もない。
　したがって、本件訂正発明６において「発光部」を設ける位置は不明というほかなく、本件訂正発明６は、その記載から発明を明確に特定することができず、技術的にも不明確なものとなっている。
　
　ウ（ア）本件訂正発明１ないし７の「前記キャリッジの位置に応じて特定された…」は、キャリッジ内部の各インクタンクの装着箇所に応じて特定されたという意味とも理解し得るし、移動するキャリッジのシャフト上における位置に応じて特定されたという意味とも理解できるという点で、二義的に解釈できる記載となっており、不明確である。
　したがって、本件訂正発明１ないし７は、その記載から発明を明確に特定することができず、技術的にも不明確なものとなっている。
（イ）また、仮に、上記構成における「キャリッジの位置に応じて特定された」が移動するキャリッジのシャフト上における位置に応じて特定されたという意味だと仮定しても、キャリッジがシャフト上のいかなる位置に来たときに、キャリッジ内のどのインクタンクを「光らせ」るのかについて、本件訂正発明１ないし７の構成要件は明らかにしていない。
　その結果、本件訂正発明１ないし７のクレームは、液体インク収納容器の発光部が受光手段と対向する位置ではなく、対向する位置と隣接する位置やさらに離れた位置において発光する場合はおろか、そもそもキャリッジ自体が受光手段から著しく離れた位置や障害物により光が遮断される位置にある場合など、受光手段が発光部からの発光を受光できず、結果として液体インク収納容器の位置を検出できないようなケースで特定色の液体インク収納容器の発光部を光らせる場合も含まれることになっている。
　しかし、受光手段が発光部からの発光を受光できないような場合には、そもそも発光部と受光手段との間に技術的な関連性がないといえ、本件訂正発明１ないし７は、特許請求の範囲が明確でないために、かかる技術的に意味がないような不当に広い範囲にまで特許権が及ぶおそれがあるものといえる。したがって、本件訂正発明１ないし７は、権利範囲が不当に広いという観点から見ても、明確性要件違反の無効理由があるというべきである。
　
　エ　本件訂正発明３の「液体インク収納容器位置検出手段」が本件訂正明細書の段落【００２１】以下に記載されている実施形態の記録装置のどの構成に対応するのかについての説明が一切存在しない。つまり、本件訂正発明３は、「液体インク収納容器位置検出手段」を実現するための具体的構成が例示されておらず、当該手段の意味するところが不明となっている。
　そのため、本件訂正明細書の記載からは、本件訂正発明３にいう「液体インク収納容器位置検出手段」が、どのような機構によって位置を検出するのか不明であり、「液体インク収納容器位置検出手段」と液体インク収納容器の「発光部」との位置関係や制御関係も不明であるため、本件訂正発明３を特定することができない。
　したがって、本件訂正発明３は、本件訂正後の請求項３の記載から発明を明確に特定することができず、技術的にも不明確なものとなっている。
　
　オ　以上のとおりであるから、本件訂正発明１ないし７は、特許を受けようとする発明が明確でなく、特許法第３６条第６項第２号に規定する明確性要件を満たしていない。
　
（２）サポート要件違反
　ア　本件訂正明細書にいう「制御」とは、「発光部」の発光を、いつ、どのタイミングで、点灯、点滅、消灯の何れの状態とするのかについて、自身でコントロールし、また「発光部」の点滅速度を自身で調節し得る機構を指すものというべきである。
　ところが、本件訂正明細書には、記録装置側に設けた「制御回路３００」が光照合処理等を実現すべく、「発光部」の発光を制御する構成が記載されているのみで、液体インク収納容器側に「発光を制御する制御部」や「発光部を発光させる制御部」を設ける構成はどこにも記載されていない。
　したがって、液体インク収納容器側に「発光を制御する制御部」や「発光部を発光させる制御部」が存在することになっている本件訂正発明１ないし７は、本件訂正明細書の発明の詳細な説明に記載されておらず、裏付けを欠くものとなっている。
　液体インク収納容器側の「入出力制御回路１０３Ａ」は、記録装置側から送られてくる「色情報」と自身が保持している「色情報」の一致不一致により、点灯、消灯の「制御コード」の受入、無視の処理を行っているものの、自身が「発光部の発光を制御する」ことなく、そのような発光部の点灯制御は記録装置側の「制御回路３００」で行っていることは明らかである。
　
　イ　本件訂正発明１ないし７の「…前記液体インク収納容器の搭載位置を検出する」ことに関し、入れ違えによる誤装着の場合に液体インク収納容器の「搭載位置を検出する」ことは、本件訂正明細書の発明の詳細な説明に記載されていない。
　本件訂正明細書には、例えばマゼンタとシアンの入れ違えがあった場合、受光センサは、図３０（ｂ）に示すように、マゼンタの液体インク収納容器（１Ｍ）からの光を受光しないことにより、マゼンタの液体インク収納容器（１Ｍ）がマゼンタの所定位置（Ｍ）に装着されていないことを検出できる構成は記載されている。
　しかしながら、この場合、シアン（Ｃ）の所定位置に装着されたマゼンタの液体インク収納容器（１Ｍ）からの光を受光できる訳ではないから、マゼンタの液体インク収納容器（１Ｍ）がどの位置に誤装着されているかを検出することはできない。
　つまり、本件訂正明細書には、入れ違いによる誤装着の場合に、対象の液体インク収納容器が所定の位置に装着されていないことが検出される実施形態が記載されているのみで、対象の液体インク収納容器の「搭載位置を検出する」ことまでは開示がない。
　したがって、本件訂正発明１ないし７は、本件訂正明細書の発明の詳細な説明に記載されておらず、裏付けを欠く部分が生じている。
　
　ウ　以上のとおりであるから、本件訂正発明１ないし７は、特許を受けようとする発明が、本件訂正明細書の発明の詳細な説明に記載されておらず、特許法第３６条第６項第１号に規定するサポート要件を満たしていない。
　
（３）実施可能要件違反
　ア　本件訂正発明１ないし７の液体インク収納容器又はカートリッジの「受光手段に投光するための光を発光する発光部」、「液体インク収納容器位置検出手段の前記受光部に投光するための光を発光する発光部」、「液体インク収納カートリッジ位置検出手段の前記受光部に投光するための光を発光する前記発光部」に関して、「発光部」と「受光手段」若しくは「受光部」との位置関係は特定されていない。
　すなわち、本件訂正発明１ないし７における「投光するための光」との記載は、謂わば願望の記載に止まるもので、「発光部」と「受光手段」若しくは「受光部」との位置関係を具体的に特定するものではない。
　したがって、本件訂正発明１ないし７は、液体インク収納容器又はカートリッジの任意の位置に「発光部」が存在し、それに対していかなる位置に「受光手段」や「受光部」が存在しようとも「発光部」からの光を受光することができ、それによって液体インク収納容器又はカートリッジの搭載位置が検出できることとなっており、いかなる位置関係であっても技術的範囲に含まれるように特許請求されているに等しい。
　しかし、本件訂正明細書には、いかなる位置関係であっても「発光部」から投光可能とするための実現手段は開示されていない。
　したがって、本件訂正明細書は、発光部と受光手段若しくは受光部がいかなる位置関係であっても当業者が本件訂正発明１ないし７を実施できるように明確かつ十分にその発明の実現手段が開示されているとはいえない。
　
　イ　本件訂正発明１ないし７は、キャリッジがシャフトのいかなる位置に来たときに、キャリッジ内のどのインクタンクを「光らせ」るかについての特定がなされていないところ、本件訂正明細書には、液体インク収納容器の発光部が受光手段と対向する位置ではなく、そもそもキャリッジ自体が受光手段から著しく離れた位置や障害物により光が遮断される位置にある場合であっても、「発光部」から「受光手段」への投光を可能とする実現手段は開示されていない。
　したがって、本件訂正明細書には、当業者が本件訂正発明１ないし７を実施できるように明確かつ十分にその発明の実現手段が開示されているとはいえない。
　
　ウ　以上のとおりであるから、本件訂正発明１ないし７は、発明の詳細な説明の記載が、その発明の属する技術の分野における通常の知識を有する者がその実施をすることができる程度に明確かつ十分に記載されておらず、特許法第３６条第４項第１号に規定する実施可能要件を満たしていない。
　
（４）　まとめ
　したがって、本件訂正発明１ないし７は、特許法第１２３条第１項第４号により無効とされるべきである。
　
２　無効理由２（特許法第１２３条第１項第２号）
（１）本件訂正発明１ないし７は、以下のアないしエのとおり、甲第１号証、甲第５号証に記載された発明及び周知技術（甲第２ないし４、６ないし１５号証）に基づいて、その最先の優先日前に当業者が容易に発明をすることができたものであるから、特許法第２９条第２項の規定に該当し、同法第１２３条第１項第２号により無効とされるべきである。
　ア　甲第１号証発明において、液体インク収納容器の外部からの色情報に係る信号と、情報保持部の保持する色情報とを比較した判断結果を記録装置に伝える仕方として、甲第１号証発明の電気配線を通じた伝送を、甲第３号証に記載された技術、甲第１４号証に記載された技術における、発光部の発光による記録装置への伝達に置き換えて、本件訂正発明１と甲第１号証発明との相違点に係る構成を備えることは、当業者が容易に想到し得ることである。
　
　イ　甲第５号証発明において、液体インク収納容器の外部からの色情報に係る信号と、情報保持部の保持する色情報とを比較した判断結果を記録装置に伝える仕方として、甲第５号証発明の電気配線を通じた伝送を、甲第３号証に記載された技術、甲第１４号証に記載された技術における、発光部の発光による記録装置への伝達に置き換えて、本件訂正発明３と甲第５号証発明との相違点に係る構成を備えることは、当業者が容易に想到し得ることである。
　
　ウ　本件訂正発明２、４ないし７は、上記ア及びイと同様の理由により、当業者が容易に想到し得ることである。
　
　エ　被請求人は答弁書において、検出原理が異なる点及び搭載位置を入れ違えて液体インク収納容器又はカートリッジが搭載された場合でも誤装着を検出できる点を主張するが、液体インク収納容器と記録装置との間の伝送方式をどのようにするかは設計事項であるから、甲第１号証発明又は甲第５号証発明の電気配線を通じた伝送に、甲第３号証や甲第１４号証に記載されている発光部と受光手段とを用いた情報伝送を適用することに困難性は認められない。また、そのように構成すれば、その結果として、液体インク収納容器の位置を特定し得ることは明らかである。
　
（２）甲各号証
甲第　１号証　特開２００２−３７０３７８号公報
甲第　２号証　特開２００１−２９３８８３号公報
甲第　３号証　特開２００２−５８１８号公報
甲第　４号証　特開平４−２７５１５６号公報
甲第　５号証　国際公開第０２／４０２７５号
甲第　６号証　特開２００２−１２０３７９号公報
甲第　７号証　特開２００２−２３４１８７号公報
甲第　８号証　特開２０００−１０３０８７号公報
甲第　９号証　特開平１０−４４４５１号公報
甲第１０号証　特開２００２−３０１８２９号公報
甲第１１号証　特開平１０−２３０６１６号公報
甲第１２号証　特開２００３−３００３５８号公報
甲第１３号証　特開２００２−８６６９７号公報
甲第１４号証　特開２００２−５７２４号公報
甲第１５号証　特開２００２−１４８７０号公報
　
　なお、請求人は、審判請求書において、甲第１〜１５号証に加えて甲第１６〜２０号証を挙げている。
　甲第１８号証「株式会社講談社発行『日本語大辞典』１０６４頁」には、「精気」〜「制限漢字」までの語句が収録されている。
（本件訂正発明１ないし７と関連する語句としては、「制御」、「制限」が収録されているが、その意味として、それぞれ、「調節すること」、「限界を定めること」が記載されている。）
　甲第１６、１７、１９〜２０号証は、本件特許及びその特許出願に関するもの並びに本件特許と技術的に関連する他の特許出願の審査の経緯に関するものである。
　
第５　被請求人の主張
　被請求人は、答弁書において、本件審判の請求は成り立たない、審判費用は請求人の負担とする、との審決を求め、その理由として、本件訂正明細書及び本件訂正特許請求の範囲の記載は、次の（１）のとおり、無効理由１には該当せず、本件訂正発明１〜７は、次の（２）のとおり、請求人のいう無効理由２では特許法第２９条第２項の規定に該当しないと主張する。
（１）無効理由１に対して
　ア　本件訂正発明１、２、４ないし７では、記録装置と組み合わされる該容器ないしカートリッジを規定したサブコンビネーション発明として、発光部と受光手段ないし受光部との関係を明確に規定しているので、発明の明確性を欠くものにはなっていない。本件訂正特許請求の範囲の記載において、「発光部」と「受光手段ないし受光部」との関係も、「電気回路」と「液体インク収納容器又はカートリッジ」との関係も明確であって、受光手段ないし受光部は発光部からの光を受光するものであり、液体インク収納容器又はカートリッジの搭載位置が検出されることも、発光部が受光手段又は受光部に投光するための構成も、本件訂正明細書の発明の詳細な説明に当業者が実施可能な程度に明確かつ十分に記載されており、また、「液体インク収納容器又はカートリッジ」は「電気回路」を備えた「記録装置」に装着可能なものである。
　イ　本件訂正発明７における「液体の収容空間」には、インク収納室１１及び負圧発生部材収納室１２のいずれも該当する。
　ウ　本件訂正発明３の「液体インク収納容器位置検出手段」に対応する構成の説明は、段落【００７９】、【０１０８】ないし【０１１３】に記載されているので、該手段は明確である。
　エ　請求人による「制御」の意味の解釈には根拠がなく、本件訂正特許請求の範囲に記載の「制御部」は本件訂正明細書の実施形態にサポートされている。
　
（２）甲第１号証や甲第５号証は、インクカートリッジの誤装着を検出する構成を開示するが、検出原理が本件訂正発明１ないし７と全く異なる。
　本件訂正発明１ないし７の搭載位置検出原理は、代表例として、本件訂正発明３について言うと、
「本件訂正発明３において、記録装置側の受光部は、キャリッジの移動により対向する前記液体インク収納容器が入れ替わるように配置されている。よって、キャリッジの移動により、液体インク収納容器の発光部と受光部との相対位置関係が変化する。
　そして、本件訂正発明３は、前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する。」というものである。
　甲第１号証や甲第５号証のものは、共通バス接続方式採用の下、該共通バスを利用したデータ通信を利用したものであり、本件訂正発明１ないし７の上記検出原理とは全く異なる。このような検出原理の相違は、本件訂正発明１ないし７によれば、液体インク収納容器ないしカートリッジが正しい搭載位置に搭載されているか否かを検出することができるという効果においても顕著に現れる。
　甲第１号証発明や甲第５号証発明においても、全てのインクカートリッジが正しく装着された状態から一つのインクカートリッジを交換する場合には、誤ったインク色のカートリッジの装着を誤装着として検出できるものの、インクカートリッジが正しい装着位置に装着されているか否かを検出することができないため、複数のインクカートリッジが同時に取り外され、対応するインク色のインクカートリッジが装着位置を入れ間違えて装着された場合には、インクカートリッジが誤った装着位置に装着されていることを検出することができない。
　本件訂正発明１ないし７は、液体インク収納容器ないしカートリッジが正しい搭載位置に搭載されているか否かを検出することができるため、複数の液体インク収納容器又はカートリッジが同時に取り外され、対応するインク色の液体インク収納容器又はカートリッジが装着位置を入れ間違えて装着された場合であっても、誤った搭載位置に搭載された液体インク収納容器又はカートリッジを特定して誤装着を検出することができる。この点で甲第１号証発明や甲第５号証発明よりも格段に優れている。
　以上のことから、本件訂正発明１ないし７は、特許法第２９条第２項の規定には該当しない。
　
第６　甲各号証及び先行技術文献の記載事項　　
１　甲第１号証の記載事項
（１）甲第１号証には、図とともに次の記載がある。
ア　【特許請求の範囲】
　【請求項１１】
　識別情報を格納する記憶装置を備える印刷記録材容器が複数装着される印刷装置であって、
前記複数の印刷記録材容器に備えられた各記憶装置をバス接続にて接続する信号線と、
前記印刷記録材容器の交換要求を検出する交換要求検出手段と、
前記印刷記録材容器の交換完了を検出する交換完了検出手段と、
前記複数の印刷記録材容器が全て装着されているか否かを判定する装着判定手段と、
前記複数の印刷記録材容器が全て装着されていると判定された場合には、前記信号線を介して前記各記憶装置と通信できるか否かを判定する通信判定手段と、
前記各記憶装置と通信できないと判定された場合には、前記識別情報に基づいて、通信できなかった記憶装置を備える印刷記録材容器を特定する第１の印刷記録材容器特定手段とを備える印刷装置。
　
イ　【発明の詳細な説明】
（ア）【発明の属する技術分野】
　本発明は、バス接続されている記憶装置を備えた印刷記録材容器が複数個用いられる場合に、印刷記録材容器の有無を検出する技術に関する。（段落【０００１】）
（イ）【従来の技術】
　記憶装置を備える印刷記録材容器、例えば、インクカートリッジが実用化されている。記憶装置には、例えば、印刷記録材（インク）の量に関するデータ、インクの種類に関するデータ、インクカートリッジの製造年月日情報等が格納されている。カラープリンタでは、通常、少なくともシアンインク、マゼンタインク、イエロインク、ブラックインクの４色が用いられる。したがって、ブラックインクカートリッジとカラーインクカートリッジといった２個のインクカートリッジ、または各インク色毎に４個のインクカートリッジがプリンタに装着される。（段落【０００２】）
　また、インクカートリッジに備えられた各記憶装置と制御回路とを接続する信号線数を低減するために、各記憶装置を識別するための信号線を廃止し、共通のバスを用いて各記憶装置を接続するバス接続の技術が知られている。この技術では、バス接続されている各記憶装置を特定（識別）するために、各記憶装置に対してユニークに割り当てられた識別子が利用される。（段落【０００３】）
（ウ）【発明が解決しようとする課題】
　しかしながら、バス接続形式では、インクカートリッジの取り外しは検出できるものの、複数のインクカートリッジが同時に取り外された場合には、どのインクカートリッジが取り外されたかを特定することができないという問題があった。さらに、インクカートリッジに備えられた各記憶装置とプリンタの制御回路との通信が正常に行われない場合には、いずれの記憶装置（インクカートリッジ）に異常が発生しているか報知されず、ユーザは全てのインクカートリッジを脱着して確認しなければならなかった。（段落【０００４】）
　本発明は、上記問題を解決するためになされたものであり、バス接続されている記憶装置を備える印刷記録材容器が印刷装置に複数装着される際に、印刷記録材容器に発生している通信異常を検出し、報知することを目的とする。また、いずれの印刷記録材容器が装着されていないかを検出することを目的とする。さらに、記憶装置と印刷装置との通信が正常に行われない場合に、いずれの印刷記録材容器に備えられている記憶装置が異常であるかを検出することを目的とする。（段落【０００５】）
（エ）【課題を解決するための手段およびその作用・効果】
　上記課題を解決するために本発明の第１の態様は、識別情報を格納する記憶装置が備えられた印刷記録材容器の異常検出装置を提供する。本発明の第１の態様に係る異常検出装置は、前記複数の印刷記録材容器に備えられた各記憶装置をバス接続にて接続する信号線と、前記信号線を介して全ての前記印刷記録材容器に備えられている前記記憶装置と通信できるか否かを判定する通信判定手段と、前記通信判定手段によって、全ての前記記憶装置と通信できないと判定された場合には、前記識別情報に基づいて、通信異常の発生した記憶装置を備える印刷記録材容器を特定する異常印刷記録材容器特定手段を備えることを特徴とする。（段落【０００６】）
　本発明の第１の態様に係る異常検出装置によれば、複数の印刷記録材容器に備えられている記憶装置と通信できるか否かを判定し、通信異常が発生している場合には、識別情報を用いて通信異常の発生した記憶装置を備える印刷記録材容器を特定するので、バス接続されている記憶装置を備える印刷記録材容器が印刷装置に複数装着される際に、いずれの印刷記録材容器に通信異常が発生しているかを検出することができる。ここで、通信異常の発生した記憶装置を備える印刷記録材容器を特定は、例えば、記憶装置に対して識別情報を送信し、送信した識別情報に対して記憶装置が応答するか否かに基づいて特定しても良い。あるいは、記憶装置に格納されている識別情報を検索して、目的とする識別情報が存在するか否かに基づいて特定しても良い。（段落【０００７】）
　本発明の第１の態様に係る異常検出装置はさらに、前記複数の印刷記録材容器を、印刷記録材容器の取り外しができない位置まで移動させて前記印刷記録材容器が装着されているか否かを判定する装着判定手段と、前記印刷記録材容器が装着されていないと判定された場合には、前記通信異常は、印刷記録材容器が装着されていないことに起因すると判定する通信異常理由判定手段とを備えても良い。かかる場合には、印刷記録材容器の脱着を許容しない構造を備えることによって、印刷記録材容器の有無をより確実に検出することができると共に、通信異常の理由が、印刷記録材容器の非装着に起因するものであると判断することができる。（段落【０００８】）
　本発明の第１の態様に係る異常検出装置において、前記異常印刷記録材容器特定手段は、前記複数の印刷記録材容器に対応する各識別情報を順次、検索し、検索できなかった識別情報が格納されている記憶装置を有する印刷記録材容器を、前記通信異常の発生した印刷記録材容器として特定しても良い。（段落【００１１】）
　本発明の第２の態様に係る報知装置において、前記印刷記録材容器に備えられている記憶装置は、互いにバス接続にて接続されており、前記記憶装置には固有の識別情報が格納されており、前記印刷記録材容器特定手段は、前記識別情報に基づいて、通信異常の発生した記憶装置を備える印刷記録材容器を特定しても良い。かかる構成を備える場合には、本発明の第１の態様に係る異常検出装置と同様の作用効果を得ることができる。（段落【００１７】）
　カラープリンタ１０は、図示するように、キャリッジ１１に搭載された印字ヘッドＩＨ１〜ＩＨ６を駆動してインクの吐出およびドット形成を行う機構と、このキャリッジ１１をキャリッジモータ１２によってプラテン１３の軸方向に往復動させる機構と、紙送りモータ１４によって印刷用のカット紙Ｐを搬送する機構と、制御回路３０とから構成されている。キャリッジ１１をプラテン１３の軸方向に往復動させる機構は、プラテン１３の軸と並行に架設されたキャリッジ１１を摺動可能に保持する摺動軸１５と、キャリッジモータ１２との間に無端の駆動ベルト１６を張設するプーリ１７等から構成されている。カラープリンタ１０には、インクカートリッジＣＡの交換を初めとする、プリンタ１０対する各種指示を入力するための操作ボタン、表示ランプ３５１を備える操作パネル３５が備えられている。（段落【００３３】）
　制御回路３０は、プリンタ１０を印刷記録材容器（インクカートリッジ）の異常検出装置として機能させる他、プリンタ１０の操作パネル３５と信号をやり取りしつつ、紙送りモータ１４やキャリッジモータ１２、印字ヘッドＩＨ１〜ＩＨ６の動きを適切に制御する。キャリッジ１１にはインクカートリッジＣＡ１〜ＣＡ６が装着されている。例えば、インクカートリッジＣＡ１には黒（Ｋ）インク、インクカートリッジＣＡ２にはシアン（Ｃ）インク、インクカートリッジＣＡ３にはライトシアン（ＬＣ）インク、インクカートリッジＣＡ４にはマゼンタ（Ｍ）インク、インクカートリッジＣＡ５にはライトマゼンタ（ＬＭ）インク、インクカートリッジＣＡ６にはイエロー（Ｙ）インクの各インクが収納されている。（段落【００３４】）
　次に、図２および図３を参照してインクカートリッジに備えられている記憶装置と制御回路３０（パーソナルコンピュータＰＣ）との接続状態について説明する。図２はキャリッジ１１上に装着されているインクカートリッジＣＡ１〜ＣＡ６と制御回路との接続状態を概略的に示す説明図である。図３はインクカートリッジＣＡ１〜ＣＡ６に備えられている各記憶装置２１〜２６と制御回路３０（パーソナルコンピュータＰＣ）との接続状態を示すブロック図である。なお、図３では説明を容易にするために、記憶装置２１、２２、２３、２６を備えるインクカートリッジＣＡ１、ＣＡ２、ＣＡ３、ＣＡ６とが代表して模式的に示されている。また、本実施例に係る印刷記録材容器の異常検出装置の構成は、図３に示す構成に限定されるものではない。（段落【００３６】）
　各記憶装置２１〜２６は、既述のように、インクジェットプリンタ用の６色のインクカートリッジＣＡ１〜ＣＡ６それぞれ備えられている。また、本実施例では、記憶装置として不揮発的に記憶内容を保持すると共に記憶内容を書き換え可能なＥＥＰＲＯＭを用いた。各記憶装置２１〜２６は、その内部に、識別情報を格納する記憶素子（メモリアレイ）、送信されてきた識別情報と記憶素子内に格納されている識別情報とを比較するＩＤコンパレータ、命令コードを解析するオペレーションデコーダ、アドレス位置をカウントアップするアドレスカウンタ、記憶素子に対する読み出し／書き込みを制御するＩ／Ｏコントローラ等を備えている。（段落【００３７】）
　各記憶装置２１〜２６内の記憶素子に格納されている識別情報は、それぞれインクカートリッジＣＡ１〜ＣＡ６内に収容されているインク色を識別するための識別情報である。各記憶装置２１〜２６は、制御回路３０から識別情報が送信されてくると送信されてきた識別情報と自己の識別情報とを比較解析し、解析した識別情報が記憶素子内に格納されている識別情報と一致する場合には、アクセス許可の応答信号を制御回路３０に対して送り返す。これによって、制御回路３０は、アクセスを所望するインクカートリッジＣＡ１〜ＣＡ６に対して選択的にアクセスすることができる。また、識別情報が書き込みデータと共にデータ列として送信されてきた場合には、識別情報の一致を確認後、書き込みデータの書き込みを許容する。（段落【００３８】）
　各記憶装置２１〜２６のデータ信号端子ＤＴ、クロック信号端子ＣＴ、リセット信号端子ＲＴは、データバスＤＢ、クロックバスＣＢ、リセットバスＲＢを介してそれぞれ接続されている。制御回路３０は、データ信号線ＤＬへ送出するためのデータ列を一時的に格納しておくバッファメモリを備えている。なお、信号線は、例えば、フレキシブル・フィード・ケーブル（ＦＦＣ）として実現され得る。（段落【００３９】）
　制御回路３０の電源正極端子ＶＤＤＨと各記憶装置２１〜２６の電源正極端子ＶＤＤＭとは電源供給線ＶＤＬを介して接続されている。また、各記憶装置２１〜２６の電源負極端子ＶＳＳは、キャリッジ１１上の接地線ＧＤＬに接続されている。キャリッジ１１上には、インクカートリッジＣＡ１〜ＣＡ６に備えられているカートリッジアウト検出用端子ＣＡＯＴをカスケードに接続するカートリッジアウト検出線ＣＤＬが配置されている。カートリッジアウト検出線ＣＤＬの一端は接地されており、他端はカートリッジアウト信号線ＣＯＬを介してパーソナルコンピュータＰＣのカートリッジアウト検出端子ＣＯＴと接続されている。（段落【００４０】）
　制御回路３０は、ＣＰＵ３１を介して、クロック信号生成機能、リセット信号生成機能、電源監視機能、電源回路、データ記憶回路および各回路を制御する制御機能を実現する制御装置であり、記憶装置２１〜２６に対するアクセスを制御する。制御回路３０は、カラープリンタ１０の本体側に配置されており、電源がオンされると、データ信号線ＤＬ記憶装置２１〜２６から、インク消費量、インクカートリッジの装着時間といったデータを取得しデータ記憶回路に記憶する。また、電源がオフされる際には、データ信号線ＤＬを介して記憶装置２１〜２６に対して、それぞれインク消費量、インクカートリッジの装着時間といったデータを書き込む。（段落【００４２】）
　制御回路３０は、インクジェットプリンタの電源投入時、インクカートリッジの交換時、印刷ジョブの終了時、インクジェットプリンタの電源遮断時等に、記憶装置２１〜２６に対するアクセスを実行する。制御回路３０は、記憶装置２１〜２６に対してアクセスする場合には、リセット信号生成回路に対してリセット信号ＲＳＴの生成を要求する。制御回路３０は、インクカートリッジＣＡの装着の有無、通信の状態を検出する際には、インクカートリッジＣＡ１〜ＣＡ６に対応する識別情報を順次、データ信号線ＤＬ上に送出する。これに対して、アクセスを所望するインクカートリッジＣＡが決まっている場合には、アクセスを所望するインクカートリッジＣＡの識別情報が先頭列に格納されているデータ列をデータ信号線ＤＬ上に送出して、各インクカートリッジＣＡ１〜ＣＡ６の記憶装置２１〜２６に送信する。（段落【００４３】）
　一方、制御回路３０は、いずれかのインクカートリッジＣＡが装着されておらずＣＯ≠０である、すなわち入力値が１であると判定した場合には（ステップＳ１３０：ＮＯ）、存在しない、すなわち、装着されていないインクカートリッジＣＡを検出する（ステップＳ１５０）。装着されていないインクカートリッジＣＡの検出に際しては、制御回路３０は、各記憶装置２１〜２６に割り当てられている識別情報を順次、データ信号線ＤＬへ送出する。本実施例における記憶装置２１〜２６は、送出されてきた識別情報と自己が格納する識別情報とが一致する場合には、応答信号を制御回路３０に対して送り返すので、制御回路３０は、応答信号の無い記憶装置を備えるインクカートリッジＣＡを装着されていないインクカートリッジＣＡとして検出する。（段落【００５１】）
　制御回路３０は、装着されていないインクカートリッジＣＡを検出すると、装着されていないインクカートリッジＣＡを報知する（ステップＳ１６０）。報知の態様としては、例えば、パーソナルコンピュータＰＣを介して印刷処理が実行されている場合には、表示モニタＭＮ上に表示されているインクカートリッジＣＡのステータスウィンドウにおいて、装着されていないインクカートリッジＣＡを表示したり、インクカートリッジが装着されていない旨を警告する警告文を表示するようにしても良い。あるいは、プリンタ１０の操作パネル３５上に各インクカートリッジに対応して備えられている表示ランプ３５１を点滅させるようにしても良い。（段落【００５２】）
　
　ウ　図１の記載から、複数のインクカートリッジ（印刷用記録材容器）ＣＡ１ないしＣＡ６が、移動するキャリッジ１１の互いに異なる位置に搭載されていることが見て取れる。
　
（２）甲第１号証に記載の発明
　以上の記載から、甲第１号証には、
「複数のインクカートリッジ（印刷用記録材容器）を互いに異なる位置に搭載して移動するキャリッジと、
　該インクカートリッジに備えられるデータ信号端子と電気的に接続可能なプリンタ側端子と、
　各インクカートリッジに対応して設けられ、装着されていない又は通信異常のあるインクカートリッジを点灯して示す操作パネル上の表示ランプと、
　搭載されるインクカートリッジそれぞれの前記端子と接続され、インクカートリッジを識別するための識別情報を送出するためのデータバスとを有し、装着されていない又は通信異常のあるインクカートリッジに対応する操作パネル上の表示ランプを点灯させ、その点灯結果に基づいて装着されていない又は通信異常のあるインクカートリッジを報知するカラープリンタのキャリッジに対して着脱可能なインクカートリッジであって、
　前記データバスに接続可能な前記データ信号端子と、
　インクカートリッジのインク色を識別するための識別情報を格納する記憶素子（メモリアレイ）、送信されてきた識別情報と記憶素子内に格納されている識別情報とを比較するＩＤコンパレータ等を内部に備え、前記データ信号端子から入力される識別情報と、前記記憶素子（メモリアレイ）に格納されている識別情報とが一致する場合に、応答信号をカラープリンタ側の制御回路に対して送り返す、ＥＥＰＲＯＭを用いた記憶装置とを有し、
　前記カラープリンタ側の制御回路は、前記応答信号の無い記憶装置を備えるインクカートリッジを、装着されていないインクカートリッジとして検出し、装着されていないインクカートリッジを前記表示ランプを点滅させて報知するようになっているカラープリンタに対して着脱可能なインクカートリッジ。」の発明（以下「甲第１号証発明」という。）が開示されているものと認められる。
　
２　甲第２号証の記載事項
（１）甲第２号証には、以下の記載が存在する。
　ア　【特許請求の範囲】
【請求項２１】　立体形半導体素子からの伝達を受信する手段を有する請求項１９または２０に記載のインクジェット記録装置。
　
　イ　【発明の詳細な説明】
　また本発明のインクジェット記録装置は、上記のインクタンクを搭載したものである。この場合の記録装置は、インクタンク内の立体形半導体素子へ、前記エネルギー変換手段が変換する外部エネルギーとして起電力を供給する手段を有することが好ましい。前記起電力は電磁誘導または熱または光または放射線が考えられる。更に、上記のインクジェット記録装置は、立体形半導体素子からの伝達を受信する手段を有することが好ましい。（段落【００２５】）
　（第３の実施の形態）図５は本発明の第３の実施の形態による立体形半導体素子の内部構成および外部とのやり取りを表したブロック構成図である。この図で示す形態の立体形半導体素子３１は、外部Ａから素子３１に向かって非接触で供給された起電力３２を電力３３に変換するエネルギー変換手段３４と、エネルギー変換手段３４で得た電力を用いて浮力を発生させる浮力発生手段３５とを備え、インクタンク内のインク中に配される。（段落【００５９】）
　図７は素子３１の位置を確認し、タンク交換の必要性を判断するためのフローチャートである。図５及び図７のステップＳ３１〜Ｓ３４を参照すると、外部Ａ又は外部Ｂ（例えばインクジェット記録装置）により素子３１に向けて光を発信し、その光を外部Ａ又は外部Ｂ（例えばインクジェット記録装置）又は外部Ｃで受信することにより素子３１の位置が検知され、この素子の位置によりインクタンク交換の必要があるか等をインクジェット記録装置が判断し、必要がある場合はタンク交換を音や光等で報知する。（段落【００６２】）
　この素子の位置の検出は、発光手段と受光手段が対向して設けられていて、素子の部分が光を通さないことにより位置が確認されるもの、もしくは発光手段から発した光が受光手段に向けて反射することにより確認されるものなどが用いられる。（段落【００６３】）
　本実施形態によれば、液体の比重が異なるなど素子が用いられる環境により素子に必要な浮力などが変化する場合においても、外部からの起電力をエネルギー変換手段により変換して所望の位置に常に素子が存在するように設定することができるので、素子が置かれる環境に関わらず素子を使用することが可能である。（段落【００６４】）
　なお、本実施形態は上述した第１及び第２の実施の形態に適宜組み合わせることも可能である。（段落【００６５】）
　
（２）以上の記載から、甲第２号証には、インクジェット記録装置からインクタンク内の素子に光を発信し、インクジェット記録装置で受信することにより素子の位置を検出する受光手段を設けることが開示されていると認められる。
　
３　甲第３号証の記載事項
（１）甲第３号証には、以下の記載が存在する。
　ア　【特許請求の範囲】
【請求項１】　外部からのエネルギーを異なる種類のエネルギーに変換するエネルギー変換手段と、該エネルギー変換手段で変換されたエネルギーにより発光する発光手段とを有する立体形半導体素子。
【請求項４】　前記エネルギー変換手段が変換する外部エネルギーは非接触で供給される、請求項１から３のいずれか１項に記載の立体形半導体素子。
【請求項５】　前記エネルギー変換手段で変換されたエネルギーは電力である、請求項１から４のいずれか１項に記載の立体形半導体素子。
【請求項６】　請求項１から５のいずれか１項に記載の立体形半導体素子が少なくとも１つ配されたインクタンク。
【請求項７】　請求項６に記載のインクタンクが搭載されるインクジェット記録装置であって、前記インクタンク内に配された前記立体形半導体素子の発光手段で発光され、前記インクタンク内に収容されたインクを透過した光を受光する受光手段を備えているインクジェット記録装置。
【請求項８】　複数の前記インクタンクの各々が、それぞれの前記インクタンク内に収容されたインクの種類に従って所定の位置に装着されるように構成されており、前記光を受光した前記受光手段によって前記インクタンクが不適切な位置に装着されたことが検知されたときにユーザーに警告を発する手段を備えている、請求項７に記載のインクジェット記録装置。
　
　イ　【発明の詳細な説明】
（ア）【発明の属する技術分野】
　本発明は、外部からエネルギーが供給されると発光する立体形半導体素子に関する。（段落【０００１】）
　また本発明は、上記の立体形半導体素子が配されたインクタンク、および該インクタンクが着脱可能に搭載される、ファクシミリ・プリンター・複写機等に用いられるインクジェット記録装置に関する。（段落【０００２】）
（イ）【従来の技術】
　従来、記録ヘッドに設けた複数の噴射ノズルからインクを噴射させながら、記録ヘッドを搭載したキャリッジを印字方向に移動することで、画像をドットパターンで用紙に印字するようにしたインクジェット記録装置においては、記録用のインクを収容したインクタンクを設け、そのインクタンクのインクをインク供給路を介して記録ヘッドに供給するようにしている。そこで、そのインクタンクのインクの残量を検出するようにしたインク残量検出装置が実用に供されることについても、種々提案されている。（段落【０００３】）
（ウ）【発明が解決しようとする課題】
　上述した従来公報に代表するような、インクタンク内のインク残量を検出する構成が知られているが、このような構成ではインクタンク内に検出用の電極を配置する必要がある。また、電極間の導通状態によりインク残量を検知するため、インク成分に金属イオンを用いることができない等、使用するインクに制約が生じてしまう。また、上記の構成ではインク残量しか検知することができず、インクタンク内に収容されているインクの種類等のタンク内情報を知ることができない。（段落【０００６】）
　さらに、複数のインクを用いて印字するインクジェット記録装置では、インクを無駄なく使うために、各色ごとの複数のインクタンクを所定の位置に装着する場合がある。そのようなインクジェット記録装置では、ユーザーがインクタンクを不適切な位置に装着するのを防止するために、各色のインクタンクを異なる形状にし、不適切な位置では装着できないようにすることが一般的である。しかしながら、インクの色の数だけインクタンクの形状を異ならせることで、インクタンクのコストアップに繋がる場合があった。したがって、インクタンクの形状は同じでありつつ、誤装着を防止することが可能なインクタンクが望まれている。（段落【０００７】）
　上記のようなインクタンクを開発するにあたって、本発明者らは、直径１ミリのシリコン・ボールの球面上に半導体集積回路を形成するというボール・セミコンダクター社のボール・セミコンダクターに着目した。このボールセミコンダクターは球形であるため、これをインクタンク内に収容すれば、外部との情報のやり取りを平面形に比べて非常に効率良く行えることが予想された。しかしながら、このような機能を持つものを調査したところ、ＵＳＰ５８７７９４３号のようにボール・セミコンダクター同士を電気配線で接続する技術などが存在するだけで、上記の機能を持つ素子自体の開発が必要となった。また、この素子がインクタンクに有効に適用できるものである為には、クリアしなければならない課題もあった。課題の一つは、タンク内に収容された素子を起動させるための電力の供給である。素子の起動のための電源をインクタンクに持たせるとタンクが大型になったり、タンク外部に電源を備える場合でも電源と素子との接続手段が必要になり、タンクの製造コストが増え、タンクカートリッジが高価になるので、外部より非接触で素子を起動させねばならない。（段落【０００８】）
　本発明の目的は、インクタンク内に収容されているインクの種類等の検出に用いられる立体形半導体素子を提供することにある。（段落【００１０】）
　また、本発明の更なる目的は、上記素子が配されたインクタンク、および該インクタンクが搭載されるインクジェット記録装置を提供することにある。（段落【００１１】）
（エ）【課題を解決するための手段】
　上記目的を達成するため、本発明の立体形半導体素子は、外部からのエネルギーを異なる種類のエネルギーに変換するエネルギー変換手段と、該エネルギー変換手段で変換されたエネルギーにより発光する発光手段とを有する。（段落【００１２】）
　上記のように構成された本発明の立体形半導体素子では、外部からのエネルギーを供給すると、その外部エネルギーはエネルギー変換手段によってそれとは異なるエネルギーに変換される。立体形半導体素子の発光手段は、エネルギー変換手段によって変換されて生成したエネルギーによって発光する。エネルギー変換手段および発光手段が立体形の半導体素子に作り込まれており、３次元的にエネルギー伝達が可能なので、平板形の半導体素子を用いる場合と比べて、エネルギー伝達の方向の制限も少ない。このため、外部からのエネルギーの供給および光の放射を効率良く行うことができる。（段落【００１３】）
　一般に、インクジェット記録装置等において用いられるインクは、インク色ごとに光の吸収スペクトルが異なるので、インクを透過した光のある波長における強度を検出することによって、その光が透過したインクの色種類を判別することができる。したがって、立体形半導体素子で発光した光をインク中に透過させ、その透過光のある波長における強度を検出することにより、そのインクの種類を判別することが可能になる。（段落【００１４】）
　さらに、前記エネルギー変換手段が変換する外部エネルギーは非接触で供給される構成とすることにより、素子の起動のためのエネルギー源をインクタンクに持たせたり、エネルギー供給用の配線を素子に接続する必要がなく、外部との直接的な配線を施すことが困難な箇所に使用することができる。（段落【００１７】）
　さらには、前記エネルギー変換手段で変換されたエネルギーは電力である構成としてもよい。この構成によれば、外部エネルギー変換手段として発振回路の導電体コイルを立体形半導体素子の外表面に巻き付けるように形成することにより、外部の共振回路との間で電磁誘導によって導電体コイルに電力を発生させて、素子に非接触で電力を供給することができる。（段落【００１８】）
　また、本発明のインクジェット記録装置は、上記本発明のインクタンクが搭載されるインクジェット記録装置であって、前記インクタンク内に配された前記立体形半導体素子の発光手段で発光され、前記インクタンク内に収容されたインクを透過した光を受光する受光手段を備えている。（段落【００２０】）
　さらに、複数の前記インクタンクの各々が、それぞれの前記インクタンク内に収容されたインクの種類に従って所定の位置に装着されるように構成されており、前記光を受光した前記受光手段によって前記インクタンクが不適切な位置に装着されたことが検知されたときにユーザーに警告を発する手段を備えている構成としてもよい。これによれば、ユーザはインクタンクを適切な位置に装着し直すことができる。（段落【００２１】）
（オ）【発明の実施の形態】
　外部エネルギーの供給方法としては、インクジェット記録装置に用いられる場合、素子に外部エネルギーとして起電力を供給する手段は、回復ポジション、リターンポジション、もしくはキャリッジ、記録ヘッド等に設ければ良い。（段落【００２８】）
　本発明の立体形半導体素子を備えたインクタンクを搭載するインクジェット記録装置の構成例を図５に概略図で示す。図５に示されるインクジェット記録装置６００に搭載されたヘッドカートリッジ６０１は、印字記録のためにインクを吐出する液体吐出ヘッドと、その液体吐出ヘッドに供給される液体を保持する図２〜図４に示したようなインクタンクとを有するものである。また、該インクタンク内に配された立体形半導体素子へ外部エネルギーである起電力を供給する手段６２２や前記素子から放射された光を受光する手段（不図示）が記録装置６００内に設置されている。（段落【００３２】）
　ヘッドカートリッジ６０１は、図５に示すように、駆動モータ６０２の正逆回転に連動して駆動力伝達ギヤ６０３および６０４を介して回転するリードスクリュー６０５の螺旋溝６０６に対して係合するキャリッジ６０７上に搭載されている。駆動モータ６０２の動力によってヘッドカートリッジ６０１がキャリッジ６０７ともとにガイド６０８に沿って矢印ａおよびｂの方向に往復移動される。（段落【００３３】）。
　図６において、外部共振回路１０１のコイルＬａに隣接して、発振回路１０２の導電体コイルＬを置き、外部共振回路１０１を通じてコイルＬａに電流Ｉａを流すと、電流Ｉａによって発振回路１０２のコイルＬを貫く磁束Ｂが生じる。ここで、電流Ｉａを変化させるとコイルＬを貫く磁束Ｂが変化するので、コイルＬには誘導起電力Ｖが生じる。したがって、球状シリコンにエネルギー発生手段としての発振回路１０２を作り込み、素子外部の例えばインクジェット記録装置に外部共振回路１０１を、素子側の発振回路１０２の導電体コイルＬと素子外部の共振回路１０１のコイルＬａとが隣接するように配設することにより、外部からの電磁誘導による誘導起電力で、素子を動作させる電力を発生することが出来る。（段落【００４０】）
　図７は、本発明の立体形半導体素子を用いたインクタンクの概略構成図である。この図で示す立体形半導体素子５２６は、インクタンク５２１内の生インク５２２の液面付近に浮遊しており、インクタンク５２１外の外部共振回路（不図示）によって電磁誘導による起電力を誘起させられ、立体形半導体素子５２６の表面に付近に配設されたフォトダイオードが駆動されることで、光を発する。その光は、インク５２２を透過し、インクタンク５２１の外部の光センサ５５０で受光される。（段落【００５７】）
　図８に、代表的なインク（イエロー、マゼンタ、シアン、ブラック）の吸光波長を示す。図８からわかるように、イエロー、マゼンダ、シアン、ブラックの各色のインクは、３００〜７００ｎｍの波長帯において吸光率のピークが分散している。各色のインクの吸光率のピークは、イエローが約３９０ｎｍ、マゼンダが約５００ｎｍ、ブラックが約５９０ｎｍ、シアンが約６２０ｎｍである。そのため、３００〜７００ｎｍの範囲の波長を含む光を立体形半導体素子から発光させ、その光をインク中に透過させてインクタンク外にある光センサ５５０（図７参照）で受光し、どの波長が最も吸収されたかを検知することで、光が透過したインクの色が上記のうちのいずれであるかを判別することができる。（段落【００５８】）
　また、複数のインクタンクの各々が、それぞれのインクタンク内に収容されたインクの種類に従って所定の位置に装着されるように構成されているインクジェット記録装置においては、インクタンク内のインクを透過した光を受光した光センサ５５０によってインクタンクが不適切な位置に装着されたことが検知されたときにユーザーに警告を発する手段が備えられていてもよい。この場合の警告手段としては、ランプ等の発光手段やブザー等の鳴音手段などを用いることができる。ユーザーは、警告手段による警告によってインクタンクを誤った位置に装着したことを知り、そのインクタンクを本来の位置に装着し直すことができる。（段落【００６１】）
　　　　　【図６】
　　　　　【図７】
　
（２）甲第３号証に記載の発明
　上記各記載によれば、甲第３号証には、「複数のインクタンクを搭載して移動するキャリッジと、前記インクタンクの発光手段からの光を受光する光センサを備えたインクジェット記録装置に対して着脱可能なインクタンクにおいて、前記光センサに投光するための光を発光する前記発光手段を有するインクタンク。」の発明（以下「甲第３号証発明」という。）が開示されているものと認められる。
　
４　甲第４号証の記載事項
（１）甲第４号証には、以下の記載が存在する。
　ア　【特許請求の範囲】
【請求項１】　インクタンクと印字ヘッドとを一体化したインクカードリッジを着脱自在に搭載するインクジェットプリンタにおいて、前記印字ヘッドの通電回数をカウントするカウント手段と、このカウント手段によるカウント値を累積記憶する記憶手段と、この記憶手段による記憶値に基づいて前記インクタンクのインク残量を報知する報知手段とを具備したことを特徴とするインクジェットプリンタ。
【請求項３】　インクタンクと印字ヘッドとを一体化したインクカードリッジ本体と、このインクカートリッジ本体に着脱自在に装着され、前記印字ヘッドの通電回数累積値を記憶する記憶手段、及びこの記憶手段による記憶値に基づいて前記インクタンクのインク残量を報知する報知手段を備えたアダプタとからなることを特徴とするインクカートリッジ。
　
　イ　【発明の詳細な説明】
（ア）【課題を解決するための手段】
　本発明は、インクタンクと印字ヘッドとを一体化したインクカードリッジを着脱自在に搭載するインクジェットプリンタにおいて、印字ヘッドの通電回数をカウントするカウント手段と、このカウント手段によるカウント値を累積記憶する記憶手段と、この記憶手段による記憶値に基づいてインクタンクのインク残量を報知する報知手段とを備えたものである。（段落【０００７】）
（イ）【実施例】
　１９はインクカートリッジであって、インクタンク２０と印字ヘッド２１とを一体的に構成したものである。インクタンク２０内には、図示しないがインクを染み込ませたスポンジが充填されている。またインクタンク２０の上面には、インクエンド表示用のＬＥＤ２２とニアエンド表示用のＬＥＤ２３が取付けられている。さらに、上記インクタンク２０の側面にＰＣ板２４が取付けられている。このＰＣ板２４には、前記印字ヘッド２１の制御回路、各ＬＥＤ２２、２３の表示回路及び後述するＥＥＰＲＯＭ（電気的消去形プログラマブルＲＯＭ）４１が装備されている。また、インクタンク２０から突出している部分が接点パターンになっており、この部分を前記ＰＣ板コネクタ１７に挿入することによって、インクカートリッジ１９がキャリッジ１６に着脱自在に装着されることになる。（段落【００１５】）
　
　ウ　　　　　　　　【図１】
　
（２）上記各記載によれば、甲第４号証には、インクジェットプリンタにおいて、印字ヘッドの通電回数をカウントし、通電回数累積値が一定値に達するとインク残量が少なくなった旨をインクタンクに設けたＬＥＤで報知する構成が開示されている。
　
５　甲第５号証の記載事項
（１）甲第５号証には、以下の記載が存在する。
　ア　請求の範囲
（第１項）
　印刷装置に装着されると共に識別情報を格納する記憶装置を有する印刷記録材容器を識別する識別装置であって、
　前記記憶装置に格納されている識別情報を利用して、前記装着された印刷記録材容器が装着されるべき正しい印刷記録材容器であるか否かを判定する判定手段とを備える印刷記録材容器の識別装置。（４５頁２行〜６行）
（第２項）
　請求の範囲第１項に記載の印刷記録材容器の識別装置はさらに、
　前記判定手段によって、前記装着された印刷記録材容器が装着されるべき正しい印刷記録材容器でないと判定された場合には、誤った印刷記録材容器が装着された旨を報知する報知手段を備える印刷記録材容器の識別装置。（４５頁８行〜１１行）
（第４項）
　請求の範囲第１項ないし請求の範囲第３項のいずれかに記載の印刷記録材容器の識別装置において、
　前記印刷装置には複数の印刷記録材容器が既定の装着位置にそれぞれ装着されており、
　前記判定手段は、前記各装着位置に装着されるべき印刷記録材容器と前記装着位置とを関連付ける装着位置情報を有し、前記装着された印刷記録材容器に装着されている記憶装置の識別情報と前記装着位置情報とに基づいて、前記装着された印刷記録材容器が装着されるべき正しい印刷記録材容器であるか否かを判定することを特徴とする印刷記録材容器の識別装置。（４５頁１９行〜４６頁１行）
（第１６項）
　収容されている印刷記録材の種類に対応した識別情報を格納する記憶装置を有する複数の印刷記録材容器が装着される印刷装置における印刷記録材容器の交換制御装置であって、
　印刷記録材の交換要求を検出する交換要求検出手段と、
　前記交換の要求された印刷記録材を内包する印刷記録材容器を交換位置まで移動させる印刷記録材容器移動手段と、
　前記交換位置に移動された前記印刷記録材容器の取り外しを検出すると共に、取り外しに続く印刷記録材容器の装着を検出する脱着検出手段と、
　前記識別情報を利用して、前記装着された印刷記録材容器が交換の要求された印刷記録材を内包する正しい印刷記録材容器であるか否かを判定する判定手段とを備える印刷記録材容器の交換制御装置。（４９頁２６行〜５０頁１０行）
　
　イ　技術分野
　本発明は、印刷装置における印刷記録材容器の識別技術に関し、さらに詳細には印刷記録材容器交換に際して正しい印刷記録材容器が装着されたか否かを識別する技術に関する。（１頁５行〜７行）
　
　ウ　発明の背景
　複数色のインクカートリッジ（印刷記録材容器）を備えるカラープリンタにおいて、インクカートリッジの交換時におけるインクカートリッジの誤装着、すなわち、交換されるべきインク色とは異なるインクカートリッジの装着、を防止するための技術が提案されている。例えば、インク色毎にインクカートリッジの外形形状を変更し、誤ったインクカートリッジが物理的に装着できないようにする技術が知られている。
　また、同一の外形形状を有するインクカートリッジを用いる場合には、一個のインクカートリッジのみが脱着可能な開口部を有するカバーをプリンタ上に設け、交換されるべきインクカートリッジを開口部まで移動させて、交換されるべきインクカートリッジのみの脱着を許容する技術が知られている。
　しかしながら、インク色毎に異なる外形形状を有するインクカートリッジを用いる場合には、インクカートリッジを再利用する際にインク色毎にしかインクカートリッジを再利用することができず、リサイクル効率が悪いという問題があった。また、インクカートリッジの誤装着は防止できても交換を要しないインクカートリッジを誤まって取り外してしまうという問題は防止することができなかった。さらに、インク色毎にインクカートリッジ用の異なる金型を作成しなければならず、コスト高になるという問題があった。
　インクカートリッジを所定の交換位置まで移動させる技術では、交換されるべきでないインクカートリッジの誤った取り外しは防止できても、装着されたインクカートリッジが正しいインクカートリッジであるか否かまでは検出することはできず、誤装着は防止できないという問題があった。（１頁１０行〜２頁４行）
　
　エ　発明の開示
　本発明は、上記問題を解決するためになされたものであり、外形的な識別形状を用いることなく印刷記録材容器交換時における印刷記録材容器の誤装着を防止することを目的とする。また、交換されるべきでない印刷記録材容器の誤った取り外しを防止することを目的とする。（２頁７行〜１０行）
　本発明の第３の態様は、印刷記録材の種類に対応する識別情報を格納する記憶装置を備えると共に前記印刷記録材の種類に応じて印刷装置上に既定の位置に装着される印刷記録材容器の識別方法を提供する。本発明の第３の態様に係る印刷記録材容器の識別方法は、前記印刷記録材容器の取り外しを検出し、前記取り外された印刷記録材容器が装着されていた装着位置を記憶し、前記印刷記録材容器の装着を検出し、前記記憶装置に格納されている識別情報を利用して、前記装着された印刷記録材容器の印刷記録材の種類を識別し、前記装着された印刷記録材容器の装着位置と、前記装着された印刷記録材容器の印刷記録材の種類とに基づいて、正しい印刷記録材容器が装着されたか否かを判定しても良い。
　本発明の第３の態様に係る印刷記録材容器の識別方法によれば、取り外された印刷記録材容器の装着位置と、記憶装置に格納されている識別情報を利用して、装着された印刷記録材容器が装着されるべき正しい印刷記録材容器であるか否かを判定するので、外形的な識別形状を用いることなく印刷記録材容器交換時における印刷記録材容器の誤装着を検出することができる。
　本発明の第３の態様に係る印刷記録材容器の識別方法において、誤った印刷記録材容器が装着されたものと判定した場合には、誤った印刷記録材容器の装着を報知しても良い。（６頁１１行〜７頁１行）
　
　オ　発明を実施するための最良の形態
［第１実施例］
　図３はカラープリンタ１０の制御回路３０の内部構成を示す説明図である。（１５頁４行〜５行）
　制御回路３０は、パーソナルコンピュータＰＣから受信した制御信号に従ってプリンタ１０の各部の動作を制御する。（１６頁１９行〜２０行）
　制御回路３０の内部構成について、図３を参照して説明する。制御回路３０には、ＣＰＵ３１、ＰＲＯＭ３２、ＲＡＭ３３、インクカートリッジＣＡ１〜ＣＡ４に備えられた記憶装置、紙送りモータ１０５やキャリッジモータ１０３等とデータのやり取りを行う周辺機器入出力部（ＰＩＯ）３４、タイマ３５、駆動バッファ３６等が設けられている。駆動バッファ３６は、インク吐出用ヘッドＰＮ１〜ＰＮ４にドットのオン・オフ信号を供給するバッファとして使用される。（１７頁２行〜７行）
　制御回路３０は、インクカートリッジＣＡの交換時には、取り外されたインクカートリッジと新たに装着されたインクカートリッジＣＡとが同一のインク種を内包するインクカートリッジであるか否かを識別する。（中略）制御回路３０によって実行される詳細なインクカートリッジの識別処理の流れについては、以下に説明する。（１７頁１２行〜１８行）
　各記憶装置２０、２１、２２、２３は、図５に示すようにインクジェットプリンタ用の４色のインクカートリッジＣＡ１、ＣＡ２、ＣＡ３、ＣＡ４それぞれ備えられているものとする。（１８頁１行〜３行）
　各記憶装置２０、２１、２２、２３のデータ信号端子ＤＴ、クロック信号端子ＣＴ、リセット信号端子ＲＴは、データバスＤＢ、クロックバスＣＢ、リセットバスＲＢを介してそれぞれ接続されている（図４および図７参照）。パーソナルコンピュータＰＣとデータバスＤＢ、クロックバスＣＢ、リセットバスＲＢとは、データ信号線ＤＬ、クロック信号線ＣＬ、リセット信号線ＲＬを介して接続されている。（１８頁８行〜１３行）
　記憶装置２０は、メモリアレイ２０１、アドレスカウンタ２０２、ＩＤコンパレータ２０３、オペレーションコードデコーダ２０４、Ｉ／Ｏコントローラ２０５および工場設定ユニット２０６を備えている。（２０頁１７行〜１９行）
　ＩＤコンパレータ２０３は、クロック信号端子ＣＴ、データ信号端子ＤＴ、リセット信号端子ＲＴと接続されており、データ信号端子ＤＴを介して入力されたデータ列に含まれる識別データとメモリアレイ２０１に格納されている識別データとが一致するか否かを判定する。（中略）ＩＤコンパレータ２０３は、両識別データが一致する場合には、アクセス許可信号ＥＮをオペレーションコードデコーダ２０４に送出する。（２１頁１３行〜２４行）
　オペレーションコードデコーダ２０４は、アクセス許可信号ＥＮが入力されると、取得した書き込み／読み出しコマンドを解析してＩ／Ｏコントローラ２０５に対して書き込み処理要求または読み出し処理要求を送出する。（２２頁３行〜６行）
　Ｉ／Ｏコントローラ２０５は、データ信号端子ＤＴ、メモリアレイ２０１と接続されており、オペレーションコードデコーダ２０４からの要求に従ってメモリアレイ２０１に対するデータ転送方向ならびにデータ信号端子ＤＴに対する（データ信号端子ＤＴと接続されている信号線の）データ転送方向を切り換え制御する。（２２頁９行〜１３行）
　パーソナルコンピュータＰＣは、既述のようにカートリッジアウト信号ＣＯＯに基づいてインクカートリッジＣＡ１が装着されるまで待機し（ステップＳ２２０：Ｎｏ）、インクカートリッジＣＡ１が装着されると（ステップＳ２２０：Ｙｅｓ）、インクカートリッジＣＡ１の記憶装置２０が保有する識別データに対応する識別データをデータバスＤＢ上に送信する（ステップＳ２３０）。
　パーソナルコンピュータＰＣは送信した識別データに対して応答があるか否かを判定する（ステップＳ２４０）。すなわち、装着されるべきインクカートリッジＣＡ１が装着されている場合には、送信された識別データに対応する識別データを保有する記憶装置２０が応答し、誤ったインクカートリッジＣＡが装着されている場合には、いずれの記憶装置も記憶装置２０に対応する識別データに対して応答することができない。パーソナルコンピュータＰＣは、応答がない場合には（ステップＳ２４０：Ｎｏ）、誤ったインクカートリッジＣＡが装着されている旨を報知し（ステップＳ２５０）、ステップＳ２２０に戻り、再度、正しいインクカートリッジＣＡの装着を検出する。誤ったインクカートリッジＣＡの装着の報知は、例えば、操作パネル１３上配置されているランプＬＭを点滅させても良い。（２６頁２１行〜２７頁１０行）
　
［第３実施例］
　第３実施例に係るインクカートリッジの識別処理は、交換用開口部１４を備えず、ユーザが任意のインクカートリッジＣＡを脱着可能なプリンタに適している。なお、第３実施例に係るインクカートリッジの識別処理は、交換用開口部１４および交換対象となるインクカートリッジＣＡの移動を必要としないものの、第１実施例に係るインクカートリッジの識別装置に対して適用可能であるから、以下の説明では第１実施例に係るインクカートリッジの識別装置において用いた符号と同一の符合を用いるものとする。（３１頁５行〜１１行）
　第３実施例に係るインクカートリッジの識別処理は、インクカートリッジＣＡ１〜ＣＡ４の初期装着終了後、インクカートリッジＣＡが空になったとき等に実行される。（３１頁１４行〜１６行）
　パーソナルコンピュータＰＣは、インク交換要求が発生したと判定した場合には（ステップＳ４００：Ｙｅｓ）、インクカートリッジ特定処理を実行する（ステップＳ４１０）。本実施例では、ユーザによって任意のインクカートリッジＣＡが脱着され得るので、取り外されたインクカートリッジＣＡが、交換を要求されたインクカートリッジＣＡと同一であるか否かを特定するためのインクカートリッジ特定処理が必要となる。（３１頁２５行〜３２頁４行）
　パーソナルコンピュータＰＣは、先ず、交換を要求されたインクカートリッジＣＡを特定する（ステップＳ４１００）。（中略）以下の説明では、説明の便宜上、インクカートリッジＣＡ１の交換要求が発生したものとする。　パーソナルコンピュータＰＣは、カートリッジアウト信号ＣＯＯの入力値ＣＯが１となるまで、すなわち、インクカートリッジＣＡが取り外されるまで待機する（ステップＳ４１１０：Ｎｏ）。かかる場合、パーソナルコンピュータＰＣは、どのインクカートリッジＣＡが取り外されたかまでは特定することはできず、いずれかのインクカートリッジＣＡの取り外しを待機することとなる。パーソナルコンピュータＰＣは、カートリッジアウト信号ＣＯＯの入力値ＣＯ＝１を検出すると（ステップＳ４１１０：Ｙｅｓ）、先に特定したインクカートリッジＣＡ１に対応する識別データをデータバスＤＢ上に送出する（ステップＳ４１２０）。
　パーソナルコンピュータＰＣは、データバスＤＢ上に送出した識別データに対して応答があるか否かを判定する（ステップＳ４１３０）。既述のように各インクカートリッジＣＡ１〜ＣＡ４の記憶装置２０〜２３は、自己の保有する識別データと一致する識別データを受信しない限り応答しないので、識別データをデータバスＤＢ上に送出することによって交換を要求されたインクカートリッジＣＡ１が正しく取り外されたか否かを検出することができる。パーソナルコンピュータＰＣは、インクカートリッジＣＡ１に備えられている記憶装置２０からの応答を検出しない場合には（ステップＳ４１３０：Ｎｏ）、交換を要求されたインクカートリッジＣＡ１が正しく取り外されたものと判定し、図１６の処理ルーチンにリターンする。すなわち、以上の処理により、交換要求されたインクカートリッジＣＡ１と取り外されたインクカートリッジＣＡとが同種のインクカートリッジＣＡであることが識別される。そして、次に、図１５に示す処理ルーチンにて、装着されたインクカートリッジＣＡがインクカートリッジＣＡ１と同種のインクカートリッジＣＡであるか否かを判定する。
　一方、パーソナルコンピュータＰＣは、インクカートリッジＣＡ１に備えられている記憶装置２０からの応答を検出した場合には（ステップＳ４１３０：Ｙｅｓ）、全ての記憶装置２０〜２３が保有する識別データに対応する識別データを順次、データバスＤＢ上に送出する（ステップＳ４１４０）。かかる場合には、交換を要求されたインクカートリッジＣＡ１以外のインクカートリッジＣＡが取り外されており、いずれのインクカートリッジＣＡが取り外されたかを特定する必要があるからである。
　パーソナルコンピュータＰＣは、データバスＤＢ上に順次、送出した識別データのうち、応答のなかった識別データに対応する記憶装置を備えるインクカートリッジＣＡを特定すると共に、実際に取り外されたインクカートリッジＣＡの情報として図示しないＲＡＭ上に一時的に格納する（ステップＳ４１５０）。パーソナルコンピュータＰＣは、誤ったインクカートリッジＣＡが取り外された旨を報知し（ステップＳ４１６０）、図１６に示す処理ルーチンにリターンする。以上の処理によって、交換要求のあったインクカートリッジＣＡ１に代わって実際に取り外されたインクカートリッジＣＡを特定（識別）することができる。このインクカートリッジ特定処理を実行することによって、取り外されたインクカートリッジＣＡと装着されたインクカートリッジＣＡとが同一種のインクカートリッジＣＡであるか否かを判定することができる。（３２頁６行〜３４頁３行）
　パーソナルコンピュータＰＣは、新たなインクカートリッジＣＡの装着を検出するまで、すなわち、ＣＯ＝０を検出するまで待機する（ステップＳ４２０：Ｎｏ）。パーソナルコンピュータＰＣは、ＣＯ＝０を検出すると（ステップＳ４２０：Ｙｅｓ）、インクカートリッジ特定処理において特定したインクカートリッジＣＡに対応する識別データをデータバスＤＢ上に送信する（ステップＳ４３０）。
　パーソナルコンピュータＰＣは、特定したインクカートリッジＣＡ（あるいは、インクカートリッジＣＡ１）に備えられている記憶装置（あるいは、記憶装置２０）からの応答を検出した場合には（ステップＳ４４０：Ｙｅｓ）、新たなインクカートリッジＣＡが正しく装着されたものと判断し、本処理ルーチンを終了する。一方、パーソナルコンピュータＰＣは、特定したインクカートリッジＣＡに備えられている記憶装置からの応答を検出しなかった場合には（ステップＳ４４０：Ｎｏ）、先に取り外されたインクカートリッジＣＡと同種のインクカートリッジＣＡが装着されなかったものと判断し、誤ったインクカートリッジＣＡが装着された旨を報知し（ステップＳ４５０）、正しいインクカートリッジＣＡの装着を再度、試みる（ステップＳ４１０〜ステップＳ４４０）。なお、誤ったインクカートリッジＣＡの報知は、第１実施例において説明した形態に準じて実行される。（３４頁８行〜２５行）
　
［その他の実施例］
　図２１に示す実施例では、搭載されているインクカートリッジＣＡに対応する数だけキャリッジ１０１上にＬＥＤ１８が備えられている。インクカートリッジＣＡの交換時には、制御回路３０は、キャリッジ１０１をインク交換位置１９まで移動させた後、交換の対象となるインクカートリッジＣＡに対応するＬＥＤ１８を点灯または点滅させて、交換対象となるインクカートリッジＣＡをユーザに指し示す。（４１頁１７行〜２２行）
　上記実施例では、パーソナルコンピュータＰＣによってインクカートリッジＣＡの識別処理が実行されているが、これら一連の処理をカラープリンタ２０の制御回路３０によって実行してもよい。かかる場合には、インクカートリッジＣＡの識別処理をカラープリンタ２０単独で実行することができる。（４３頁１行〜４行）
　
　カ　第２図、第２１図の記載から、複数のインクカートリッジ（印刷用記録材容器）ＣＡ１ないしＣＡ４が、移動するキャリッジ１０１の互いに異なる位置に搭載されていることが見て取れる。
　
(２)　甲第５号証に記載の発明
　以上の記載から、甲第５号証には、
「複数のインクカートリッジ（印刷用記録材容器）を互いに異なる位置に搭載して移動するキャリッジと、
　該インクカートリッジに備えられるデータ信号端子と電気的に接続可能なプリンタ側端子と、
　各インクカートリッジに対応して設けられ、交換対象となるインクカートリッジを点灯して示すキャリッジ上のＬＥＤと、
　搭載されるインクカートリッジそれぞれの前記端子と接続され、インクカートリッジを識別するための識別データを送出するためのデータバスとを有し、交換対象となるインクカートリッジに対応するキャリッジ上のＬＥＤを点灯させ、その点灯結果に基づいて交換対象となるインクカートリッジを報知するカラープリンタのキャリッジに対して着脱可能なインクカートリッジであって、
　前記データバスに接続可能な前記データ信号端子と、
　インクカートリッジの識別データを格納するメモリアレイ、前記データ信号端子から入力される識別データと、前記メモリアレイに格納されている識別データとに応じて応答するＩＤコンパレータ等を備え、前記データ信号端子から入力される識別情報と、前記記憶素子（メモリアレイ）に格納されている識別情報とが一致する場合に、カラープリンタ側の制御回路に対して応答する記憶装置とを有し、
　前記カラープリンタ側の制御回路は、前記応答がない記憶装置を備えるインクカートリッジを、装着されていないインクカートリッジとして検出するようになっているカラープリンタに対して着脱可能なインクカートリッジ。
　」の発明（以下「甲第５号証発明」という。）が開示されているものと認められる。
　
６　甲第１０号証の記載事項
　甲第１０号証には、以下の記載がある。
（１）【特許請求の範囲】
【請求項１】
　被記録媒体にインクを吐出口から吐出する記録ヘッドと、該記録ヘッドに供給するためのインクを貯蔵するインクタンクと、前記記録ヘッド及びインクタンクを搭載するキャリッジを有するインクジェット記録装置において、
　前記キャリッジ上にインク色と同じ色相の警告ランプを設け、前記インクタンク内のインク残量を検知する検知手段によってインクタンク内のインクが無くなった場合に対応する前記警告ランプを点灯させるようにしたことを特徴とするインクジェット記録装置。
【請求項２】
　前記警告ランプをインクタンクに設けたことを特徴とする請求項１記載のインクジェット記録装置。
　
（２）【発明の詳細な説明】
　斯かる従来のインクジェット記録装置において、インク残量が殆ど無いことを警告する手段としては、警告音・本体上部に警告灯の点灯・点滅等の方法がある。（段落【０００３】）
　しかし、従来のインクジェット記録装置には、インクタンク付近には残量検知表示が設けられていないため、交換すべきインクタンクを誤認する可能性があった。（段落【０００４】）
　本発明は上記問題に鑑みてなされたものであり、その目的とする処は、インクの残量が少量又は空のインクタンクをユーザーが容易且つ間違いなく判別することができるインクジェット記録装置を提供することにある。（段落【０００５】）
　図３及び図４に示すように、ほぼ箱状のキャリッジ３内には、ブラック、シアン、マゼンタ及びイエローのインクをそれぞれ吐出することができる４つのインクジェット記録ヘッドから成る記録ヘッド１と、各インクジェット記録ヘッドにブラック、シアン、マゼンタ及びイエローのインクをそれぞれ供給する４つのインクタンク２ｂｋ、２ｃ、２ｍ、２ｙとが収容されている。（段落【００２０】）
　
７　甲第１４号証の記載事項
　甲第１４号証には、以下の記載がある。
【発明が解決しようとする課題】
　上述した従来公報に代表するような、インクタンク内のインク残量を検出する構成が知られているが、このような構成ではインクタンク内に検出用の電極を配置する必要がある。また、電極間の導通状態によりインク残量を検知するため、インク成分に金属イオンが用いられない等の、使用するインクに制約が生じてしまう。（段落【０００６】）
（作用）
　上記のとおりの立体形半導体素子では、素子外部から非接触で電磁波の信号を与えると、受信兼エネルギー変換手段はその電磁波を電力へと変換し、この変換された電力により情報入手手段、判断手段、情報蓄積手段、および情報伝達手段が起動する。判断手段は、受信兼エネルギー変換手段で受信した電磁波の信号が所定の応答条件を満たした場合に前記情報入手手段により素子周囲の環境情報を入手させ、この入手情報とこれに対応する前記情報蓄積手段に蓄積された情報とを比較し、情報伝達の必要性を判断する。そして、情報伝達の必要があると判断した場合に、判断手段は入手情報を情報伝達手段により外部へ伝達させる。（段落【００２９】）
　さらに、立体形半導体素子を動作させるための電力を非接触で供給する構成であるので、素子の起動のための電源をインクタンクに持たせたり、電力供給用の配線を素子に接続する必要がなく、外部との直接的な配線を施すことが困難な箇所に使用することができる。（段落【００３３】）
　例えば、発振回路の導電体コイルを立体形半導体素子の外表面に巻き付けるように形成することにより、外部の共振回路との間で電磁誘導によって導電体コイルに電力を発生させて、素子に非接触で電力を供給することができる。（段落【００３４】）
　
【発明の実施の形態】
　以下、本発明の実施の形態について図面を参照して説明する。特に、各色のインクタンク中にそれぞれ立体形半導体素子を配置した場合の実施形態について詳細に説明する。尚、この素子はインクタンクのみに収納するものでなく、他の対象物中に配して用いても同様の効果が得られる。（段落【００３７】）
　各色のインクタンクにはそれぞれ応答条件が異なる通信機能を有する立体形半導体素子１１が配されていて、インクタンク５００外に設けられたインクジェット記録装置６００の通信回路１５０と通信可能となっている。（段落【００３９】）
　通信回路１５０は周波数変調器１５２と誘導コイル１５１からなる共振回路１０２によって、インクタンク５００に設けられた立体形半導体素子１１の通信手段と通信可能になっている。立体形半導体素子１１は共振回路１０２の電磁誘導による共振で通信できる構成になっている。このような通信機能を持たせるために、立体形半導体素子１１の表面には図２に示すように誘導コイルＬが巻き付けられている。また、各色ごとの素子の応答条件を変更するために、特に本例では各色ごとに立体形半導体素子上のコイルＬの巻き数や長さなどを変えて、各色ごとの立体形半導体素子１１においてそれぞれ共振周波数を異ならせている。通信回路１５０は周波数変調器１５２により電磁誘導周波数を変調することが可能で、これにより通信したい色に対応した立体形半導体素子の共振周波数に同調させて、色ごとに独立した通信を可能としている。例えば通信回路１５０によってシアン色に対応する共振周波数に同調させた信号を送ると、その信号に対しシアン色のタンク内の素子のみが応答する。（段落【００４０】）
　立体形半導体素子１１は、記録装置６００内の通信回路１５０から送られてきた電磁波１２の信号を受信し、その電磁波１２を電力１３に変換する受信兼エネルギー変換手段（コイルを備えた発振回路）１４と、通信兼エネルギー変換手段１４で得た電力により起動する情報入手手段１５と判断手段１６と情報蓄積手段１７と情報伝達手段１８を備えている。通信手段１４、情報入手手段１５および情報伝達手段１８は立体形半導体素子１１の表面もしくは表面付近に形成されていることが望ましい。（段落【００４４】）
　判断手段１６は、受信兼エネルギー変換手段（コイルを備えた発振回路）１４が受信した電磁波１２によって共振している場合は電磁波１２の信号を受け入れ、共振しない場合は受け入れない。そして、電磁波１２の信号を受け入れると、情報入手手段１５に素子１１の周囲環境情報であるインクタンク内の情報（例えば、インク残量、インク色材濃度、ｐｈ、温度など）を入手させ、この入手したタンク内部情報と情報蓄積手段１７に記憶してある情報とを比較し、入手したタンク内部情報を外部へ伝達する必要があるかを判断する。情報蓄積手段１７は、入手するタンク内部情報と比較する諸条件や情報入手手段１５より入手したタンク内部情報を蓄積する。ここで、情報蓄積手段１７に予め設定してある条件に基づく判断手段１６の判断は、例えばインク残量が２ミリリットル以下になったり、インクのｐｈが大きく変化したりした為にタンク交換が必要との判断を行うことが挙げられる。（段落【００４５】）
　情報伝達手段１８は、判断手段１６の命令によって電力を、タンク内情報を外部へ伝達するためのエネルギーに変換して、外部へインク内部情報を表示、伝達する。この伝達するためのエネルギーは磁界、光、形、色、電波、音などを使用することが可能であり、例えばインク残量が２ミリリットル以下になったと判断された場合には音を鳴らしてタンク交換が必要であることを外部に伝達する。また、伝達先はインクジェット記録装置の通信回路１５０のみでなく、特に光、形、色や音などの場合は人の視覚や聴覚に伝達してもよい。さらに、インク残量が２ミリリットル以下になったと判断された場合には音で、インクのｐｈが大きく変化したときには光で知らせるなど、情報に応じてその伝達方法を変えてもよい。（段落【００４６】）
　本形態によれば、各色のインクタンクにそれぞれ異なる周波数で応答する通信機能を有する立体形半導体素子を配しているので、所望の色のタンクと個別に情報のやりとりを行なうことができる。（段落【００４７】）
　図４は、記録装置本体側の通信回路１５０と立体形半導体素子１１の間で電磁誘導によりディジタルＩＤをやり取りする概念の説明図である。この図を参照すると、まずディジタルＩＤをＤ３ｈ（ｈはＤ３が１６進数表示であることを示す添え字である。）とすると（同図（ａ））、通信回路１５０はこれを２進数「１１０１００１１」に変換し（同図（ｂ））、これに対応した電磁誘導波形にする（同図（ｃ））。ディジタル値１を１周期の正弦波、０を出力０とする。これを通信回路１５０により電磁誘導で発信すると（同図（ｄ））、インクタンク内の立体形半導体素子１１は同調して、素子１１上のコイルＬで同様の波形を得る（同図（ｅ））。これを素子１１はコンパレータ回路等でディジタル２進数列に変換し（同図（ｆ））、ディジタルＩＤであるＤ３ｈを得ることができる（同図（ｇ））。（段落【００５０】）
　そして判断手段１６は、入手した１６進数のＩＤを情報蓄積手段１７に予め記憶されている１６進数の識別ＩＤと比較する。比較が一致した場合はＩＤの後に続く情報を受け入れ、一致しない場合は受け入れない。（段落【００５２】）
　
　　　　　　　　　　　　【図３】
　
８　先行技術文献１の記載事項
　本件特許の最先の優先日前に日本国内において頒布された刊行物であり、本件１次審決で引用された刊行物である特開２００３−２９１３６４号公報（以下「先行技術文献１」という。）には、図とともに次の（１）ないし（３）の記載がある。
　
（１）【特許請求の範囲】
【請求項２１】
　請求項１から１１のいずれか１項に記載の液体収納容器を搭載可能なキャリッジと、光によって前記液体収納容器を識別するための検出手段とを有し、前記液体収納容器の液体を吐出して記録する液体吐出記録装置。
【請求項２２】
　前記検出手段は発光源と受光部を有し、前記発光源は点光源である請求項２１に記載の液体吐出記録装置。
　
（２）【発明の効果】
　反射体を構成するルーフ状ミラーのパターン（数、幅などの変更）により多種の反射光分布パターンが得られるので、ルーフ状ミラーのパターン構成の異なる反射体を各々のインクタンクごとに配置し、反射体からの反射光の光量分布における位置、幅、強度等のパターンの違いを利用することにより、色ごとの液体収納容器（インクタンク）を識別することができる。このため、液体収納容器をその収容液の色に対応する所定の位置に装着する液体吐出記録装置（インクジェット記録装置）において、別の色の位置への誤装着を検出でき、誤った記録画像を記録することが防止できる。（段落【０１１４】）
　
（３）図２から、フォトセンサＰＳは１つであることが看取できる。
　　
９　先行技術文献２の記載事項
　本件特許の最先の優先日前に日本国内において頒布された刊行物であり、１次審決で引用された刊行物である特開平１１−２６３０２５号公報（以下「先行技術文献２」という。）には、図とともに以下の（１）ないし（３）の記載がある。
（１）【特許請求の範囲】
【請求項６】
　インク用にキャリッジ内の交換可能インク・カートリッジのアイデンティティに基づいてプリンタ動作を制御するための装置において、
　前記プリンタ内を通る印刷媒体の移動に対して横方向に移動可能である、２つ以上のカートリッジ位置を含むキャリッジと、
　キャリッジ移動手段と、
　前記キャリッジに着脱自在に取り付けられたインク・リザーバ及び印刷ヘッドを含む２つ以上の交換可能インク・カートリッジと、
　前記カートリッジ上の少なくとも１つの指標装置であり、前記キャリッジのどのカートリッジ位置にどのインク・リザーバが取り付けられているかを前記コントローラに識別させる符号化された情報を含み、第１の光信号の反射或は吸収のための光学的反射画像及び光学的無反射画像を含み、前記第１の光信号の反射部分が第２の光信号を構成していることから成る指標装置と、
　光信号読取り装置であり、前記カートリッジが当該読取り装置に対して横方向に移動する際に前記指標装置上に符号化情報を読み取り、反射及び／或は吸収した光信号に応じて前記プリンタ・コントローラに電気的出力信号を生成する光信号読取り装置であり、前記指標装置を照射するために前記指標装置に向かって前記第１の光信号を放出するための発光ダイオードと、前記指標装置が当該光信号読取り装置に対して横方向に移動する際に前記指標装置上に前記第１の光信号を集束させるための少なくとも１つのレンズと、前記指標装置から反射された前記第２の光信号を受け取り、前記プリンタ・コントローラに前記電気的出力信号を作成するための検出器とを含むことから成る光信号読取り装置と、を備える装置。
【請求項９】
　前記インク・カートリッジが、イェローのインク・カートリッジと、シアンのインク・カートリッジと、マゼンタのインク・カートリッジとを含む、請求項６に記載の装置。
【請求項１０】　前記読取り装置からの前記電気的出力信号に応じて、１つ或は複数の間違ったインク・カートリッジ位置に対してプリンタ動作をロックアウトするためのプリンタ制御アルゴリズムを更に含む、請求項６に記載の装置。
　
（２）【発明の実施の形態】
　複数キャリッジの場合、或は単一キャリッジ上に複数のカートリッジ位置がある場合、カートリッジ或はキャリッジに関する全ての符号化された情報がコード読取り器５４に隣接して通過できるように、コード読取り器５４は、好ましくは、サポート・レール６０に沿ったキャリッジ移動距離に対して略中央に配置される。前の実施例のように、指標装置（複数も可）がコード読取り器５４近辺を通過し、該コード読取り器が符号化情報を読み取れるように、カートリッジを交換するか或はプリンタに電源を投入すると、キャリッジ（複数も可）は矢印５が示す方向に十分な距離だけ移動させられる。（段落【００２６】）
　プリンタ・コントローラへの電気的出力信号をプリンタ制御アルゴリズムと組み合わせて使用でき、カートリッジ内に含まれるインクのタイプ或は色に応じて印刷ヘッド上のヒータの動作温度或は発火パラメータを変更する。異なるカラー・インクを含む複数カートリッジの場合、プリンタ・アルゴリズムは、異なる色の隣接カートリッジに対する、ある色のインク・カートリッジの位置も示すことができる。特定の色のインク・カートリッジがキャリッジ内の間違った位置に取り付けられた場合、プリンタ・コントローラ内のアルゴリズムを使用でき、プリンタをロックアウトし、間違ったカートリッジ位置をユーザに通知するか、或は特定のインク・カラーが必要とする動作パラメータに対応するように印刷ヘッド動作を調整する。」（段落【００２７】）
　
（３）図２から、検出器２６が１つであることが看取できる。
　
第７　当審の判断
１　本件訂正発明１ないし７の課題
（１）　本件訂正明細書には、次のとおりの記載がある。
　ア　「このようなプリンタでは、特に信号線の数が増すことはコストを増すなどの要因となる。一方で、配線数を削減するためにはバス接続といった所謂共通の信号線の構成が有効であるが、単にバス接続のような共通の信号線を用いる構成では、インクタンクもしくはその搭載位置を特定することができないことは明らかである。」（段落【０００９】）
　
　イ　「本発明はこのような問題を解消するためになされたものであり、その目的とするところは、複数のインクタンクの搭載位置に対して共通の信号線を用いてＬＥＤなどの表示器の発光制御を行い、この場合でもインクタンクなど液体インク収納容器の搭載位置を特定した表示器の発光制御をすることを可能とすることにある。」（段落【００１０】）
　
　ウ　「以上の構成によれば、記録装置の本体側の接点（コネクタ）と接続する液体インク収納容器であるインクタンクの接点（パッド）を介して入力される信号と、そのインクタンクの色情報とに基づいて発光部の発光を制御するので、先ず、搭載される複数のインクタンクが共通の信号線によってその同じ制御信号を受け取ったとしても、色情報に合致するインクタンクのみがその発光制御を行うことができ、これにより、インクタンクを特定した発光部の点灯など発光制御が可能となる。次に、このようなインクタンクを特定した発光制御が可能な場合、例えば、キャリッジに搭載された複数のインクタンクについて、その移動に伴い所定の位置で順次その発光部を発光させるとともに、上記所定の位置での発光を検出するようにすることにより、発光が検出されないインクタンクは誤った位置に搭載されていることを認識できる。これにより、例えば、ユーザに対してインクタンクを正しい位置に再装着することを促す処理をすることができ、結果として、インクタンクごとにその搭載位置を特定することができる。」（段落【００１９】）
　
　エ　「この結果、複数のインクタンクの搭載位置に対して共通の信号線を用いてＬＥＤなどの表示器の発光制御を行い、この場合でもインクタンクなど液体インク収納容器の搭載位置を特定した表示器の発行制御をすることが可能となる。」（段落【００２０】）
　
　オ　「第１受光部２１０は、インクタンク１のＬＥＤ１０１からの発光を受けて、それに応じた信号を制御回路３００へ出力する。制御回路３００は、後述のように、この信号に基づき、それぞれのインクタンク１のキャリッジ２０５における位置を判断することができる。また、…エンコーダスケール２０９が設けられ…エンコーダセンサ２１１が設けられ…このセンサの検出信号は…制御回路３００に入力し、これにより、キャリッジ２０５の移動位置を知ることができる。」（段落【００７９】）
　
　カ　「Ａ番目のインクタンクが装着されていると判断したときは、…該当する色情報のインクタンク１のＬＥＤ１０１を点灯する。…４つのインクタンク総てについて装着確認制御が終了し…総てのインクタンクについて、ＬＥＤ１０１の点灯がされたか否かを判断する。いずれかのインクタンクのＬＥＤ１０１が点灯していないと判断したときは、ステップＳ３０２以降の処理を繰り返す。…総てのインクタンクのＬＥＤが点灯したと判断したときは、…正常にインクタンクが装着されたか否かを判断する。装着が正常と判断したときは、…着脱処理が正常終了したか否かを判断する。…着脱処理が正常に終了したと判断したときは、…カバー２０１が閉じられたか否かを判断する。ここで、本体カバーが閉じられたと判断したときは、ステップＳ１０５の光照合処理に移行する。」（段落【０１０１】ないし段落【０１０７】）
　
　キ　「光照合処理は、正常に装着されたインクタンクそれぞれが正しい位置に装着されているか否かを判断する処理である。本実施形態では、インクタンクの装着位置について、例えば、インクタンクと装着位置の形状を他のインクのインクタンクが装着できないような形状とし、それぞれの色のインクタンクに対応して装着位置を定めるような構成をとらないことから、それぞれの色のインクタンクについて本来の位置でないところに誤って装着される可能性がある。このため、本光照合処理を行い、誤って装着されている場合は、ユーザにその旨を知らせるものである。これにより、特に、インクタンクの形状を色ごとに異ならせることなく、インクタンクの製造の効率化や低コスト化を図ることができる。」（段落【０１０８】）
　
　ク　「図２９（ａ）に示すように、先ず、第１受光部２１０に対して、図中左側から右側へ移動キャリッジ２０５を開始する。そして、最初に、イエローインクのインクタンク１Ｙが装着されるべき位置のインクタンクが第１受光部２１０に対向する位置で、インクタンク１ＹのＬＥＤ１０１を発光させる（図２４にて説明したように、実際は点灯し所定時間後消灯すること、以下、本照合処理では同様）。インクタンク本来の正しい位置に装着されているとき、第１受光部２１０はＬＥＤ１０１の発光を受光することができ、制御回路３００は、その装着位置にはインクタンク１Ｙが正しく装着されていると判断する。
　キャリッジ２０５を移動しつつ、同様にして、図２９（ｂ）に示すように、マゼンタインクのインクタンク１Ｍが装着されるべき位置のインクタンクが第１受光部２１０に対向する位置で、インクタンク１ＭのＬＥＤ１０１を発光させる。同図に示す例は、インクタンク１Ｍが正しい位置に装着されていて第１受光部２１０はその発光を受光することを示している。順次、図２９（ｂ）〜（ｄ）に示すように、判断する装着位置を変えながら発光を行って行く。これらの図は、正しい位置に装着されている例を示している。
　これに対し、図３０（ｂ）に示すように、マゼンタインクのインクタンク１Ｍが装着されるべき位置にシアンインクのインクタンク１Ｃが誤って装着されているときは、第１受光部２１０に対向しているインクタンク１ＣのＬＥＤ１０１は発光せず、別の位置に搭載されているインクタンク１ＭのＬＥＤ１０１が発光する。この結果、このタイミングでは、第１受光部２１０は受光できないことから、制御回路３００は、その装着位置にはインクタンク１Ｍ以外のインクタンクが装着されていると判断する。これに対応して、図３０（ｃ）に示すように、シアンインクのインクタンク１Ｃが装着されるべき位置にマゼンタインクのインクタンク１Ｍが誤って装着されており、第１受光部２１０に対向しているインクタンク１ＭのＬＥＤ１０１は発光せず、別の位置に搭載されているインクタンク１ＣのＬＥＤ１０１が発光する。
　以上説明した光照合処理を行うことにより、制御回路３００は本来の位置に装着されていないインクタンクを特定することができる。また、装着されるべき位置に正しいインクタンクが装着されていなかった場合には、その装着位置において、他の３色のインクタンクを順に発光させる制御を行うことによって、その装着位置に誤って何色のインクタンクが装着されてしまったかを特定することもできる。」（段落【０１１０】ないし段落【０１１３】）
　
（２）上記（１）のアないしエの記載によれば、本件訂正発明１ないし７の課題は、キャリッジに複数の液体インク収納容器を搭載して使用する記録装置において、コストを低減するため、記録装置と液体インク収納容器との間の配線の方式に、全液体インク収納容器に共通の信号線を用いる共通バス接続の方式を採用した場合でも、各液体インク収納容器がインク色に従ってキャリッジの所定の位置に正しく装着されているか否かを検出することにある。
　すなわち、共通バス接続の方式を採用した場合に、記録装置側からの要求に応じて、単純に液体インク収納容器が保持するインク色の情報と合致する場合に当該液体インク収納容器から応答の信号が返るようにしても、例えばイエローの液体インク収納容器とマゼンタの液体インク収納容器の搭載位置を逆にして装着した場合には、それぞれの液体インク収納容器がキャリッジ内にあることだけが検出されるだけで、それ以上にどの搭載位置につき誤装着があるかを検出できないので、その余の構成を加えて、共通バス接続の方式を採用した場合でも液体インク収納容器の搭載位置の誤り（誤装着）を検出できるようにするというものである。
　
（３）そして、上記（１）のオないしクの記載によれば、本件訂正発明１ないし７の実施形態として、本件訂正明細書には次のものが記載されているものと認められる
「液体インク収納容器であるインクタンクのそれぞれに発光部であるＬＥＤ１０１を１つずつ設け、
　記録装置の本体側に第１受光部となる受光手段を１つ設け、
　記録装置のキャリッジに、例えば４色で１組である４つのインクタンクをそのインクタンクのインク色に対応して決まっている箇所に装着し、装着されたインクタンクの接点（パッド）が本体側の接点（コネクタ）と当接して電気的に接続した状態で、
　記録装置の本体側の制御回路３００は、本体側の接点（コネクタ）へ１番目の色情報を指定する信号を出力し、各インクタンクの制御部は、記録装置の本体側の接点（コネクタ）と接続するインクタンクの接点（パッド）を介して本体側から入力される信号の１番目の色情報と、そのメモリアレイ１０３Ｂに記憶されている色情報とを比較し、両色情報に基づいてそれらが一致したと判断した場合には、そのメモリアレイ１０３Ｂに記憶されている１番目の色情報を前記制御回路３００に読み出させて、前記制御回路３００は、メモリアレイ１０３Ｂに記憶されている１番目の色情報を読み出すことができた場合は、１番目のフラグＦ（１）を“１”にセットして当該インクタンクのＬＥＤ１０１を発光させ、メモリアレイ１０３Ｂに記憶されている１番目の色情報を読み出すことができなかった場合には、１番目のフラグＦ（１）を“０”のままにしておき、２番目、３番目、４番目と、各色情報について同様の処理を順次行って、４つの色情報に対応する４つのフラグＦ（１）ないしＦ（４）がすべて“１”にセットされて総てのインクタンクのＬＥＤ１０１が点灯したと判断した後に、
　１番目の色情報が示すインク色のインクタンクが装着されるべきキャリッジの箇所に装着されたインクタンクのＬＥＤ１０１が発光した光は前記第１受光部に投光されるがキャリッジの他の箇所に装着されたインクタンクのＬＥＤ１０１が発光した光は前記第１受光部に投光されない位置にキャリッジを移動させ、前記制御回路３００から１番目の色情報とともにＬＥＤ１０１の点灯を指示する信号を出力し、各インクタンクの制御部は、本体側から入力される信号の１番目の色情報と、そのメモリアレイ１０３Ｂに記憶されている色情報とを比較し、両色情報に基づいてそれらが一致したと判断した場合には、そのインクタンクのＬＥＤ１０１を発光させるとともに、このとき、このＬＥＤ１０１からの光は、１番目の色情報が示すインク色のインクタンクがキャリッジの正しい箇所に装着されていれば前記第１受光部に受光され、１番目の色情報が示すインク色のインクタンクがキャリッジの正しい箇所に装着されていなければ前記第１受光部に受光されないから、前記第１受光部がＬＥＤ１０１からの光を受光したか否かを前記第１受光部からの出力が入力されている前記制御回路３００が判断し、２番目、３番目、４番目と、各色情報について同様の処理を順次行って、前記第１受光部からの入力で発光が検出されなかった色情報が示すインク色のインクタンクは誤った位置に搭載されていることを認識し、装着されるべき位置に正しいインクタンクが装着されていなかった場合には、キャリッジのその装着されるべき位置に装着されたインクタンクのＬＥＤ１０１が発光した光は前記第１受光部に投光されるがキャリッジの他の箇所に装着されたインクタンクのＬＥＤ１０１が発光した光は前記第１受光部に投光されない位置にキャリッジを位置させておいて、他の３つの色情報について、色情報とともにＬＥＤ１０１の点灯を指示する信号を順に前記制御回路３００から出力させて他の３つのインクタンクのうち、そのメモリアレイ１０３Ｂに記憶されている色情報が本体側から入力される信号の色情報と一致するインクタンクを順に発光させ、前記第１受光部で発光したＬＥＤからの光を受光したことを検出することによって、そのとき前記制御回路３００から出力した信号の色情報が示すインク色のインクタンクがその装着されるべき位置に誤って装着されてしまったインクタンクであることを特定するようにして、インクタンクごとにその搭載位置を特定することができるようにしたもの。」
　
２　無効理由１について
（１）明確性要件違反について
　ア（ア）物の発明のクレームの記載において、その「特許請求されている物」自体の構造、動作を特定するのではなく、関連する「他の物」の構造や動作により「特許請求されている物」を特定する記載表現を用いることが直ちに請求項の記載を不明確なものとする訳ではないことは、請求人のいうとおりであり、そのことにより、請求項に係る発明が明確でない場合にはじめて明確性要件違反に該当する。
（イ）請求人は、本件訂正発明１、２、４ないし７の「受光手段（又は受光部）に投光するための光を発光する発光部」及び「液体インク収納容器の発光部からの光を受光する位置検出用の受光手段（又は受光部）」における「投光するための光を発光する」と「液体インク収納容器の発光部からの光」との関係が不明確であると主張するとともに、受光時における、発光部と受光手段（又は受光部）との位置関係が不明確であり、「投光するための光を発光する」と光の目的を記載しても、例えば、発光部が発光する光をミラーで反射させた反射光を受光手段（又は受光部）に投光する実施形態までも含まれるように、発光部と受光手段（又は受光部）の位置関係は定まらない、「投光するための光を発光する」という記載は、目的を示したものに過ぎず、具体的な特定がないので、「発光部」から発せられた光が「受光手段」（又は受光部）に投光されるか否かは、液体インク収納容器又はカートリッジ側では特定しようがなく、このようなクレームの記載は、液体インク収納容器又は液体インク収納カートリッジの発明特定事項としては不明確といわざるを得ないなどと主張する。
（ウ）「液体インク収納容器又はカートリッジ」は、記録装置本体に装着して印刷などに用いるものであるが、「液体インク収納容器又はカートリッジ」と「記録装置本体」とは別々にも販売され、特に、交換用の「液体インク収納容器又はカートリッジ」は、記録装置とは別に単独で販売されるものであるところ、どんな「液体インク収納容器又はカートリッジ」であっても、どの「記録装置本体」にでも装着して用いることができる訳ではなく、「液体インク収納容器又はカートリッジ」の種類と「記録装置本体」の種類とが対応するもの同士を組み合わせて利用するものであることは一般常識である。
（エ）上記１の（２）、（３）及び上記（ウ）からみて、本件訂正発明１ないし７の「液体インク収納容器又はカートリッジ」と「記録装置本体」との関係は、請求人がいうところの「特定構造のネジ山を有するボルト」と「該ボルトと嵌合する特定構造のネジ溝を有するナット」との関係と同様の関係であって、本件訂正発明１、２、４ないし７の「液体インク収納容器又はカートリッジ」は「記録装置本体」との関係において、サブコンビネーション発明といえるものである。
（オ）本件訂正発明１ないし７は、上記１（２）の「キャリッジに複数の液体インク収納容器を搭載して使用する記録装置において、コストを低減するため、記録装置と液体インク収納容器との間の配線の方式に、全液体インク収納容器に共通の信号線を用いる共通バス接続の方式を採用した場合に、記録装置側からの要求に応じて、単純に液体インク収納容器が保持するインク色の情報と合致する場合に当該液体インク収納容器から応答の信号が返るようにしても、例えば黄色の液体インク収納容器とマゼンタの液体インク収納容器の搭載位置を逆にして装着した場合には、それぞれの液体インク収納容器がキャリッジ内にあることだけが検出されるだけで、それ以上にどの搭載位置につき誤装着があるかを検出できない」という課題を解決するために、その余の構成を加えて、共通バス接続の方式を採用した場合でも液体インク収納容器の搭載位置の誤り（誤装着）を検出できるようにするというものであり、上記１（３）の実施形態から明らかであるが、本件訂正発明１ないし７は、「液体インク収納容器又はカートリッジ」と「記録装置本体」とにそれぞれその余の構成を加えて、それぞれその余の構成が加わった「液体インク収納容器又はカートリッジ」と「記録装置本体」とを組み合わせて使用することによって、上記課題が解決されるものである。
（カ）したがって、本件訂正発明１ないし７の「液体インク収納容器又はカートリッジ」と、これと組み合わせて印刷等に利用する「記録装置」とを、互いの構成の相互の関係である「受光手段（又は受光部）に投光するための光を発光する発光部」及び「液体インク収納容器の発光部からの光を受光する位置検出用の受光手段（又は受光部）」といった表現で特定すること自体が明確でないといったことはなく、「投光するための光を発光する」と「液体インク収納容器の発光部からの光」との関係が不明確であるということはなく、上記１（２）の課題や上記１（３）の実施形態からみて、装着されたそれぞれのインクタンクのＬＥＤ１０１が発光した光が所定のタイミングで第１受光部に投光され、所定のタイミングで第１受光部がその光を受光できればよいのであって、受光時における、発光部と受光手段（又は受光部）との具体的位置関係をそれ以上に特定しなければならないことはない。また、そのようなことを「受光手段（又は受光部）に投光するための光を発光する発光部」と表現したことを明確でないとまではいえない。「液体インク収納容器又はカートリッジ」の構成である「発光部」から発せられた光が「記録装置」側の構成である「受光手段」（又は受光部）に投光されるか否かを、「液体インク収納容器又はカートリッジ」のみで直接的に特定することは困難であるので、「液体インク収納容器又はカートリッジ」がそのキャリッジに搭載される「記録装置」側の構成を特定することで、「液体インク収納容器又はカートリッジ」を間接的に特定した点を問題にして明確でないとはいえない。
　
　イ（ア）請求人は、本件訂正発明６において、液体インク収納容器は「液体の収納空間を介さずに前記受光手段に対し投光可能位置に固定して配置された前記発光部」を有し、記録装置は「受光手段」を有するが、「液体の収納空間を介さずに」という記載は、具体的に何を意味するのか不明であるから、本件訂正発明６は、その記載から発明を明確に特定することができず、技術的にも不明確なものとなっている旨主張する。
（イ）本件訂正発明６は「液体インク収納容器」の発明であるところ、「液体インク収納容器」が液体インクを収納するために「液体の収納空間」を有していることは当業者に自明の事項である。
（ウ）してみると、本件訂正発明６において、「液体の収納空間を介さずに前記受光手段に対し投光可能位置に固定して配置された前記発光部」とは、「液体インク収納容器」が「発光部」を具え、該「発光部」が「液体の収納空間」を介さずに「記録装置」側の「受光手段」に対し投光可能位置に固定して配置されることを意味しており、このことは、「液体インク収納容器」が具えている「発光部」は、「液体インク収納容器」が「記録装置のキャリッジ」に装着された状態で、キャリッジが所定の位置にあるときに発光すると、その発光による光が「液体インク収納容器」が液体インクを収納するために有している「液体の収納空間」を通過することなく「記録装置」側の「受光手段」に到達するような「液体インク収納容器」の位置に、固定して配置されることを意味していることが明らかである。
（エ）したがって、本件訂正発明６の「液体の収納空間を介さずに」という点が明確でないとはいえない。
　
　ウ（ア）請求人は、本件訂正発明１ないし７の「前記キャリッジの位置に応じて特定された…」は、キャリッジ内部の各インクタンクの装着箇所に応じて特定されたという意味とも理解し得ると主張するが、「前記キャリッジの位置に応じて特定されたインク色の前記液体インク収納容器又はカートリッジ」との記載における「前記キャリッジ」はその記載より前に記載されている「キャリッジ」を指していることが明らかであるところ、本件訂正特許請求の範囲の各請求項の記載では「前記キャリッジ」の記載より前に「移動するキャリッジ」と記載されている。してみると、「前記キャリッジの位置に応じて特定された…」は、移動するキャリッジの位置に応じてインク色が特定されることを意味しているのであって、キャリッジ内部の各インクタンクの装着箇所に応じてインク色が特定されたという意味に理解することはできない。
（イ）また、請求人は、キャリッジがシャフト上のいかなる位置に来たときに、キャリッジ内のどのインクタンクを「光らせ」るのかについて、本件訂正発明１ないし７の構成要件は明らかにしていない結果、受光手段が発光部からの発光を受光できないなどと主張する。
　しかしながら、上記１（３）の実施形態からみて、本件訂正発明１ないし７の「前記キャリッジの位置に応じて特定されたインク色」とは、液体インク収納容器又はカートリッジの搭載位置を検出するために発光部を発光して光を受光手段又は受光部に投光するために、液体インク収納容器又はカートリッジに備えられる接点から入力されるインク色を示す色情報に係る信号と、液体インク収納容器又はカートリッジの情報保持部の保持する少なくとも液体インク収納容器又はカートリッジのインク色を示す色情報とに応じて前記発光部の発光を制御する際に、入力する信号の色情報が示すインク色とキャリッジを移動すべき位置とが対応させてあることを前提にしているから、キャリッジの位置とインク色とが対応し、キャリッジの位置に応じてインク色が特定できるものと解される。
　また、本件訂正発明１、２、５ないし７では、「受光部」は「液体インク収納容器の発光部からの光を受光する」ものであり、本件訂正発明４では、受光部」は「液体インク収納カートリッジの発光部からの光を受光する」ものであり、本件訂正発明３では、「位置検出用の受光部」は「液体インク収納容器からの光を受光する」ものであって、「液体インク収納容器」は前記受光部に投光するための光を発光する発光部を有するものであるから、本件訂正発明１ないし７には、受光手段又は受光部が発光部からの発光を受光できないものは含まれない。
　
　エ（ア）請求人は、本件訂正発明３の「液体インク収納容器位置検出手段」は、本件訂正明細書の段落【００２１】以下に記載されている実施形態の記録装置のどの構成に対応するのかについての説明が一切存在しないため、本件訂正明細書の記載からは、どのような機構によって位置を検出するのか不明であり、「液体インク収納容器位置検出手段」と液体インク収納容器の「発光部」との位置関係や制御関係も不明であって、本件訂正発明３は、本件訂正後の請求項３の記載から発明を明確に特定することができず、技術的にも不明確なものとなっている旨主張する。
（イ）しかし、上記１（３）で述べた実施形態により、移動するキャリッジの互いに異なる位置に搭載した複数の液体インク収納容器からの光を受光する受光部で該光を受光することによって前記液体インク収納容器の搭載位置を検出することができることが明らかであり、上記１（３）で述べた実施形態における「発光部であるＬＥＤ１０１を１つずつ設けたインクタンク」、「記録装置の本体側に１つ設けた第１受光部となる受光手段」及び「例えば４色で１組である４つのインクタンクをそのインクタンクのインク色に対応して決まっている箇所に装着した記録装置のキャリッジ」が、それぞれ、本件訂正発明３の「液体インク収納容器」、「液体インク収納容器からの光を受光する受光部」及び「複数の液体インク収納容器を互いに異なる位置に搭載して移動するキャリッジ」に相当するから、本件訂正発明３の「液体インク収納容器位置検出手段」の実施例は、上記１（３）で述べた実施形態として、本件訂正明細書の発明の詳細な説明に記載されているといえる。しかるところ、本件訂正発明３では、「位置検出用の受光部」は「液体インク収納容器からの光を受光する」ものであって、「液体インク収納容器」は前記受光部に投光するための光を発光する発光部を有するものであるから、「液体インク収納容器からの光」は「液体インク収納容器」が有する「前記受光部に投光するための光を発光する発光部」からの光であると解するのが妥当であり、そのように解することは、上記１（３）で述べた実施形態の内容と整合する。
　したがって、本件訂正発明３の「液体インク収納容器位置検出手段」は、本件訂正明細書の段落【００２１】以下に記載されている実施形態の記録装置のどの構成に対応するのかについての説明がないとしても、本件訂正明細書の記載からは、どのような機構によって位置を検出するのかは当業者であれば把握でき、「液体インク収納容器位置検出手段」と液体インク収納容器の「発光部」との相互の関係も相互の制御関係も明確でないとまではいえない。よって、本件訂正発明３は、本件訂正後の請求項３の記載から発明を特定することができないとまではいえない。
　
　オ　以上のとおりであるから、上記「第４　１（１）」のアないしオの請求人が主張する理由によって、本件訂正発明１ないし７は特許を受けようとする発明が明確でないとまではいえず、本件訂正発明１ないし７は特許法第３６条第６項第２号に規定する要件を満たしていないとすることはできない。
　
（２）サポート要件違反について
　ア（ア）請求人は、液体インク収納容器側に「発光を制御する制御部」や「発光部を発光させる制御部」が存在することになっている本件訂正発明１ないし７は、本件訂正明細書の発明の詳細な説明に記載されておらず、裏付けを欠くものとなっている旨主張するとともに、本件訂正明細書の記載では、液体インク収納容器側の「入出力制御回路１０３Ａ」は、記録装置側から送られてくる「色情報」と自身が保持している「色情報」の一致不一致により、点灯、消灯の「制御コード」の受入、無視の処理を行っているものの、自身が「発光部の発光を制御する」ことなく、そのような発光部の点灯制御は記録装置側の「制御回路３００」で行っていることは明らかであるなどと主張する。
（イ）本件訂正明細書の段落【００８２】には「一方、各インクタンク１の基板１００には、これら４本の信号線の信号によって動作する制御部１０３およびそれによって動作するＬＥＤ１０１が設けられている。」と記載されており、図２０には、インクタンク１Ｋ、１Ｃ、１Ｍ、１Ｙのそれぞれに制御部１０３が設けられていることが記載されている。また、本件訂正明細書の段落【００８３】には「制御部１０３は、入出力制御回路（Ｉ／Ｏ　ＣＴＲＬ）１０３Ａ、メモリーアレイ１０３ＢおよびＬＥＤドライバ１０３Ｃを有して構成される。入出力制御回路１０３Ａは、本体側の制御回路３００からフレキシブルケーブル２０６を介して送られてくる制御データに応じて、ＬＥＤ１０１の表示駆動やメモリーアレイ１０３Ｂに対するデータの書き込みおよび読み出しを制御する。」と記載されており、図２１には、基板１００に制御部１０３とＬＥＤ１０１が設けられ、制御部１０３には入出力制御回路１０３Ａ、メモリアレイ１０３Ｂ及びＬＥＤドライバ１０３Ｃが設けられていることが記載されている。
（ウ）してみると、本件訂正明細書及び図面に記載されている「本体側の制御回路３００からフレキシブルケーブル２０６を介して送られてくる制御データに応じて、ＬＥＤ１０１の表示駆動などを制御する入出力制御回路１０３Ａ」又は「該入出力制御回路１０３Ａ及びＬＥＤドライバ１０３Ｃを有して構成され、各インクタンク１の基板１００に設けられ、４本の信号線の信号によって動作する制御部１０３」が、本件訂正発明１ないし７の「液体インク収納容器又はカートリッジ」が有する「発光部の発光を制御する制御部」又は「発光部を発光させる制御部」の裏付けとなることが明らかである。
　
　イ（ア）請求人は、本件訂正明細書には、入れ違いによる誤装着の場合に、対象の液体インク収納容器が所定の位置に装着されていないことが検出される実施形態が記載されているのみで、例えばマゼンタとシアンの入れ違えがあった場合、シアン（Ｃ）の所定位置に装着されたマゼンタの液体インク収納容器（１Ｍ）からの光を受光できる訳ではないから、マゼンタの液体インク収納容器（１Ｍ）がどの位置に誤装着されているかを検出すること、すなわち、対象の液体インク収納容器の「搭載位置を検出する」ことまでは開示がないなどと主張する。
（イ）しかしながら、上記１（３）で、本件訂正明細書に記載されていると認めた本件訂正発明１ないし７の実施形態では、「装着されるべき位置に正しいインクタンクが装着されていなかった場合には、キャリッジのその装着位置に装着されたインクタンクのＬＥＤ１０１が発光した光は前記第１受光部に投光されるがキャリッジの他の箇所に装着されたインクタンクのＬＥＤ１０１が発光した光は前記第１受光部に投光されない位置にキャリッジを位置させておいて、他の３つの色情報について、色情報とともにＬＥＤ１０１の点灯を指示する信号を順に前記制御回路３００から出力させて他の３つのインクタンクのうち、そのメモリアレイ１０３Ｂに記憶されている色情報が本体側から入力される信号の色情報と一致するインクタンクを順に発光させ、前記第１受光部で発光したＬＥＤからの光を受光したことを検出することによって、そのとき前記制御回路３００から出力した信号の色情報が示すインク色のインクタンクがその装着位置に誤って装着されてしまったインクタンクであることを特定するようにして、インクタンクごとにその搭載位置を特定することができる」から、上記（ア）の主張には理由がない。
　
　ウ　以上のとおりであるから、上記「第４　１（２）」のアないしウの請求人が主張する理由によって、本件訂正発明１ないし７は本件訂正明細書の発明の詳細な説明に記載されていないとはいえず、本件訂正発明１ないし７は特許法第３６条第６項第１号に規定する要件を満たしていないとすることはできない。
　
（３）実施可能要件違反について
　ア（ア）請求人は、本件訂正発明１ないし７は、液体インク収納容器又はカートリッジの任意の位置に「発光部」が存在し、それに対していかなる位置に「受光手段」や「受光部」が存在しようとも「発光部」からの光を受光することができ、それによって液体インク収納容器又はカートリッジの搭載位置が検出できることとなっており、いかなる位置関係であっても技術的範囲に含まれるように特許請求されているに等しいが、本件訂正明細書には、いかなる位置関係であっても「発光部」から「受光手段」あるいは「受光部」に投光可能とするための実現手段は開示されていないので、本件訂正明細書は、発光部と受光手段若しくは受光部がいかなる位置関係であっても当業者が本件訂正発明１ないし７を実施できるように明確かつ十分にその発明の実現手段が開示されているとはいえない旨主張する。
（イ）しかし、上記（１）ウで述べたとおり、本件訂正発明１、２、５ないし７では、「受光部」は「液体インク収納容器の発光部からの光を受光する」ものであり、本件訂正発明４では、「受光部」は「液体インク収納カートリッジの発光部からの光を受光する」ものであり、本件訂正発明３では、「位置検出用の受光部」は「液体インク収納容器からの光を受光する」ものであって、「液体インク収納容器」は前記受光部に投光するための光を発光する発光部を有するものであるから、本件訂正発明１ないし７には、受光手段又は受光部が発光部からの発光を受光できるようにされているものである。
　したがって、本件訂正発明１ないし７において、液体インク収納容器又はカートリッジに存在する「発光部」と、液体インク収納容器又はカートリッジがそのキャリッジに装着される記録装置に存在する「受光手段」や「受光部」とは、液体インク収納容器又はカートリッジが「記録装置のキャリッジ」に装着された状態で、キャリッジが所定の位置にあるときに「発光部」が発光すると、その発光による光が「記録装置」側の「受光手段」に到達するような位置に、それぞれが配置されていることが特定されていると解される。
　よって、本件訂正発明１ないし７は、液体インク収納容器又はカートリッジの任意の位置に「発光部」が存在し、それに対していかなる位置に「受光手段」や「受光部」が存在しようとも「発光部」からの光を受光することができるなどといった請求人の主張は誤りである。
　
　イ（ア）請求人は、本件訂正発明１ないし７は、キャリッジがシャフトのいかなる位置に来たときに、キャリッジ内のどのインクタンクを「光らせ」るかについての特定がなされていないところ、本件訂正明細書には、液体インク収納容器の発光部が「受光手段」や「受光部」と対向する位置ではなくても、「発光部」から「受光手段」や「受光部」への投光を可能とする実現手段は開示されていないので、本件訂正明細書には、当業者が本件訂正発明１ないし７を実施できるように明確かつ十分にその発明の実現手段が開示されているとはいえないなどと主張する。
（イ）しかしながら、上記ア（イ）で述べたとおり、本件訂正発明１ないし７において、液体インク収納容器又はカートリッジに存在する「発光部」と、液体インク収納容器又はカートリッジがそのキャリッジに装着される記録装置に存在する「受光手段」や「受光部」とは、液体インク収納容器又はカートリッジが「記録装置のキャリッジ」に装着された状態で、キャリッジが所定の位置にあるときに「発光部」が発光すると、その発光による光が「記録装置」側の「受光手段」や「受光部」に到達するような位置に、それぞれが配置されていることが特定されていると解されるから、本件訂正明細書には、上記１（３）で述べた本件訂正発明１ないし７の実施形態などとして、インクタンクのＬＥＤ１０１が発光した光が前記第１受光部に投光される形態が記載されているといえる。
　したがって、仮に「液体インク収納容器の発光部が受光手段と対向する位置ではなくても、「『発光部』から『受光手段』への投光を可能とする実現手段」が本件訂正明細書に開示されていないとしても、本件訂正明細書には、当業者が本件訂正発明１ないし７を実施できるように明確かつ十分にその発明の実現手段が開示されていないとはいえない。
　
ウ　以上のとおりであるから、上記「第４　１（３）」のアないしウの請求人が主張する理由によって、本件訂正発明１ないし７は、発明の詳細な説明の記載が、その発明の属する技術の分野における通常の知識を有する者がその実施をすることができる程度に明確かつ十分に記載されていないとはいえず、本件訂正発明１ないし７は特許法第３６条第４項第１号に規定する要件を満たしていないとすることはできない。
　
（４）まとめ
　したがって、請求人が主張する上記無効理由１により、本件訂正発明１ないし７を特許法第１２３条第１項第４号により無効とすることはできない。
　
３　無効理由２について
(１) 本件訂正発明１について
　ア　本件訂正発明１と甲第１号証発明との対比・判断
（ア）対比
　甲第１号証発明の「インクカートリッジ」及び「インクカートリッジに備えられるデータ信号端子」は、それぞれ、本件訂正発明１の「液体インク収納容器」及び「液体インク収納容器に備えられる接点」に相当するものと認められる。また、甲第１号証には、本件訂正発明１の「液体インク収納容器に備えられる接点と電気的に接続可能な装置側接点」を備える点について明示の記載はないが、「インクカートリッジに備えられるデータ信号端子」がキャリッジに設けられたデータバスに接続されていることから、キャリッジ側に対応する端子（接点）が設けられていることは当業者にとって自明であって、甲第１号証発明は、「液体インク収納容器に備えられる接点と電気的に接続可能な装置側接点」及び「前記装置側接点と電気的に接続可能な前記接点」を備えていると認められる。
　甲第１号証発明の「データバス」は、各インクカートリッジのデータ信号端子と接続し、バス接続、すなわち、共通な電気的接続となっており、インクカートリッジ（の色）を識別するための識別データを送信するための配線を有した電気回路であると認められる。したがって、甲第１号証発明は、本件訂正発明１の「搭載される液体インク収納容器それぞれの前記接点と接続する前記装置側接点に対して共通に電気的接続し色情報に係る信号を発生するための配線を有した電気回路」を備えていると認められる。
　甲第１号証発明の「インクカートリッジのインク色を識別するための識別情報」は、インク色を示すものであるから、甲第１号証発明の「インクカートリッジの識別情報を格納する記憶素子（メモリアレイ）」は、本件訂正発明１の「液体インク収納容器のインク色を示す色情報を保持可能な情報保持部」に相当するものと認められる。
　したがって、本件訂正発明１と甲第１号証発明とは、
「複数の液体インク収納容器を搭載して移動するキャリッジと、
　該液体インク収納容器に備えられる接点と電気的に接続可能な装置側接点と、
　搭載される液体インク収納容器それぞれの前記接点と接続する前記装置側接点に対して共通に電気的接続し色情報に係る信号を発生するための配線を有した電気回路とを有する記録装置の前記キャリッジに対して着脱可能な液体インク収納容器において、
　前記装置側接点と電気的に接続可能な前記接点と、
　少なくとも液体インク収納容器のインク色を示す色情報を保持可能な情報保持部と、
を有する液体インク収納容器。」点で一致し、以下の点で相違すると認められる。
　
相違点１：
　前記「記録装置」が、本件訂正発明１では、「前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段」及び「前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する」構成を有するのに対して、甲第１号証発明ではこれを有しない点。
　
相違点２：
　本件訂正発明１では、前記「液体インク収納容器」に「受光手段に投光するための光を発光する発光部」が備えられているのに対して、甲第１号証発明では、前記インクカートリッジ（液体インク収納容器）に発光部が備えられておらず、プリンタ側の操作パネルに、装着されていない又は通信異常のあるインクカートリッジを報知するための表示ランプ（発光部）が備えられており、本件訂正発明１では、前記「液体インク収納容器」に「前記接点から入力される前記色情報に係る信号と、前記情報保持部の保持する前記色情報とに応じて前記発光部の発光を制御する制御部」を備えるのに対して、甲第１号証発明では、前記インクカートリッジ（液体インク収納容器）内のＥＥＰＲＯＭを用いた記憶装置（制御部）は、プリンタとの接点から入力される色情報（識別情報）に係る信号と、記憶装置の保持する前記色情報（識別情報）とが一致した場合に、応答信号をプリンタ側の制御回路に対して送り返す動作を制御するものの、上記ＥＥＰＲＯＭを用いた記憶装置（制御部）においてプリンタ側の表示ランプ（発光部）を発光させるものではない点。
　
（イ）判断
　請求人は、本件訂正発明１と甲第１号証発明との相違点に係る構成は、甲第３号証及び甲第１４号証等に記載されている技術であるから、これらの技術を甲第１号証発明に適用することは当業者にとって容易であったと主張する。
　しかしながら、次のａないしｃのとおり、上記相違点１及び２に相当する構成は、甲第３号証及び甲第１４号証等に開示されているとは認められず、このほかに、上記相違点１及び２に相当する構成が本件特許の最先の優先日当時において周知慣用技術であったことを認めるに足りる証拠もない。
　したがって、請求人のこの主張には理由がない。
　ａ　甲第３号証の記載
　甲第３号証には、「複数のインクタンクを搭載して移動するキャリッジと、前記インクタンクの発光手段からの光を受光する光センサを備えたインクジェット記録装置に対して着脱可能なインクタンクにおいて、前記光センサに投光するための光を発光する前記発光手段を有するインクタンク。」の発明（甲第３号証発明）が開示されている（上記「第６　３（２）」参照。）。
　しかしながら、甲第３号証に記載の発明は、インク色ごとに光の吸収スペクトルが異なることに着目し、立体形半導体素子から一定の範囲の波長を含む光を発光させ、その光をインク中に透過させて、インクタンク外にある受光手段で受光させ、どの波長が最も吸収されたかを検知することで、当該インクの種類を判別するものであって（上記「第６　３（１）」の段落【００１４】、【００２０】、【００５７】、【００５８】参照。）、上記立体形半導体素子に当該インクタンクのインク色を示す色情報が保持されるものではない。
　このように、甲第３号証に記載の発明における発光部及び受光部と、本件訂正発明１における発光部及び受光部とは、これらを用いることにより当該インクタンク（本件訂正発明１においては、受光部に対向するインクタンク）の色情報を判別するための原理も、その果たす役割も、全く異なるものであり、甲第３号証中に、本件訂正発明１における「『前記キャリッジの位置に応じて特定されたインク色の前記液体インク収納容器の前記発光部』を光らせ、その光の受光結果に基づき、『前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段』によって、前記液体インク収納容器の搭載位置を検出する」ような構成や技術思想を示唆する記載は存在しない。
　さらに、甲第３号証に記載の発明は、従来の構成ではインクタンク内に検出用の電極を配置する必要があったため、インク成分に金属イオンを用いることができないなど、使用するインクに制約が生じてしまうという課題があることを解決するために、立体形半導体素子への外部エネルギーの供給を非接触で行う構成としたものであるから（上記「第６　３（１）」の段落【０００６】、【００１７】参照。）、甲第１号証発明のように、立体形半導体素子とプリンタとを電気的につなぐための接点を設けることは、むしろ、上記発明の技術思想に反するものであるということができる。
　したがって、甲第１号証発明に甲第３号証発明を適用する動機付けはなく、仮に甲第１号証発明に甲第３号証に記載の構成を組み合わせても、本件訂正発明１に想到することが容易であるということはできない。
　
　ｂ　甲第１４号証の記載
　甲第１４号証には、各インクタンク内に配置された、インクタンクの色ごとに応答条件が異なる通信機能を有する立体形半導体素子が、インクジェット記録装置側に設けられた通信回路と、外部と非接触の無線によって、インクタンクの色ごとに独立した通信を行うことが開示されていると認められる（上記「第６　７」の段落【００３７】、【００３９】、【００４０】、【００４４】〜【００４７】、【００５０】、【００５２】、図３等参照。）。
　このように、甲第１４号証には、インクタンク内の立体形半導体素子とインクジェット記録装置側とが、インクタンクの色ごとに独立した通信を行うことが可能な構成が開示されているものの、本件訂正発明１における、インクタンクの誤装着を検出する方法、すなわち、「『前記キャリッジの位置に応じて特定されたインク色の前記液体インク収納容器の前記発光部』を光らせ、その光の受光結果に基づき、『前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段』によって、前記液体インク収納容器の搭載位置を検出する」に係る記載ないし同構成を示唆する記載は存在しないものと認められる。
　また、甲第１４号証に記載の発明も、甲第３号証に記載の発明と同様、外部からのエネルギーをインクタンク内の立体形半導体素子に非接触で供給することを技術的特徴とするものであるから（上記「第６　７」の段落【０００６】、【００２９】、【００３３】及び【００３４】参照。）、甲第１号証発明のように、立体形半導体素子とプリンタとを電気的につなぐための接点を設けることは、同発明の技術思想に反するものであるということができる。
　したがって、甲第１４号証に記載の発明を甲第１号証発明に組み合わせる動機付けはなく、また、甲第１４号証には、相違点１に係る構成のすべて及び相違点２に係る構成のうち「前記接点から入力される前記色情報に係る信号と、前記情報保持部の保持する前記色情報とに応じて前記発光部の発光を制御する制御部」及びこの制御部にその発光を制御される「受光手段に投光するための光を発光する発光部」に相当する構成については、開示されていないと認められるから、甲第１号証発明に甲第１４号証に記載の構成を組み合わせても、本件訂正発明１に想到することが容易であるということはできない。
　
　ｃ　その他の公報について
　請求人は、甲第２号証、甲第４ないし１３号証及び甲第１５号証も挙げているが、いずれの公報にも、発光部、受光部等の構成が断片的に記載されているだけで、上記相違点１、２に係る構成は開示されていないと認められ、これらの公報の記載を総合しても、上記相違点に係る構成が周知技術であったと認めることはできない。
　
　イ　本件訂正発明１と甲第５号証発明との対比・判断
　請求人は、甲第５号証には、甲第１号証とほぼ同様の構成が開示されており、甲第１号証発明の構成は甲第５号証に記載された発明の構成と置き換えが可能である旨主張するので（審判請求書５５頁の「ク　予備的主張」）、以下に検討する。
（ア）対比
　甲第５号証発明の「インクカートリッジ」及び「インクカートリッジに備えられるデータ信号端子」は、それぞれ、本件訂正発明１の「液体インク収納容器」及び「液体インク収納容器に備えられる接点」に相当するものと認められる。また、甲第５号証には、本件訂正発明１の「液体インク収納容器に備えられる接点と電気的に接続可能な装置側接点」を備える点について明示の記載はないものの、「インクカートリッジに備えられるデータ信号端子」がキャリッジに設けられたデータバスに接続されていることから、キャリッジ側に対応する端子（接点）が設けられていることは当業者にとって自明であるから、甲第５号証発明は、「液体インク収納容器に備えられる接点と電気的に接続可能な装置側接点」及び「前記装置側接点と電気的に接続可能な前記接点」を備えていると認められる。
　甲第５号証発明の「データバス」は、各インクカートリッジのデータ信号端子と接続し、バス接続、すなわち、共通な電気的接続となっており、インクカートリッジ（の色）を識別するための識別データを送信するための配線を有した電気回路であると認められる。したがって、甲第５号証発明は、本件訂正発明１の「搭載される液体インク収納容器それぞれの前記接点と接続する前記装置側接点に対して共通に電気的接続し色情報に係る信号を発生するための配線を有した電気回路」を備えていると認められる。
　甲第５号証発明の「識別データ」は、インク色を示すものであるから、甲第５号証発明の「インクカートリッジの識別データを格納するメモリアレイ」は、本件訂正発明１の「液体インク収納容器のインク色を示す色情報を保持可能な情報保持部」に相当するものと認められる。
　したがって、本件訂正発明１と甲第５号証発明は、
「複数の液体インク収納容器を搭載して移動するキャリッジと、
　該液体インク収納容器に備えられる接点と電気的に接続可能な装置側接点と、
　搭載される液体インク収納容器それぞれの前記接点と接続する前記装置側接点に対して共通に電気的接続し色情報に係る信号を発生するための配線を有した電気回路とを有する記録装置の前記キャリッジに対して着脱可能な液体インク収納容器において、
　前記装置側接点と電気的に接続可能な前記接点と、
　少なくとも液体インク収納容器のインク色を示す色情報を保持可能な情報保持部と、
を有する液体インク収納容器。」である点で一致し、以下の点で相違すると認められる。
　
相違点３：
　前記「記録装置」が、本件訂正発明１では、「前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段」及び「前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する記録装置」の構成を有するのに対して、甲第５号証発明ではこれを有しない点。
　
相違点４：
　本件訂正発明１では、前記「液体インク収納容器」に「受光手段に投光するための光を発光する発光部」が備えられているのに対し、甲第５号証発明では、インクカートリッジ（液体インク収納容器）に、発光部が備えられておらず、プリンタ側のキャリッジに、交換対象となるインクカートリッジを報知するためのＬＥＤ（発光部）が備えられており、また、本件訂正発明１では、前記「液体インク収納容器」に「前記接点から入力される前記色情報に係る信号と、前記情報保持部の保持する前記色情報とに応じて前記発光部の発光を制御する制御部」を備えるのに対して、甲第５号証発明では、インクカートリッジ（液体インク収納容器）の記憶装置（制御部）は、プリンタとの接点から入力される識別情報（色情報）に係る信号と、メモリアレイの保持する前記識別情報（色情報）とが一致した場合に、応答信号をプリンタ側の制御回路に対して送り返す動作を制御するものの、上記記憶装置（制御部）においてプリンタ側のキャリッジ上のＬＥＤ（発光部）を発光させるものではない点。
　
（イ）判断
　請求人は、本件訂正発明１と甲第５号証発明との相違点に係る構成は、甲第３号証及び甲第１４号証等に記載されているから、これらの技術を甲第５号証発明に適用することは当業者にとって容易であったと主張する。
　しかしながら、次のａないしｄのとおり、上記相違点３及び４に相当する構成は、甲第３号証及び甲第１４号証等に開示されているとは認められず、このほかに、上記相違点に相当する構成が本件特許の最先の優先日当時において周知慣用技術であったことを認めるに足りる証拠もない。
　したがって、請求人のこの主張には理由がない。
ａ　甲第５号証には、インクカートリッジ上に発光部を設ける構成に係る記載ないし同構成を示唆する記載は存在しない。また、本件訂正発明１の「発光部」とは、単に光を発すれば足りるものではなく、「前記受光手段に投光するための光を発光する」ものである必要があり、本件訂正発明１では、インクタンクの本来装着されるべき位置が、プリンタに設けた受光手段に投光する位置にある状態で、当該インクタンクに設けた発光部を発光させ、その光を上記受光手段が受光することによって、前記液体インク収納容器の搭載位置の検出を実現するものであるから、本件訂正発明１において、発光の目的は重要な技術的意義を有するものと認められる。これに対し、甲第５号証発明におけるプリンタ側のキャリッジ上の発光部は、前記のとおり、交換対象となるインクカートリッジを（ユーザーに）報知するためのものであるから、本件訂正発明１における発光部とは、発光の目的を異にする。
　これらの点からみると、甲第５号証発明における発光部と本件訂正発明１における発光部とは実質的に相違するというべきである。
　
ｂ　甲第３号証には、外部からのエネルギーをインクタンク内の立体形半導体素子に非接触で供給する構成が開示されているだけであり、上記立体形半導体素子とプリンタをつなぐための電気的に接続可能な接点に係る記載ないし同構成を示唆する記載は存在しないものと認められる。甲第３号証に記載の発明は、従来の構成ではインクタンク内に検出用の電極を配置する必要があったため、インク成分に金属イオンを用いることができないなど、使用するインクに制約が生じてしまうという課題があることを解決するために、立体形半導体素子への外部エネルギーの供給を非接触で行う構成としたものであるから（上記「第６　３（１）」の段落【０００６】、【００１７】参照。）、立体形半導体素子とプリンタとを電気的につなぐための接点を設けることは、むしろ、上記発明の技術思想に反するものであるということができる。また、甲第３号証に記載の構成は、インク色ごとに光の吸収スペクトルが異なることに着目し、立体形半導体素子から一定の範囲の波長を含む光を発光させ、その光をインク中に透過させて、インクタンク外にある受光手段で受光させ、どの波長が最も吸収されたかを検知することで、当該インクの種類を判別するものであって（上記「第６　３（１）」の段落【００１４】、【００２０】、【００５７】、【００５８】参照。）、上記立体形半導体素子に当該インクタンクのインク色を示す色情報が保持されるものではないと認められるから、本件訂正発明１における「『前記キャリッジの位置に応じて特定されたインク色の前記液体インク収納容器の前記発光部』を光らせ、その光の受光結果に基づき、『前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段』によって、前記液体インク収納容器の搭載位置を検出する」ような構成が甲第３号証に開示されているともいえない。したがって、甲第３号証に本件訂正発明１の「『前記キャリッジの位置に応じて特定されたインク色の前記液体インク収納容器の前記発光部』を光らせ、その光の受光結果に基づき、『前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段』によって、前記液体インク収納容器の搭載位置を検出する」構成を備える発明が開示されているとは認められない。
　
ｃ　甲第３号証に記載されたものは、前記ｂのとおり、上記相違点３に相当する構成を有するものではなく、上記相違点４のうち、「インクタンク内に、前記接点から入力される前記色情報に係る信号と、前記情報保持部の保持する前記色情報とに応じて前記発光部の発光を制御する制御部を備える」構成も有しないと認められる。また、甲第３号証における発光部及び受光部と、本件訂正発明１における発光部及び受光部とは、これらを用いることにより当該インクタンク（本件訂正発明１においては、受光部に対向するインクタンク）の色情報を判別するための原理も、その果たす役割も、全く異なるものであるというべきことは、前記ａ、ｂのとおりであり、甲第３号証中に、本件訂正発明１における「『前記キャリッジの位置に応じて特定されたインク色の前記液体インク収納容器の前記発光部』を光らせ、その光の受光結果に基づき、『前記キャリッジの移動により対向する前記液体インク収納容器が入れ替わるように配置され前記液体インク収納容器の発光部からの光を受光する位置検出用の受光手段を一つ備え、該受光手段で該光を受光することによって前記液体インク収納容器の搭載位置を検出する液体インク収納容器位置検出手段』によって、前記液体インク収納容器の搭載位置を検出する」構成や技術思想を示唆する記載が存在しないことも、上記ｂのとおりである。
　したがって、甲第５号証発明に甲第３号証に記載の事項を組み合わせても、上記相違点３及び４に係る構成に想到することが容易であるということはできない。
　
　ｄ　その他の公報について
　甲第１４号証についても上記ア（イ）ｂと同様であり、請求人は、甲第２号証、甲第４ないし甲第１５号証も挙げているが、いずれの公報にも、発光部、受光部等の構成が断片的に記載されているだけで、上記相違点３、４に係る構成は開示されていないと認められ、これらの公報の記載を総合しても、上記相違点に係る構成が周知技術であったと認めることはできない。
　
　ウ　まとめ
　したがって、本件訂正発明１を、請求人が主張する無効理由２により無効とすることはできない。
　
(２) 本件訂正発明３について
　ア　本件訂正発明３と甲第１号証発明との対比・判断
　請求人は、甲第１号証には、甲第５号証とほぼ同様の構成が開示されており、甲第５号証発明の構成は甲第１号証に記載された発明の構成と置き換えが可能である旨主張するので（審判請求書７６頁の「ク　予備的主張」）、本件訂正発明３と本件１次審決で引用した甲第１号証に記載された発明との対比判断を先に検討する。
（ア）対比
　甲第１号証発明において、キャリッジに複数のインクカートリッジを装着したカラープリンタには、各インクカートリッジから収納しているインクが供給されることになるから、甲第１号証発明の「カラープリンタとインクカートリッジとからなるもの」は、本件訂正発明３の「液体インク供給システム」に相当する。
　本件訂正発明３は、本件訂正発明１の記録装置及び液体インク収納容器を備える液体インク供給システムにおいて、キャリッジへの複数の液体インク収納容器の搭載を「互いに異なる位置に」するとともに、液体インク収納容器位置検出手段が備える受光手段を、液体インク収納容器位置検出手段の「位置検出用の受光部」とみなし、制御部が、前記接点から入力される前記色情報に係る信号と、前記情報保持部の保持する前記色情報とに応じて制御する前記発光部の発光制御を、両色情報が一致した場合に前記発光部を発光させるものとしたものに相当するところ、甲第１号証発明は、「カラープリンタとインクカートリッジとからなり、各インクカートリッジから収納しているインクを供給するシステム」の発明でもあり、複数の液体インク収納容器を移動するキャリッジの互いに異なる位置に搭載するものであり、ＥＥＰＲＯＭを用いた記憶装置は、前記データ信号端子から入力される識別情報と、前記記憶素子（メモリアレイ）に格納されている識別情報とが一致する場合に、応答信号をカラープリンタ側の制御回路に対して送り返すものであるから、本件訂正発明３と甲第１号証発明とは、
「複数の液体インク収納容器を互いに異なる位置に搭載して移動するキャリッジと、
　該液体インク収納容器に備えられる接点と電気的に接続可能な装置側接点と、
　搭載される液体インク収納容器それぞれの前記接点と接続する前記装置側接点に対して共通に電気的接続し色情報に係る信号を発生するための配線を有した電気回路とを有する記録装置と、
　前記記録装置の前記キャリッジに対して着脱可能な液体インク収納容器と、を備える液体インク供給システムにおいて、
　前記液体インク収納容器は、
　前記装置側接点と電気的に接続可能な前記接点と、
　少なくとも液体インク収納容器のインク色を示す色情報を保持する情報保持部と、
　を有する液体インク供給システム。」である点で一致し、以下の点で相違すると認められる。
　
相違点５：
　本件訂正発明３では、前記記録装置が、「該液体インク収納容器からの光を受光する位置検出用の受光部を一つ備え、該受光部で該光を受光することによって前記液体インク収納容器の搭載位置を検出する液体インク収納容器位置検出手段」を有し、上記「受光部」は、「前記キャリッジの移動により対向する前記液体インク収納容器が入れ替わる」ように配置されているのに対し、
　甲第１号証発明では、前記記録装置は、「液体インク収納容器位置検出手段」を有しておらず、液体インク収納容器からの光を受光する位置検出用の受光部さえも備えていない点。
　
相違点６：
　本件訂正発明３では、前記液体インク収納容器が、前記「液体インク収納容器位置検出手段の前記受光部（［相違点５］参照。）」に投光するための光を発光する「発光部」を有するとともに、「前記接点から入力される前記色情報に係る信号と、前記情報保持部の保持する前記色情報とが一致した場合に前記発光部を発光させる制御部」も有しているのに対して、
　甲第１号証発明では、インクカートリッジ内のＥＥＰＲＯＭを用いた記憶装置（制御部）は、プリンタとの接点から入力される色情報（識別情報）に係る信号と、記憶素子（メモリアレイ）に格納されている前記色情報（識別情報）とが一致した場合に、応答信号をプリンタ側の制御回路に対して送り返す動作を制御するものの、上記ＥＥＰＲＯＭを用いた記憶装置（制御部）においてプリンタ側の表示ランプ（発光部）を発光させるものではない点。
　
相違点７：
　本件訂正発明３では、「前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する」のに対して、
　甲第１号証発明では、応答信号の有無により装着されていないインクカートリッジを検出し、表示ランプで報知するものの、インクカートリッジの搭載位置を検出することはできない点。
　
（イ）判断
　上記相違点５ないし７について検討する。
　甲第３号証、先行技術文献１、２に記載されている「液体インク収納容器」において、「記録装置」と「液体インク収納容器」の間の接続方式につき「共通バス接続方式」が採用されているかは不明であって、少なくとも甲第３号証、先行技術文献１、２においては、「共通バス接続方式」を採用した場合における「液体インク収納容器」の誤装着の検出という本件訂正発明３の技術的課題（上記１（２）参照。）は開示も示唆もされていないというべきである。そして、上記技術的課題に着目してその解決手段を模索する必要がないのに、記録装置側がする色情報に係る要求に対して、わざわざ本件訂正発明３のような光による応答を行う新たな装置（部位）を設けて対応する必要はなく、このような装置を設ける動機付けに欠けるものというべきである。
　そうすると、甲第３号証、先行技術文献１、２に記載された事項は、解決すべき技術的課題の点においても既に本件訂正発明３と異なるものであって、共通バス接続方式を採用する甲第１号証発明に適用するという見地を考慮しても、本件訂正発明３と甲第１号証発明との相違点、とりわけ相違点６、７に係る構成を想到する動機付けに欠けるものというべきである。
　また、甲第３号証の「記録装置」において、「受光手段」が一つだけ設けられているかは不明であるから、上記「記録装置」において、「受光手段を一つだけ設け、キャリッジの移動により順次液体インク収納容器からの光の受光を行う」構成が採用されているとはいうことができない。
　「複数の液体インク収納容器をキャリッジに装着して使用する記録装置において、記録装置側に発光部及び受光部を有する検知器を一つ設け、キャリッジで移動する液体インク収納容器の残量検知部が上記検知器に対向する位置に来たときに、上記検知器から発光する光を液体インク収納容器の残量検知部に照射（投光）し、返ってくる光を上記検知器で受光し、解析することにより、当該液体インク収納容器のインク残量を順次検出する」構成が公知であったとしても、また、本件訂正明細書の段落【００４３】及び図９に、同様のインク残量検知器及び液体インク収納容器のインク残量検知部の構成が開示されていても、上記のインク残量検知器等の構成は、記録装置と液体インク収納容器との間の接続の方式のいかんにかかわらず適用し得る性格のものであって、本件訂正発明３が、共通バス接続方式下で液体インク収納容器の誤装着の問題解決を技術的課題としていることに対する適用可能性はないというべきであるから、上述のインク残量検知器及び液体インク収納容器のインク残量検知部の構成をもって、当業者が、甲第３号証、先行技術文献１、２の構成から、受光部側の構成のみを取り出して上記相違点５ないし７に係る本件訂正発明３の構成となすことが容易想到であるとすることの裏付けとすることはできない。
　甲第３号証には、「このような構成ではインクタンク内に検出用の電極を配置する必要がある。また、電極間の導通状態によりインク残量を検知するため、インク成分に金属イオンを用いることができない等、使用するインクに制約が生じてしまう。」（上記「第６　３（１）」の段落【０００６】）と液体インク収納容器内の発光素子に液体インク収納容器外から有線で電力を供給することに難点がある旨の記載があるし、段落【０００８】では外部から非接触で発光素子を起動する必要がある旨が、段落【００１２】、【００１３】では立体形半導体素子が外部からのエネルギーを異なる種類のエネルギーに変換する手段を有し、変換されたエネルギーによって駆動する必要がある旨が、図６や段落【００１８】、【００４０】では立体形半導体素子のエネルギー変換手段として共振回路を用い、電磁誘導によって必要な電力を外部から得る構成がそれぞれ記載されているから（上記「第６　３（１）」参照。）、甲第３号証の立体形半導体素子が、専ら無線方式でプリンタと接続されることは明らかである。
　そして、甲第３号証の段落【００１７】には、「前記エネルギー変換手段が変換する外部エネルギーは非接触で供給される構成とすることにより、素子の起動のためのエネルギー源をインクタンクに持たせたり、エネルギー供給用の配線を素子に接続する必要がなく、外部との直接的な配線を施すことが困難な箇所に使用することができる。」との記載（上記「第６　３（１）」参照。）は、立体形半導体素子を無線方式（非接触方式）で設けることのメリットに係るものであることが明らかで、上記記載は有線方式を排除した趣旨のものであるというべきである。
　そうすると、甲第３号証には立体形半導体素子を有線の電気配線で記録装置側と接続する構成は記載されていないというべきであるし、前記のとおりの本件訂正発明３の構成等との相違に照らせば、甲第１号証発明において応答信号を電気配線を通じて記録装置に伝送している点を、甲第３号証の発光部の発光による伝達に置き換える動機付けは存しないというべきである。
　したがって、甲第１号証発明において応答信号を電気配線を通じて記録装置に伝送している点を、甲第３号証の発光部の発光による伝達に置き換えることは当業者が容易に想到し得ることであるなどとすることはできない。
　また、甲第５号証の記録装置及び液体インク収納容器は、共通バス接続方式の下で、液体インク収納容器が誤りなく装着されているか否かを検出するための機構を備えているものであるが、記録装置の識別装置は電気配線を通じて液体インク収納容器からインク色等に係る情報（信号）を取得するだけで、本件訂正発明３のような、光を利用して液体インク収納容器の識別を行う構成（とりわけ相違点７）は開示も示唆もされていないというべきである（なお、甲第５号証の記録装置のキャリッジ上に備えられているＬＥＤ（４１頁１７〜２２行、上記「第６　５（１）」参照。）は、液体インク収納容器を交換する際に、交換すべき液体インク収納容器の搭載位置をユーザに視覚を通じて指し示すものにすぎず、その機能はあくまで受動的なものである。上記ＬＥＤは本件訂正発明３の発光部のように、能動的に液体インク収納容器の異同を検出・識別するために動作するものではない。）。
　請求人は、本件訂正発明３と甲第１号証発明との相違点に係る構成は、甲第３号証及び甲第１４号証等に記載されているから、これらの技術を甲第１号証発明に適用することは当業者にとって容易であったと主張する。
　しかしながら、上記（１）と同様に、上記相違点５ないし７に相当する構成は、甲第３号証及び甲第１４号証等に開示されているとは認められず、このほかに、上記相違点に相当する構成が本件特許の最先の優先日当時において周知慣用技術であったことを認めるに足りる証拠もない。
　
　イ　本件訂正発明３と甲第５号証発明との対比・判断
（ア）対比
　甲第５号証発明において、キャリッジに複数のインクカートリッジを装着したカラープリンタには、各インクカートリッジから収納しているインクが供給されることになるから、甲第５号証発明の「カラープリンタとインクカートリッジとからなるもの」は、本件訂正発明３の「液体インク供給システム」に相当する。
　本件訂正発明３は、本件訂正発明１の記録装置及び液体インク収納容器を備える液体インク供給システムにおいて、キャリッジへの複数の液体インク収納容器の搭載を「互いに異なる位置に」するとともに、液体インク収納容器位置検出手段が備える受光手段を、液体インク収納容器位置検出手段の「位置検出用の受光部」とみなし、制御部が、前記接点から入力される前記色情報に係る信号と、前記情報保持部の保持する前記色情報とに応じて制御する前記発光部の発光制御を、両色情報が一致した場合に前記発光部を発光させるものとしたものに相当するところ、甲第５号証発明は、「カラープリンタとインクカートリッジとからなり、各インクカートリッジから収納しているインクを供給するシステム」の発明でもあり、複数の液体インク収納容器を移動するキャリッジの互いに異なる位置に搭載するものであり、記憶装置は、前記データ信号端子から入力される識別情報と、前記記憶素子（メモリアレイ）に格納されている識別情報とが一致する場合に、カラープリンタ側の制御回路に対して応答するものであるから、本件訂正発明３と甲第５号証発明とは、
「複数の液体インク収納容器を互いに異なる位置に搭載して移動するキャリッジと、
　該液体インク収納容器に備えられる接点と電気的に接続可能な装置側接点と、
　搭載される液体インク収納容器それぞれの前記接点と接続する前記装置側接点に対して共通に電気的接続し色情報に係る信号を発生するための配線を有した電気回路とを有する記録装置と、
　前記記録装置の前記キャリッジに対して着脱可能な液体インク収納容器と、を備える液体インク供給システムにおいて、
　前記液体インク収納容器は、
　前記装置側接点と電気的に接続可能な前記接点と、
　少なくとも液体インク収納容器のインク色を示す色情報を保持する情報保持部と、
　を有する液体インク供給システム。」である点で一致し、以下の点で相違すると認められる。
　
相違点８：
　本件訂正発明３では、前記記録装置が、「該液体インク収納容器からの光を受光する位置検出用の受光部を一つ備え、該受光部で該光を受光することによって前記液体インク収納容器の搭載位置を検出する液体インク収納容器位置検出手段」を有し、上記「受光部」は、「前記キャリッジの移動により対向する前記液体インク収納容器が入れ替わる」ように配置されているのに対し、
　甲第５号証発明では、前記記録装置は、「液体インク収納容器位置検出手段」を有しておらず、液体インク収納容器からの光を受光する位置検出用の受光部さえも備えていない点。
　
相違点９：
　本件訂正発明３では、前記液体インク収納容器が、前記「液体インク収納容器位置検出手段の前記受光部（［相違点８］参照。）」に投光するための光を発光する「発光部」を有するとともに、「前記接点から入力される前記色情報に係る信号と、前記情報保持部の保持する前記色情報とが一致した場合に前記発光部を発光させる制御部」も有しているのに対して、
　甲第５号証発明では、インクカートリッジの記憶装置（制御部）は、プリンタとの接点から入力される色情報（識別情報）に係る信号と、記憶素子（メモリアレイ）に格納されている前記色情報（識別情報）とが一致した場合に、カラープリンタ側の制御回路に対して応答し、プリンタ側のキャリッジ上にＬＥＤ（発光部）を備えているものの、上記インクカートリッジの記憶装置（制御部）においてプリンタ側のキャリッジ上のＬＥＤ（発光部）を点灯させるものではない点。
　
相違点１０：
　本件訂正発明３では、「前記キャリッジの位置に応じて特定されたインク色の前記液体インク収納容器の前記発光部を光らせ、その光の受光結果に基づき前記液体インク収納容器位置検出手段は前記液体インク収納容器の搭載位置を検出する」のに対して、
　甲第５号証発明では、応答がない記憶装置を備えるインクカートリッジを、装着されていないインクカートリッジとして検出するものの、インクカートリッジの搭載位置を検出することはできない点。
　
（イ）判断
　上記相違点８ないし１０について検討する。
　請求人は、本件訂正発明３と甲第５号証発明との相違点に係る構成は、甲第３号証及び甲第１４号証等に記載されているから、これらの技術を甲第５号証発明に適用することは当業者にとって容易であったと主張する。
　しかしながら、上記（１）と同様に、上記相違点８ないし１０に相当する構成は、甲第３号証及び甲第１４号証等に開示されているとは認められず、このほかに、上記相違点に相当する構成が本件特許の最先の優先日当時において周知慣用技術であったことを認めるに足りる証拠もない。
　
　ウ　まとめ
　したがって、本件訂正発明３を、請求人が主張する無効理由２により無効とすることはできない。
　
（３）本件訂正発明２、４ないし７について
　ア　本件訂正発明２は、本件訂正発明１とは、（ア）液体インク収納容器の搭載位置につき「互いに異なる位置に」との限定が付されている点、（イ）本件訂正発明１の「受光手段」が「受光部」に置き換えられている点、（ウ）液体インク収納容器の情報保持部が色情報を「保持可能」とされているのではなく「保持する」と限定されている点、（エ）液体インク収納容器からの光の宛先が「前記液体インク収納容器位置検出手段の前記受光部に」とより限定されている点、（オ）本件訂正発明１において制御部の動作につき「前記色情報に係る信号と、前記情報保持部の保持する前記色情報とに応じて前記発光部の発光を制御する」とされているのを、「前記色情報に係る信号と、前記情報保持部の保持する前記色情報とが一致した場合に前記発光部を発光させる」と、より動作を特定している点がそれぞれ異なるものである。
　
　イ　本件訂正発明４は、本件訂正発明１とは、（ア）本件訂正発明１の「液体インク収納容器」が「液体インク収納カートリッジ」に置き換えられている点、（イ）液体インクカートリッジの搭載位置につき「互いに異なる位置に」との限定が付されている点、（ウ）本件訂正発明１の「受光手段」が「受光部」に置き換えられている点、（エ）液体インク収納カートリッジの構成要素として「液体インクを吐出することで記録を行う記録ヘッド」が加えられている点、（オ）液体インク収納カートリッジの情報保持部が色情報を「保持可能」とされているのではなく「保持する」と限定されている点、（カ）液体インク収納カートリッジの発光部からの光の宛先が「前記液体インク収納カートリッジ位置検出手段の前記受光部に」とより限定されている点、（キ）本件訂正発明１において制御部の動作につき「前記色情報に係る信号と、前記情報保持部の保持する前記色情報とに応じて前記発光部の発光を制御する」とされているのを、「前記色情報に係る信号と、前記情報保持部の保持する前記色情報とが一致した場合に前記発光部を発光させる」と、より動作を特定している点がそれぞれ異なるものである。
　
　ウ　本件訂正発明５は、本件訂正発明１とは、（ア）液体インク収納容器の搭載位置につき「互いに異なる位置に」との限定が付されている点、（イ）本件訂正発明１の「受光手段」が「受光部」に置き換えられている点、（ウ）液体インク収納容器の構成要素として「液体インク収納容器内に収納される液体インク」が加えられている点、（エ）液体インク収納容器の情報保持部が色情報を「保持可能」とされているのではなく「保持する」と限定されている点、（オ）液体インク収納容器の発光部からの光の宛先が「前記液体インク収納容器位置検出手段の前記受光部に」とより限定されている点、（カ）本件訂正発明１において制御部の動作につき「前記色情報に係る信号と、前記情報保持部の保持する前記色情報とに応じて前記発光部の発光を制御する」とされているのを、「前記色情報に係る信号と、前記情報保持部の保持する前記色情報とが対応した場合に前記発光部を発光させる」と、より動作が特定されている点がそれぞれ異なるものである。
　
　エ　本件訂正発明６は、本件訂正発明１とは、（ア）キャリッジが「複数の液体インク収納容器が装着可能な装着部を備えている」構成が加えられている点、（イ）電気回路、装置側接点及び液体インク収納容器に備えられる接点（以下、（イ）では、「容器側接点」という。）の相互の関係について、本件訂正発明１で、容器側接点及び装置側接点が、「電気的に接続可能」であり、複数の容器がキャリッジに搭載されると「電気回路が有する配線」により「共通に電気的接続」される旨表現されていたものを、複数の装置側接点と電気回路とが「共通の信号線」で接続され、容器がキャリッジに装着されると、前記装置側接点と容器側接点とが「接続可能」である旨の表現にした点、（ウ）「前記受光手段に投光するための光を発光する前記発光部」を「液体の収納空間を介さずに前記受光手段に対し投光可能位置に固定して配置された前記発光部」とし発光部の配置をより特定した点、（エ）「前記接点から」入力される前記色情報に係る信号が「前記電気回路から前記共通の信号線、前記装置側接点および前記接点を介して」入力されることを特定した点がそれぞれ異なるものである。
　
　オ　本件訂正発明７は、本件訂正発明１とは、（ア）液体インク収納容器（インクタンク）と記録装置（プリンタ）側との接点から発光制御信号が入力される構成が加えられている点、（イ）本件訂正発明１において制御部の動作につき「前記色情報に係る信号と、前記情報保持部の保持する前記色情報とに応じて前記発光部の発光を制御する」とされているのを、「前記色情報に係る信号と、前記情報保持部の保持する前記色情報とが一致した場合に、前記接点からの前記色情報と共に入力される前記発光部の制御に係る信号に基づいて前記発光部の発光を制御する」と、より動作が特定されている点がそれぞれ異なるものである。
　
　カ　請求人は、本件訂正発明２、４ないし７は、本件訂正発明１、３と同様の理由により、当業者が容易に想到し得たことであると主張する。
　
　キ　しかしながら、本件訂正発明２、４ないし７と甲第１号証発明あるいは甲第５号証発明との相違点に係る構成について、発明の進歩性に係る判断の事情は本件訂正発明１、３と異なるものではなく、本件訂正発明２、４ないし７は、本件訂正発明１、３と同様に、甲第１号証発明あるいは甲第５号証発明との相違点に係る構成について、請求人が主張する理由により、当業者が容易に想到し得たものとすることはできない。
　したがって、本件訂正発明２、４ないし７を、請求人が主張する無効理由２により無効とすることはできない。
　
（４）まとめ
　以上のとおりであるから、本件訂正発明１ないし７は、請求人が主張する無効理由２により、無効にすることができない。
　
第８　むすび
　以上のとおり、請求人の主張及び証拠方法によっては、本件特許の請求項１ないし７に係る発明についての特許を無効とすることができない。
　
　審判に関する費用については、特許法第１６９条第２項の規定で準用する民事訴訟法第６１条の規定により、請求人が負担すべきものとする。
　
　よって、結論のとおり審決する。